(57)【要約】  呼吸器又は手術用加湿器システムの加湿器チャンバの低水及び／又は水切れ状態を決定する改良されたシステム並びに方法は、特定の周波数帯域を使用して、ヒータプレートの温度の変化を検知することができる。温度変化は、加湿器チャンバの比熱容量値に相関し得る。低水及び／又は水切れ検知プロセスは、ガス流量を決定する必要なく実施され得る及び／又は連続的に実行され得る。システムのヒータプレートアセンブリは、ヒータプレートアセンブリの加熱要素と上部加熱プレートとの間の熱的結合を向上させるためのコンプライアント絶縁シートを含むことができ、それにより、低水及び／又は水切れ検知プロセスを向上させる。
2021532964.tif 000002
【特許請求の範囲】
【請求項１】
呼吸器加湿器用の複数層ヒータプレートアセンブリであって、
上部加熱プレートと、
熱を発生させるように構成された加熱要素であって、上部加熱プレートより下に位置する加熱要素と、
前記上部加熱プレートと前記加熱要素との間の熱インターフェース層であって、前記上部加熱プレートと前記加熱要素との間のエアギャップを変位させるように構成されたコンプライアント熱インターフェース材料を含む、熱インターフェース層と、
を含む、複数層ヒータプレートアセンブリ。
【請求項２】
前記熱インターフェース層は、前記上部加熱プレートと前記加熱要素との間の熱伝導率を向上させるために、前記上部加熱プレートと前記加熱要素との間のエアギャップを変位させるように構成されている、請求項１に記載の複数層ヒータプレートアセンブリ。
【請求項３】
下部プレートを含み、前記加熱要素は、前記上部加熱プレート及び前記下部プレートによって画定される、請求項１又は２に記載の複数層ヒータプレートアセンブリ。
【請求項４】
前記熱インターフェース層は、電気絶縁を提供するのに十分な厚さを含む、請求項１〜３のいずれか一項に記載の複数層ヒータプレートアセンブリ。
【請求項５】
１つ以上の締結具によって互いに取り外し可能に結合されている、請求項１〜４のいずれか一項に記載の複数層ヒータプレートアセンブリ。
【請求項６】
前記下部プレートと前記上部加熱プレートとの間に前記加熱要素及び前記電気絶縁層がある状態で、前記下部プレートを前記上部加熱プレートにボルト締めすることによって形成されている、請求項１〜５のいずれか一項に記載の複数層ヒータプレートアセンブリ。
【請求項７】
前記上部加熱プレートは、少なくとも１つの温度センサを受け入れるように構成されたセンサ取付ブロックを含む、請求項１〜６のいずれか一項に記載の複数層ヒータプレートアセンブリ。
【請求項８】
前記センサ取付ブロックは、２つの温度センサを受け入れるように構成されている、請求項７に記載の複数層ヒータプレートアセンブリ。
【請求項９】
前記少なくとも１つの温度センサは、サーミスタを含む、請求項７又は８に記載の複数層ヒータプレートアセンブリ。
【請求項１０】
前記下部プレートに結合された安全機能部を更に含む、請求項３〜１０のいずれか一項に記載の複数層ヒータプレートアセンブリ。
【請求項１１】
前記安全機能部は、サーマルカットオフユニットを含む、請求項１０に記載の複数層ヒータプレートアセンブリ。
【請求項１２】
前記下部プレートは、前記安全機能部を支持するためのプラットフォームを含む、請求項１０又は１１に記載の複数層ヒータプレートアセンブリ。
【請求項１３】
前記安全機能部は、ねじによって前記プラットフォームに固定されている、請求項１２に記載の複数層ヒータプレートアセンブリ。
【請求項１４】
前記プラットフォームは、前記下部プレートの残部から突出している、請求項１２又は１３に記載の複数層ヒータプレートアセンブリ。
【請求項１５】
前記下部プレートは、前記加熱要素からの前記安全機能部の隔離を向上させるために、前記安全機能部が前記下部プレートに結合される場所にスロットを含む、請求項１０〜１４のいずれか一項に記載の複数層ヒータプレートアセンブリ。
【請求項１６】
前記下部プレートは、前記スロットの長さに沿って切抜段部を更に含む、請求項１５に記載の複数層ヒータプレートアセンブリ。
【請求項１７】
前記スロットはＬ字形である、請求項１５又は１６に記載の複数層ヒータプレートアセンブリ。
【請求項１８】
前記スロットは、前記加熱要素の周縁部で又は前記周縁部の近辺で終端する、請求項１５〜１７のいずれか一項に記載の複数層ヒータプレートアセンブリ。
【請求項１９】
前記スロットは、前記熱インターフェース層の周縁部を越えて半径方向外向きに延びる、請求項１５〜１８のいずれか一項に記載の複数層ヒータプレートアセンブリ。
【請求項２０】
前記下部プレートは、前記ヒータプレートアセンブリが組み立てられたときに、前記センサ取付ブロックの近辺に切抜段部を含む、請求項１０〜１９のいずれか一項に記載の複数層ヒータプレートアセンブリ。
【請求項２１】
前記熱インターフェース層は、５０〜１００のショア００硬度スケールを有する、請求項１〜２０のいずれか一項に記載の複数層ヒータプレートアセンブリ。
【請求項２２】
前記熱インターフェース層は、８０のショア００硬度スケールを有する、請求項２１に記載の複数層ヒータプレートアセンブリ。
【請求項２３】
少なくとも１つの非可撓性電気絶縁層を更に含む、請求項１〜２２のいずれか一項に記載の複数層ヒータプレートアセンブリ。
【請求項２４】
前記少なくとも１つの非可撓性電気絶縁層は、マイカを含む、請求項２３に記載の複数層ヒータプレートアセンブリ。
【請求項２５】
前記熱インターフェース材料は電気絶縁性である、請求項１〜２４のいずれか一項に記載の複数層ヒータプレートアセンブリ。
【請求項２６】
第２の熱インターフェース層を含み、前記第２の熱インターフェース層は、前記複数層ヒータプレートアセンブリの構成要素間のエアギャップを変位させるように構成されたコンプライアント熱インターフェース材料を含む、請求項１〜２５のいずれか一項に記載の複数層ヒータプレートアセンブリ。
【請求項２７】
前記第２の熱インターフェース層は、前記加熱要素と前記下部プレートとの間に位置する、請求項２６に記載の複数層ヒータプレートアセンブリ。
【請求項２８】
前記第２の熱インターフェース層は、前記上部加熱プレートと前記下部プレートとの間に位置する、請求項２６に記載の複数層ヒータプレートアセンブリ。
【請求項２９】
前記第２の熱インターフェース層は導電性である、請求項２８に記載の複数層ヒータプレートアセンブリ。
【請求項３０】
前記コンプライアント熱インターフェース材料は、シリコーン又はシリコーン化合物を含む、請求項１〜２９のいずれか一項に記載の複数層ヒータプレートアセンブリ。
【請求項３１】
前記コンプライアント熱インターフェース材料は、ガラス繊維基材と、前記基材に埋め込まれた又は前記基材上に配置された熱伝導性材料とを含む、請求項１〜３０のいずれか一項に記載の複数層ヒータプレートアセンブリ。
【請求項３２】
前記コンプライアント熱インターフェース材料は、少なくとも４０００Ｖ  ＡＣの破壊電圧を有する、請求項１〜３１のいずれか一項に記載の複数層ヒータプレートアセンブリ。
【請求項３３】
前記コンプライアント熱インターフェース材料は、少なくとも６０００Ｖ  ＡＣの破壊電圧を有する、請求項３２に記載の複数層ヒータプレートアセンブリ。
【請求項３４】
前記コンプライアント熱インターフェース材料は、少なくとも１．８Ｗ／（ｍ．Ｋ）の熱伝導率を有する、請求項１〜３３のいずれか一項に記載の複数層ヒータプレートアセンブリ。
【請求項３５】
前記コンプライアント熱インターフェース材料は弾性である、請求項１〜３４のいずれか一項に記載の複数層ヒータプレートアセンブリ。
【請求項３６】
呼吸器加湿器用の複数層ヒータプレートアセンブリであって、
上部加熱プレートと、
下部プレートと、
熱を発生させるように構成された加熱要素であって、前記上部加熱プレート及び前記下部プレートによって画定される加熱要素と、
前記下部プレートと前記上部加熱プレートとの間にあり、前記下部プレートと前記上部加熱プレートとの間のエアギャップを変位させるように構成されたコンプライアント熱インターフェース層と、
を含む、複数層ヒータプレートアセンブリ。
【請求項３７】
１つ以上の締結具によって互いに取り外し可能に結合されている、請求項３６に記載の複数層ヒータプレートアセンブリ。
【請求項３８】
前記下部プレートと前記上部加熱プレートとの間に前記加熱要素及び前記電気絶縁層がある状態で、前記下部プレートを前記上部加熱プレートにボルト締めすることによって形成されている、請求項３６又は３７に記載の複数層ヒータプレートアセンブリ。
【請求項３９】
前記上部加熱プレートは、少なくとも１つの温度センサを受け入れるように構成されたセンサ取付ブロックを含む、請求項３６〜３８のいずれか一項に記載の複数層ヒータプレートアセンブリ。
【請求項４０】
前記センサ取付ブロックは、２つの温度センサを受け入れるように構成されている、請求項３９に記載の複数層ヒータプレートアセンブリ。
【請求項４１】
前記少なくとも１つの温度センサは、サーミスタを含む、請求項３９又は４０に記載の複数層ヒータプレートアセンブリ。
【請求項４２】
前記コンプライアント熱インターフェース層は、前記下部プレートの縁部と前記上部加熱プレートとの間のエアギャップを変位させるように構成されている、請求項３６〜４１のいずれか一項に記載の複数層ヒータプレートアセンブリ。
【請求項４３】
前記コンプライアント熱インターフェース層は電気絶縁性である、請求項３６〜４２のいずれか一項に記載の複数層ヒータプレートアセンブリ。
【請求項４４】
前記上部加熱プレートと前記加熱要素との間のエアギャップを変位させるように構成された第２の熱インターフェース層を含む、請求項３６〜４３のいずれか一項に記載の複数層ヒータプレートアセンブリ。
【請求項４５】
少なくとも１つの非可撓性電気絶縁層を更に含む、請求項３６〜４４のいずれか一項に記載の複数層ヒータプレートアセンブリ。
【請求項４６】
前記少なくとも１つの非可撓性電気絶縁層は、マイカを含む、請求項４５に記載の複数層ヒータプレートアセンブリ。
【請求項４７】
前記少なくとも１つの非可撓性電気絶縁層は、前記コンプライアント熱インターフェース層と前記加熱要素との間に位置する、請求項４５又は４６に記載の複数層ヒータプレートアセンブリ。
【請求項４８】
前記少なくとも１つの非可撓性電気絶縁層は、前記加熱要素と前記下部プレートとの間に位置する、請求項４５〜４７のいずれか一項に記載の複数層ヒータプレートアセンブリ。
【請求項４９】
医療処置で使用するための加湿器システムであって、
ベースユニットと、
前記ベースユニット上に受け入れ可能な加湿器チャンバと、
を含み、
前記ベースユニットは、請求項１〜４８のいずれか一項に記載の複数層ヒータプレートアセンブリを含む、
システム。
【請求項５０】
前記加湿器チャンバは伝導性ベースを含み、前記加湿器チャンバが前記ベースユニット上に配置されると、前記伝導性ベースは前記ヒータプレートアセンブリと強制的に接触させられる、請求項４９に記載のシステム。
【請求項５１】
前記ヒータプレートアセンブリは、前記チャンバを通過するガスを加湿するために、前記加湿器チャンバを加熱して前記チャンバの内容物を加熱する、請求項４９又は５０に記載のシステム。
【請求項５２】
前記加湿器チャンバから患者インターフェースにガスを搬送するように構成されたチューブを更に含む、請求項４９〜５１のいずれか一項に記載のシステム。
【請求項５３】
医療処置で使用するための加湿器システムであって、
加湿器チャンバを受け入れるように構成されたハウジングと、
前記ハウジング内に少なくとも部分的に位置するヒータプレートアセンブリであって、前記ヒータプレートアセンブリは、
上部加熱プレートであって、前記加湿器チャンバが前記ハウジングによって受け入れられると前記加湿器チャンバのベースに接触するように構成されている、上部加熱プレートと、
前記上部加熱プレートに又は前記上部加熱プレートの近辺に位置するサーミスタと、
熱を発生させるように構成された加熱要素と、
前記上部加熱プレートと前記加熱要素との間の電気絶縁機構と、
を含む、ヒータプレートアセンブリと、
を含み、
前記電気絶縁機構は、前記加熱要素への電力信号によって発生した熱が前記上部加熱プレートに伝達されるように、前記加熱要素と前記上部加熱プレートとを熱的に結合し、
前記電気絶縁機構は、前記加熱要素と前記上部加熱プレートとの間の熱的結合を向上させる、
加湿器システム。
【請求項５４】
前記電気絶縁機構は、可撓性及び／又は弾性絶縁シートを含む、請求項５３に記載のシステム。
【請求項５５】
前記電気絶縁機構は、前記上部加熱プレートと前記加熱要素との間のエアギャップを変位させるように構成されたコンプライアント絶縁シートを含む、請求項５３又は５４に記載のシステム。
【請求項５６】
前記電気絶縁シートは、前記加熱要素から前記上部加熱プレートへの熱伝導を向上させる、請求項５３〜５５のいずれか一項に記載のシステム。
【請求項５７】
前記電気絶縁シートは、前記ヒータプレートアセンブリの構成要素間の熱伝導率が向上するように、前記ヒータプレートアセンブリの静電容量を低減させる、請求項５３〜５６のいずれか一項に記載のシステム。
【請求項５８】
２つの絶縁要素を含む二重電気絶縁機構を更に含み、前記２つの絶縁要素は、２つの非可撓性絶縁層を含む、請求項５３〜５７のいずれか一項に記載のシステム。
【請求項５９】
前記２つの非可撓性絶縁層は、マイカを含む、請求項５８に記載のシステム。
【請求項６０】
前記２つの絶縁要素は、互いに別々の２つの層を含む、請求項５８又は５９に記載のシステム。
【請求項６１】
前記二重電気絶縁機構は、前記電気絶縁機構と前記加熱要素との間に位置する、請求項５８〜６０のいずれか一項に記載のシステム。
【請求項６２】
前記電気絶縁機構は、熱伝導性であるが電気絶縁性のエラストマーを含む、請求項５３〜６１のいずれか一項に記載のシステム。
【請求項６３】
前記電気絶縁機構は、シリコーン又はシリコーン化合物を含む、請求項５３〜６２のいずれか一項に記載のシステム。
【請求項６４】
前記電気絶縁機構は、ガラス繊維基材と、前記基材に埋め込まれた又は前記基材上に配置された熱伝導性材料とを含む、請求項５３〜６３のいずれか一項に記載のシステム。
【請求項６５】
前記電気絶縁機構は、少なくとも４０００Ｖ  ＡＣの破壊電圧を有する材料を含む、請求項５３〜６４のいずれか一項に記載のシステム。
【請求項６６】
前記電気絶縁機構は、少なくとも６０００Ｖ  ＡＣの破壊電圧を有する材料を含む、請求項６５に記載のシステム。
【請求項６７】
前記電気絶縁機構は、少なくとも１．８Ｗ／（ｍ．Ｋ）の熱伝導率を有する材料を含む、請求項５３〜６６のいずれか一項に記載のシステム。
【請求項６８】
前記電気絶縁機構は、前記加湿器チャンバ内の低水状態又は水切れ状態を検知するために前記電力信号に印加される波形が、電力が低減された波形であり得るように、前記加熱要素と前記上部加熱プレートとの間の熱的結合を向上させる、請求項５３〜６７のいずれか一項に記載のシステム。
【請求項６９】
前記電気絶縁機構は、前記サーミスタの温度表示値が前記加湿器チャンバ内の水の温度により良好に対応するように、前記加熱要素と前記上部加熱プレートとの間の熱的結合を向上させる、請求項５３〜６８のいずれか一項に記載のシステム。
【請求項７０】
前記ヒータプレートアセンブリは、下部プレートを含み、前記加熱要素及び前記電気絶縁機構は、前記下部プレートと前記上部加熱プレートとの間に画定される、請求項５３〜６９のいずれか一項に記載のシステム。
【請求項７１】
前記下部プレートは前記電気絶縁機構に接触している、請求項７０に記載のシステム。
【請求項７２】
前記ヒータプレートアセンブリは、前記上部加熱プレートと前記下部プレートとの間に可撓性電気絶縁シートを含む、請求項７０に記載のシステム。
【請求項７３】
前記ヒータプレートアセンブリは、前記上部加熱プレートと前記下部プレートとの間に、前記上部加熱プレートと前記下部プレートとの間のエアギャップを変位させるように構成されたコンプライアント電気絶縁シートを含む、請求項７０〜７２のいずれか一項に記載のシステム。
【請求項７４】
呼吸器又は手術用加湿器システムであって、
ベースユニットであって、
１つ以上の加熱要素を含むヒータプレートと、
前記ヒータプレートの前記１つ以上の加熱要素と電子通信し、前記ヒータプレートの前記１つ以上の加熱要素に通電するように構成されているハードウェアコントローラと、
を含む、ベースユニットと、
容積を画定し、伝導性ベースを含む加湿器チャンバであって、前記伝導性ベースは、前記伝導性ベースが前記ヒータプレートに接触するように、前記ベースユニット上に受け入れ可能であり、前記加湿器チャンバは、水位を保つように構成されている、加湿器チャンバと、
を含み、
前記ハードウェアコントローラは、前記加湿器チャンバの比熱容量を推測することができる値を決定し、前記決定された、前記比熱容量を推測することができる値に少なくとも一部基づいて、低水又は水切れ状態を決定するように構成されている、
呼吸器又は手術用加湿器システム。
【請求項７５】
前記ハードウェアコントローラは、前記決定された、前記比熱容量を推測することができる値が閾値未満であることに応答して、低水又は水切れ状態が存在すると決定する、請求項７４に記載の呼吸器又は手術用加湿器システム。
【請求項７６】
前記ハードウェアコントローラは、前記比熱容量を推測することができる前記値を連続的に決定する、請求項７４又は７５に記載の呼吸器又は手術用加湿器システム。
【請求項７７】
前記ハードウェアコントローラは、前記比熱容量を推測することができる前記値を断続的に決定する、請求項７４〜７６のいずれか一項に記載の呼吸器又は手術用加湿器システム。
【請求項７８】
前記比熱容量を推測することができる前記値は、数値スコアとして決定される、請求項７４〜７７のいずれか一項に記載の呼吸器又は手術用加湿器システム。
【請求項７９】
前記ヒータプレートに結合された又は隣接する温度センサを含み、前記温度センサは、前記ヒータプレートの温度を決定する、請求項７４〜７８のいずれか一項に記載の呼吸器又は手術用加湿器システム。
【請求項８０】
前記温度センサは、サーミスタを含む、請求項７９に記載の呼吸器又は手術用加湿器システム。
【請求項８１】
前記温度センサは、２つのサーミスタを含み、各サーミスタは、分圧器として機能する、請求項７９に記載の呼吸器又は手術用加湿器システム。
【請求項８２】
前記ハードウェアコントローラは、前記２つのサーミスタの電圧表示値から温度値を決定する、請求項８１に記載の呼吸器又は手術用加湿器システム。
【請求項８３】
前記ハードウェアコントローラは、前記比熱容量を推測することができる値を、前記温度センサの前記温度表示値に基づいて決定する、請求項７４〜８２のいずれか一項に記載の呼吸器又は手術用加湿器システム。
【請求項８４】
前記ハードウェアコントローラは、
前記ヒータプレートの前記１つ以上の加熱要素に特性通電信号を印加し、
前記特性通電信号に対応する、前記温度センサからの温度信号を処理し、
前記温度信号に基づいて、前記比熱容量を推測することができる前記値を決定し、
前記決定された、前記比熱容量を推測することができる値が閾値未満であることに応答して、低水又は水切れ警告を出力する
ように構成されている、請求項７４〜８３のいずれか一項に記載の呼吸器又は手術用加湿器システム。
【請求項８５】
前記ハードウェアコントローラは、前記特性通電信号を連続的に及び／又は断続的に印加するように構成されている、請求項８４に記載の呼吸器又は手術用加湿器システム。
【請求項８６】
前記ハードウェアコントローラは、前記特性通電信号をヒータプレート制御信号に印加するように構成されている、請求項８４又は８５に記載の呼吸器又は手術用加湿器システム。
【請求項８７】
前記ハードウェアコントローラは、前記特性通電信号を前記ヒータプレート制御信号に注入するように構成されている、請求項８６に記載の呼吸器又は手術用加湿器システム。
【請求項８８】
前記特性通電信号は、ヒータプレート制御信号よりも周波数が高い、請求項８４〜８７のいずれか一項に記載の呼吸器又は手術用加湿器システム。
【請求項８９】
前記ハードウェアコントローラは、前記特性通電信号の前記周波数に対応する温度測定値を通過させるように、前記温度センサの温度測定値を、前記特性通電信号の周波数に対応するフィルタ周波数を有するバンドパスフィルタに通過させる、請求項８４〜８８のいずれか一項に記載の呼吸器又は手術用加湿器システム。
【請求項９０】
前記特性通電信号の前記周波数に対応する前記温度測定値を使用して、前記比熱容量を推測することができる前記値を決定する、請求項８９に記載の呼吸器又は手術用加湿器システム。
【請求項９１】
前記ヒータプレートは、請求項１〜４８のいずれか一項に記載の複数層ヒータプレートアセンブリを含む、請求項７４〜９０のいずれか一項に記載のシステム。
【請求項９２】
呼吸器又は手術用加湿器システムであって、
ベースユニットであって、
１つ以上の加熱要素を含むヒータプレートと、
前記ヒータプレートの前記１つ以上の加熱要素と電子通信し、前記ヒータプレートの前記１つ以上の加熱要素に通電するように構成されているハードウェアコントローラと、
前記ヒータプレートに結合された又は隣接する温度センサであって、前記ヒータプレートの温度を示す信号を発生するように構成されている温度センサと、
を含む、ベースユニットと、
容積を画定し、伝導性ベースを含む加湿器チャンバであって、前記伝導性ベースは、前記伝導性ベースが前記ヒータプレートに接触するように、前記ベースユニット上に受け入れ可能であり、前記加湿器チャンバは、水位を保つように構成されている、加湿器チャンバと、
を含み、
前記ハードウェアコントローラは、
前記ヒータプレートの前記１つ以上の加熱要素に特性通電信号を印加し、
前記特性通電信号に対する応答を示す信号を受信し、
前記特性通電信号に対する前記応答を示す前記受信信号の大きさ及び／又は位相に基づいて低水又は水切れ状態を決定する、
ように構成されている、呼吸器又は手術用加湿器システム。
【請求項９３】
前記決定された、閾値を上回る大きさは、低水又は水切れ状態を示す、請求項９２に記載の呼吸器又は手術用加湿器システム。
【請求項９４】
前記決定された、閾値を満たす大きさ及び／又は位相は、低水又は水切れ状態を示す、請求項９２又は９３に記載の呼吸器又は手術用加湿器システム。
【請求項９５】
大きさ及び／又は位相の二次元表現の既定の領域の範囲外又は範囲内である、前記決定された大きさ及び／又は位相は、低水又は水切れ状態を示す、請求項９４に記載の呼吸器又は手術用加湿器システム。
【請求項９６】
前記大きさは、前記加湿器チャンバの比熱容量に反比例する、請求項９２〜９５のいずれか一項に記載の呼吸器又は手術用加湿器システム。
【請求項９７】
前記ハードウェアコントローラは、特性周波数の前記特性通電信号を印加するように構成されている、請求項９２〜９６のいずれか一項に記載の呼吸器又は手術用加湿器システム。
【請求項９８】
前記特性周波数は、前記ハードウェアコントローラが前記ヒータプレートの前記１つ以上の加熱要素に通電するヒータプレート制御動作周波数よりも高い、請求項９７に記載の呼吸器又は手術用加湿器システム。
【請求項９９】
前記特性通電信号は、前記ヒータプレート制御動作周波数の少なくとも１．５倍の周波数である、請求項９８に記載の呼吸器又は手術用加湿器システム。
【請求項１００】
前記ハードウェアコントローラは、前記特性通電信号を発生し、印加するように構成された信号発生器を含む、請求項９２〜９９のいずれか一項に記載の呼吸器又は手術用加湿器システム。
【請求項１０１】
前記ハードウェアコントローラは、前記特性通電信号を前記ヒータプレート制御信号に注入するように構成されている、請求項９２〜１００のいずれか一項に記載の呼吸器又は手術用加湿器システム。
【請求項１０２】
前記ハードウェアコントローラは、フィルタを含み、前記フィルタは、前記ヒータプレートの前記温度を示す信号をフィルタリングし、前記通電信号に対する前記応答を示す前記信号を得る、請求項９２〜１０１のいずれか一項に記載の呼吸器又は手術用加湿器システム。
【請求項１０３】
前記フィルタは、バンドパスフィルタである、請求項１０２に記載の呼吸器又は手術用加湿器システム。
【請求項１０４】
前記バンドパスフィルタは、前記特性通電信号の周波数に対応する帯域内の前記ヒータプレートの前記温度を示す前記信号をフィルタリングする、請求項１０３に記載の呼吸器又は手術用加湿器システム。
【請求項１０５】
前記特性通電信号の前記周波数において、閾値を超える前記ヒータプレートの前記温度を示す前記信号の前記大きさは、低水又は水切れ状態を示す、請求項１０４に記載の呼吸器又は手術用加湿器システム。
【請求項１０６】
前記受信信号は、前記ヒータプレートの前記温度を示す前記信号の周波数応答を含み、前記ハードウェアコントローラは、前記周波数応答に基づいて、低水又は水切れ状態を決定するように構成されている、請求項９２に記載の呼吸器又は手術用加湿器システム。
【請求項１０７】
前記特性通電信号に対する前記応答を示す前記受信信号の前記大きさは処理されてスコアが決定され、前記スコアが閾値を上回る場合、前記スコアは、低水又は水切れ状態を示す、請求項９２〜１０６のいずれか一項に記載の呼吸器又は手術用加湿器システム。
【請求項１０８】
前記ヒータプレートは、請求項１〜４８のいずれか一項に記載の複数層ヒータプレートアセンブリを含む、請求項９２〜１０７のいずれか一項に記載のシステム。
【請求項１０９】
呼吸器又は手術用加湿器システムの加湿器チャンバの低水又は水切れ状態を検知する方法であって、
前記呼吸器又は手術用加湿器システムのベースユニット内のハードウェアコントローラを使用して、
前記加湿器チャンバの比熱容量を推測することができる値を決定することであって、前記加湿器チャンバは、容積を画定し、水位を保つことができ、前記加湿器チャンバは伝導性ベースを含み、前記伝導性ベースは、前記伝導性ベースが前記ベースユニットのヒータプレートに接触するように、前記ベースユニット上に受け入れ可能であり、前記ヒータプレートは、１つ以上の加熱要素を含み、前記１つ以上の加熱要素は、前記ハードウェアコントローラと電子通信し、前記ハードウェアコントローラによって通電されるように構成されている、ことと、
前記決定された、前記比熱容量を推測することができる値に少なくとも一部基づいて、低水又は水切れ状態を決定することと、
を含む、方法。
【請求項１１０】
呼吸器又は手術用加湿器システムの加湿器チャンバの低水又は水切れ状態を検知する方法であって、
前記呼吸器又は手術用加湿器システムのベースユニット内のハードウェアコントローラを使用して、
前記ベースユニット内のヒータプレートの１つ以上の加熱要素に特性通電信号を印加することであって、前記ヒータプレートの前記１つ以上の加熱要素は、前記ハードウェアコントローラと電子通信し、前記ハードウェアコントローラによって通電されるように構成されており、前記呼吸器又は手術用加湿器システムは、加湿器チャンバを更に含み、前記加湿器チャンバは、容積を画定し、伝導性ベースを含み、前記伝導性ベースは、前記伝導性ベースが前記ヒータプレートに接触するように、前記ベースユニット上に受け入れ可能であり、前記加湿器チャンバは、水位を保つことができる、ことと、
前記ヒータプレートに結合された又は隣接する温度センサからの前記特性通電信号に対する応答を表す信号を受信することと、
前記特性通電信号に対する前記応答を示す前記受信信号の大きさ及び／又は位相に基づいて、低水又は水切れ状態を決定することと、
を含む、方法。
【発明の詳細な説明】
【技術分野】
【０００１】
本開示の分野
本開示は、呼吸器及び／又は手術用加湿器システム、並びに患者若しくは使用者に供給されるガス用の呼吸器又は呼吸補助システムに関する。
【背景技術】
【０００２】
呼吸器装置は、病院、医療施設、在宅ケア、緩和ケア、又は自宅環境などの様々な環境で使用されている。様々な呼吸器用途において、患者又は使用者に供給されるガスを加湿することは有益である。これらの用途としては、ガスが患者若しくは使用者による呼吸用のものである場合及び／又はガスが患者若しくは使用者の手術中に供給される場合が挙げられる。
【０００３】
非侵襲モードにおいてガスを呼吸する場合、吸気ガスが上気道を通過するときに、例えば、ガスがフェイスマスク又は鼻マスクを介して患者又は使用者に送達されるときに、湿度は、患者又は使用者の快適性を高め、非侵襲的換気療法（ＮＩＶ：ｎｏｎｉｎｖａｓｉｖｅ  ｖｅｎｔｉｌａｔｉｏｎ）に対する患者又は使用者の耐性を向上させ、加湿されたガスは、患者又は使用者の気道の組織（例えば、鼻粘膜）を乾燥させにくくする。手術用ガス、又は患者に送達されるガスが上気道をバイパスする場合の侵襲モードの場合、ガスの加湿は、患者の快適性を向上させ、且つ粘液輸送の向上などの生理学的利益をもたらすことが判明しており、患者又は使用者の安全のために、例えば、気道分泌物の濃縮による気道閉塞、気道上皮の破壊を防止するために及び／又は術後転帰を向上させるために必要となり得る。高流量療法の場合、加湿されたガスは、非密閉インターフェースを介して高流量で患者又は使用者に送達される。患者又は使用者は、自発的に呼吸してもよく、又は麻酔下など、無呼吸であってもよい。加湿器を備えた流量療法装置を使用して高流量ガスを送達することができ、療法装置は、例えば、流量、温度、圧力、湿度、補助ガス濃度等を含む、ガス流などの特性を制御してもよい。気道陽圧（ＰＡＰ：ｐｏｓｉｔｉｖｅ  ａｉｒｗａｙ  ｐｒｅｓｓｕｒｅ）療法の場合、ブロワと加湿器とを含むＰＡＰ療法装置を使用して、使用者に圧力療法、例えば、持続気道陽圧療法（ＣＰＡＰ：ｃｏｎｔｉｎｕｏｕｓ  ｐｏｓｉｔｉｖｅ  ａｉｒｗａｙ  ｐｒｅｓｓｕｒｅ  ｔｈｅｒａｐｙ）を提供することができる。
【発明の概要】
【発明が解決しようとする課題】
【０００４】
患者又は使用者に供給するためのガスを加湿するための加湿器チャンバを組み込んだ呼吸器又は手術用加湿器システムにおいては、ガスを加湿するために加湿器システムがガス流に水蒸気を供給できるようにするために、ある最低水位を維持することが重要である。したがって、加湿されたガスを患者若しくは使用者に投与する医療関係者又は在宅投与の場合は患者若しくは使用者自身が水位を確認し、必要な場合には加湿器チャンバに更に水を追加することが重要である。この作業は見落とされる場合がある。これにより、気道が乾燥ガスに長期間暴露することによる危険が患者若しくは使用者にもたらされる可能性がある、患者若しくは使用者に不快感を生じさせる可能性がある、及び／又はガスの加湿操作の中断を招くおそれがある、又は幾つかの場合では、呼吸器加湿器システムが破損するおそれがある。水の不足、及びチャンバの水切れなどによるチャンバの乾燥もまた、送達される加湿の量を減少させるので、治療に支障を来す。
【０００５】
幾つかの呼吸器加湿器システムは、水切れ状態を検知することができる及び／又は加湿器チャンバの熱伝導率の決定に基づいて水切れ警報を出力することができる。これらのシステムは、加湿器チャンバのヒータプレート、加湿器チャンバ出口、及び／又は呼吸回路の患者若しくは使用者端部などの、デバイスの様々な位置にあるフローセンサ及び／又は温度センサからの入力を必要とする場合がある。その結果、これらのフローセンサ及び／又は温度センサの全てを組み込んでいない呼吸器加湿器システムにはこのような水切れ検知及び／又は警報機能を実装することができない。
【課題を解決するための手段】
【０００６】
本開示は、最小限の数のセンサ、例えば、ヒータプレートにある又はその近傍のわずか１つの温度センサからの入力によって水切れ状態を検知することができる及び／又は加湿器チャンバ水切れ警報を出力することができる呼吸器又は手術用加湿器システムの例を提供する。したがって、これらの水切れ検知及び／又は警報方法は、より多くの種類の加湿システム、又は加湿器を含み得る他の呼吸補助デバイス、例えば、高流量システム及び／若しくはＣＰＡＰシステムにおいて実施することができる。本明細書に開示される水切れ検知及び／又は警報方法は、補完電力入力波形（本明細書中の開示では、補完信号（ｓｕｐｐｌｅｍｅｎｔａｒｙ  ｓｉｇｎａｌ）又は特性通電信号（ｃｈａｒａｃｔｅｒｉｓｔｉｃ  ｅｎｅｒｇｉｚａｔｉｏｎ  ｓｉｇｎａｌ）とも呼ばれ得る）を印加し、所定周波数でフィルタリングされたヒータプレート上の又はヒータプレート近傍の温度信号からヒータプレート温度信号及び／又は温度表示値の大きさ及び／又は位相を決定することによる、加湿器チャンバ（水などのその内容物を含む）の比熱容量の決定に基づくものであり得る。補完信号の印加は、補完信号を（例えば、待機モード中の）ヒータプレートの信号として印加することによって、又は補完信号をヒータプレート制御信号に注入することによって（例えば、ヒータプレート制御信号と補完信号とを合計する、調整する、インターリーブする、サイクリングする、又は同じ伝送線上で２つの信号を送信するための任意の他のスキームを使用することによって）実施され得る。この補完波形は、通常制御にバイアスをかけることなく、通常動作するヒータプレート電力信号などの通常のヒータプレート制御信号上に重畳され得る。補完波形は、周期的若しくは循環的であり得る、及び／又はゼロ平均を有し得る。波形は、通常制御にバイアスがかけられないようにすることができる。補完信号の周波数は、所定周波数であり得る。周波数は、周波数領域において、通常制御応答から分離されるように選択され得る。選択された周波数は、ヒータプレートの通常制御との干渉を回避するのに役立ち得る。一例では、補完信号の周波数は、従来の（ヒータプレート上に配置された加湿チャンバを加熱する目的での通常動作など）ヒータプレート制御信号よりも高くすることができ（例えば、その少なくとも１．５倍又は本明細書に開示されるその他の値である）、ヒータプレートを加熱するためのデューティサイクル等を出力することができる。
【０００７】
本開示の全体を通して、加湿器チャンバの比熱容量は、特に明示的に記載されない限り、水などのその内容物を含む加湿器チャンバの比熱容量を指す。
【０００８】
より少数のセンサを必要とすることに加えて、本明細書に開示される水切れ検知及び／又は警報方法はまた、以下の利点及び／又はその他の利点のいずれかを有し得る。例えば、本明細書に開示される水切れ検知及び／又は警報システムは、比熱容量の原理に基づいており、本質的に水量に関連している。これにより、システムをガスの流量から独立させることが可能になる。流量からの独立により、水切れ検知及び／又は警報方法を、流量に依存する検知方法に比べて、低流量非侵襲療法（例えば、約１０Ｌ／ｍｉｎ未満の小児非侵襲療法の流量）又は極めて低流量の侵襲療法（例えば、約５Ｌ／ｍｉｎ未満の新生児侵襲療法）により適したものにすることを可能にできる。流量からの独立はまた、水切れ検知及び／又は警報方法が、フローセンサの誤差に影響されないこと又はシステムの流量状態について仮定する必要を回避することを可能にできる。本明細書中に記載される水切れ／警報方法は、様々な異なるプラットフォーム及び／又は様々な異なる種類のチャンバで機能することができるので、比熱容量をパラメータとして使用して水切れを決定することも有利である。記載される水切れ手法は、より柔軟であり且つより融通が利く。更に、本開示の水切れ検知方法は、例えば待機の場合時など、加湿器内にガス流がないときに水切れ状態（水のない又は実質的に水のない状態）を決定することができる。
【０００９】
本明細書に開示される水切れ検知及び／又は警報方法はまた、湿度送達から独立させることができる又は湿度送達に対して不変であり得る。その結果、本明細書に開示される方法は、例えば、室内気の同伴及び／又はタービン駆動式フロー供給源を使用する非侵襲療法による、より低い湿度の発生につながる場合のガス送達により適し得る。これらのケースでは、流入湿度が高くなり得る（例えば、約１０ｍｇ／Ｌ超）、流入ガス温度が高くなり得る（例えば、摂氏約３０度超）、及び／又は周囲温度条件が高くなり得る（例えば、摂氏約２５度超）。これにより、湿度添加要件の低下につながり、従来の水切れ検知方法には不利に影響する可能性がある。本明細書に開示される類似の水切れ方法は、高流量モード又は任意の他の動作モードでも使用することができる。
【００１０】
本開示はまた、ヒータプレートの熱的結合を向上させ、モデル化されたヒータプレートのＲ成分及びＣ成分により熱伝達非効率性を低下させることができる改良ヒータプレート構造を提供する。特に、弾力性の電気絶縁体を含む改良ヒータプレートアセンブリは、水切れ検知のための補完信号を小さくすることを可能にし、振幅が増大した帰還信号を戻す。帰還信号は、信号対雑音比が向上したものである。弾力性の電気絶縁体は、以下に記載されるように、可撓性及び／又はコンプライアントであり得る。コンプライアント材料とは、材料が柔らかくなり、圧縮可能になる、及び／又は表面の形状に適合することができる能力を意味し得る。例えば、コンプライアント材料は、コンプライアント材料を挟むことができる他の材料の表面間のエアギャップを変位させることができてもよい。本開示の全体を通して、絶縁材料とは、熱伝導性でもあり得る電気絶縁材料を意味し得る。
【００１１】
本明細書に開示される呼吸器加湿器システムのコントローラは、ヒータプレートの電力入力を変化させ、水切れ事象時にヒータプレート及び／又は加湿器チャンバの特定の応答を待つことだけではなくむしろ、ヒータプレート制御信号に補完信号を印加することができる。幾つかの例示的な構成では、コントローラは、補完信号を連続的に印加してもよい。コントローラは、ヒータプレートに補完信号を連続的に及び／又は断続的に印加してもよい。コントローラは、補完信号に対する応答を測定してもよい。コントローラは、補完信号に対する応答を連続的に及び／又は断続的にサンプリングしてもよい。したがって、検知及び／又は警報プロセスは、複雑な状態遷移（低流量状態と高流量状態との間の遷移など）及び／又はトリガー条件に依存する必要はない。本明細書中に記載されるプロセスは、ヒータプレートに通電する通常動作に影響を及ぼすことなく連続的に実行することができ、したがって、加湿器チャンバが実際に水切れになる前に警告を与えることができるように、調節可能な検知時間及び閾値を提供することができる。本明細書中に記載される水切れ検知方法はまた、方法が、ヒータを加熱又は冷却させるためのヒータプレートの制御の中断を含め、療法の中断を必要としないので有利である。補完信号は、通常動作周波数（即ち、ヒータプレート制御動作周波数）と実質的に異なる周波数であることができ、ゼロ平均のものであるので、システムに導入される正味エネルギーはない。本明細書中に記載される水切れ検知方法は、湿度発生又は患者若しくは使用者への加湿ガスの送達に対するマイナスの影響が最小限であり得る。
【００１２】
以下でより詳細に記載するように、検知及び／又は警報方法は、また、目的の信号が、本明細書では印加周波数とも称される補完信号の周波数に自然にフィルタリングされるので、ノイズ耐性が高くなり得る。
【００１３】
本明細書中に記載される検知及び／又は警報方法は、ＣＰＡＰデバイス、高流量療法デバイス、手術用加湿器、呼吸器加湿器、乳児用ＣＰＡＰ、乳児用高流量、ＮＩＶ療法等などの様々な呼吸器及び／又は手術用加湿器システムに組み込むことができる。
【００１４】
幾つかの構成では、呼吸器加湿器用の複数層ヒータプレートアセンブリは、上部加熱プレートと、熱を発生させるように構成された加熱要素と、加熱プレートと加熱要素との間に電気絶縁を提供するように構成された二重絶縁機構とを含むことができ、二重絶縁機構は、２つの絶縁要素を含み、２つの絶縁要素の第１の絶縁要素は第１の可撓性を有し、２つの絶縁要素の第２の絶縁要素は、第１の可撓性と異なる第２の可撓性を有する。
【００１５】
幾つかの構成では、複数層ヒータプレートアセンブリは、１つ以上の締結具によって互いに取り外し可能に結合され得る。
【００１６】
幾つかの構成では、複数層ヒータプレートアセンブリは、下部プレートと上部加熱プレートとの間に加熱要素及び二重絶縁機構がある状態で、下部プレートを上部加熱プレートにボルト締めすることによって形成され得る。
【００１７】
幾つかの構成では、上部加熱プレートは、少なくとも１つの温度センサを受け入れるように構成されたセンサ取付ブロックを含み得る。
【００１８】
幾つかの構成では、センサ取付ブロックは、２つの温度センサを受け入れるように構成され得る。
【００１９】
幾つかの構成では、少なくとも１つの温度センサは、サーミスタを含み得る。
【００２０】
幾つかの構成では、安全機能部は、サーマルカットオフユニットを含み得る。
【００２１】
幾つかの構成では、下部プレートは、安全機能部を支持するためのプラットフォームを含み得る。
【００２２】
幾つかの構成では、安全機能部は、ねじによってプラットフォームに固定され得る。
【００２３】
幾つかの構成では、プラットフォームは、下部プレートの残部から突出することができる。
【００２４】
幾つかの構成では、下部プレートは、加熱要素からの安全機能部の隔離を向上させるために、安全機能部が下部プレートに結合される場所にスロットを含み得る。
【００２５】
幾つかの構成では、下部プレートは、スロットの長さに沿って切抜段部（ｃｕｔ−ｏｕｔ  ｓｔｅｐ）を更に含み得る。
【００２６】
幾つかの構成では、スロットはＬ字形であり得る。
【００２７】
幾つかの構成では、スロットは、加熱要素の周縁部で又は周縁部の近辺で終端することができる。
【００２８】
幾つかの構成では、スロットは、二重絶縁機構の周縁部を越えて半径方向外向きに延びることができる。
【００２９】
幾つかの構成では、下部プレートは、ヒータプレートアセンブリが組み立てられたときに、センサ取付ブロックの近辺に切抜段部を含み得る。
【００３０】
幾つかの構成では、二重絶縁機構の１つの絶縁要素は、もう一方の絶縁要素に比べてより可撓性又はコンプライアントであり得る。幾つかの構成では、第１の絶縁要素は、第２の絶縁要素に比べてより可撓性であり得る。
【００３１】
幾つかの構成では、二重電気絶縁機構の１つの絶縁要素は、上部加熱プレートと加熱要素との間のエアギャップを変位させるように構成されたコンプライアント絶縁材料を含み得る。
【００３２】
幾つかの構成では、二重電気絶縁機構の１つの絶縁要素は、可撓性絶縁材料を含み得る。
【００３３】
幾つかの構成では、絶縁要素の１つがもう一方の要素よりも柔らかいように、第１の絶縁要素は、第１の柔軟性を有することができ、第２の絶縁要素は、第２の柔軟性を有することができる。
【００３４】
幾つかの構成では、第１の絶縁要素は、弾性材料を含み得る。
【００３５】
幾つかの構成では、絶縁要素の１つは、５０〜１００のショア００硬度スケールを有し得る。
【００３６】
幾つかの構成では、絶縁要素の１つは、８０のショア００硬度スケールを有し得る。
【００３７】
幾つかの構成では、２つの絶縁要素は、少なくとも１つの非可撓性絶縁層を含み得る。
【００３８】
幾つかの構成では、少なくとも１つの非可撓性絶縁層は、マイカを含み得る。
【００３９】
幾つかの構成では、アセンブリは、コンプライアント絶縁材料の層を含み得る。
【００４０】
幾つかの構成では、複数層ヒータプレートアセンブリは、ヒータプレートアセンブリの構成要素間のエアギャップを変位させるように構成されたコンプライアント絶縁材料の更なる層を更に含み得る。
【００４１】
幾つかの構成では、２つの絶縁要素は、２つの非可撓性絶縁層を含み得る。
【００４２】
幾つかの構成では、アセンブリは、コンプライアント絶縁材料の２つの層を含み得る。
【００４３】
幾つかの構成では、２つの絶縁要素は、ヒータプレートアセンブリの構成要素間のエアギャップを変位させるように構成されたコンプライアント絶縁材料の２つの層を含み得る。
【００４４】
幾つかの構成では、コンプライアント絶縁材料は、熱伝導性であるが電気絶縁性のエラストマーを含み得る。
【００４５】
幾つかの構成では、コンプライアント絶縁材料は、シリコーン又はシリコーン化合物を含み得る。
【００４６】
幾つかの構成では、コンプライアント絶縁材料は、ガラス繊維基材と、基材に埋め込まれた又は基材上に配置された熱伝導性材料とを含み得る。
【００４７】
幾つかの構成では、コンプライアント絶縁材料は、少なくとも４０００Ｖ  ＡＣの破壊電圧を有し得る。
【００４８】
幾つかの構成では、コンプライアント絶縁材料は、少なくとも６０００Ｖ  ＡＣの破壊電圧を有し得る。
【００４９】
幾つかの構成では、コンプライアント絶縁材料は、少なくとも１．８Ｗ／（ｍ．Ｋ）の熱伝導率を有し得る。
【００５０】
幾つかの構成では、呼吸器加湿器用の複数層ヒータプレートアセンブリは、上部加熱プレートと、下部プレートと、熱を発生させるように構成された加熱要素であって、上部加熱プレート及び下部プレートによって画定される加熱要素と、上部加熱プレートと加熱要素との間の第１の弾性絶縁材料と、下部プレートと加熱要素との間の第２の弾性絶縁材料と、を含むことができ、第１の弾性絶縁材料及び第２の弾性絶縁材料は、それぞれ、上部加熱プレートと加熱要素との間のエアギャップ、及び下部と加熱要素との間のエアギャップを占めることができる。第１の絶縁材料又は第２の絶縁材料は、電気絶縁材料である。幾つかの構成では、第１の弾性電気絶縁材料及び第２の弾性電気絶縁材料は、それぞれ、上部加熱プレートと加熱要素との間のエアギャップ、及び下部プレートと加熱要素との間のエアギャップを変位させることができる。
【００５１】
幾つかの構成では、複数層ヒータプレートアセンブリは、１つ以上の締結具によって互いに取り外し可能に結合され得る。
【００５２】
幾つかの構成では、複数層ヒータプレートアセンブリは、下部プレートと上部加熱プレートとの間に加熱要素並びに第１及び第２の弾性絶縁材料がある状態で、下部プレートを上部加熱プレートにボルト締めすることによって形成され得る。
【００５３】
幾つかの構成では、第１の弾性絶縁材料及び／又は第２の弾性絶縁材料は、５０〜１００のショア００硬度スケールを有し得る。
【００５４】
幾つかの構成では、第１の弾性絶縁材料及び／又は第２の弾性絶縁材料は、８０のショア００硬度スケールを有し得る。
【００５５】
幾つかの構成では、アセンブリは、２つの絶縁要素を含む二重電気絶縁機構を含み得る。
【００５６】
幾つかの構成では、２つの絶縁要素は、２つの非可撓性電気絶縁層を含み得る。
【００５７】
幾つかの構成では、複数層ヒータプレートアセンブリは、非可撓性電気絶縁層を更に含み得る。
【００５８】
幾つかの構成では、非可撓性電気絶縁層は、マイカを含み得る。
【００５９】
幾つかの構成では、２つの絶縁要素は、互いに別々の２つの層を含み得る。
【００６０】
幾つかの構成では、第１の弾性電気絶縁材料と第２の弾性電気絶縁材料は、互いに別々の２つの層を含み得る。
【００６１】
幾つかの構成では、第１の弾性電気絶縁材料及び／又は第２の弾性電気絶縁材料は、熱伝導性であるが電気絶縁性のエラストマーを含み得る。
【００６２】
幾つかの構成では、第１の弾性電気絶縁材料及び／又は第２の弾性電気絶縁材料は、シリコーン又はシリコーン化合物を含み得る。
【００６３】
幾つかの構成では、第１の弾性電気絶縁材料及び／又は第２の弾性電気絶縁材料は、ガラス繊維基材と、基材に埋め込まれた又は基材上に配置された熱伝導性材料とを含み得る。
【００６４】
幾つかの構成では、第１の弾性電気絶縁材料及び／又は第２の弾性電気絶縁材料は、少なくとも４０００Ｖ  ＡＣの破壊電圧を有し得る。
【００６５】
幾つかの構成では、第１の弾性電気絶縁材料及び／又は第２の弾性電気絶縁材料は、少なくとも６０００Ｖ  ＡＣの破壊電圧を有し得る。
【００６６】
幾つかの構成では、第１の弾性電気絶縁材料及び／又は第２の弾性電気絶縁材料は、少なくとも１．８Ｗ／（ｍ．Ｋ）の熱伝導率を有し得る。
【００６７】
幾つかの構成では、第１の弾性電気絶縁材料及び／又は第２の弾性電気絶縁材料は、複数層ヒータプレートアセンブリの構成要素間のエアギャップを変位させるように構成されたコンプライアント材料を含み得る。
【００６８】
幾つかの構成では、上部加熱プレートは、金属を含み得る。
【００６９】
幾つかの構成では、上部加熱プレートは、下面上の空洞と、呼吸器加湿器の加湿器チャンバのベースに接触するために露出した上面とを含み得る。
【００７０】
幾つかの構成では、上部加熱プレートは、少なくとも１つの温度センサを受け入れるように構成されたセンサ取付ブロックを含み得る。
【００７１】
幾つかの構成では、センサ取付ブロックは、２つの温度センサを受け入れるように構成され得る。
【００７２】
幾つかの構成では、少なくとも１つの温度センサは、サーミスタを含み得る。
【００７３】
幾つかの構成では、安全機能部は、サーマルカットオフユニットを含み得る。
【００７４】
幾つかの構成では、下部プレートは、安全機能部を支持するためのプラットフォームを含み得る。
【００７５】
幾つかの構成では、安全機能部は、ねじによってプラットフォームに固定され得る。
【００７６】
幾つかの構成では、プラットフォームは、下部プレートの残部から突出することができる。
【００７７】
幾つかの構成では、下部プレートは、加熱要素からの安全機能部の隔離を向上させるために、安全機能部が下部プレートに結合される場所にスロットを含み得る。
【００７８】
幾つかの構成では、下部プレートは、スロットの長さに沿って切抜段部を更に含み得る。
【００７９】
幾つかの構成では、スロットはＬ字形であり得る。
【００８０】
幾つかの構成では、スロットは、加熱要素の周縁部で又は周縁部の近辺で終端することができる。
【００８１】
幾つかの構成では、スロットは、二重絶縁機構の周縁部を越えて半径方向外向きに延びることができる。
【００８２】
幾つかの構成では、下部プレートは、ヒータプレートアセンブリが組み立てられたときに、センサ取付ブロックの近辺に切抜段部を含み得る。
【００８３】
幾つかの構成では、呼吸器加湿器用の複数層ヒータプレートアセンブリは、上部加熱プレートと、熱を発生させるように構成された加熱要素であって、上部加熱プレートより下に位置する加熱要素と、上部加熱プレートと加熱要素との間の熱インターフェース層であって、上部加熱プレートと加熱要素との間のエアギャップを変位させるように構成されたコンプライアント熱インターフェース材料を含む、熱インターフェース層と、を含み得る。
【００８４】
幾つかの構成では、熱インターフェース層は、上部加熱プレートと加熱要素との間の熱伝導率を向上させるために、上部加熱プレートと加熱要素との間のエアギャップを変位させるように構成され得る。
【００８５】
幾つかの構成では、複数層ヒータプレートアセンブリは、１つ以上の締結具によって互いに取り外し可能に結合され得る。
【００８６】
幾つかの構成では、複数層ヒータプレートアセンブリは、下部プレートを含むことができ、加熱要素は、上部加熱プレート及び下部プレートによって画定される。
【００８７】
幾つかの構成では、熱インターフェース層は、電気絶縁を提供するのに十分な厚さを含み得る。
【００８８】
幾つかの構成では、複数層ヒータプレートアセンブリは、下部プレートと上部加熱プレートとの間に加熱要素及び熱インターフェース層がある状態で、下部プレートを上部加熱プレートにボルト締めすることによって形成され得る。
【００８９】
幾つかの構成では、上部加熱プレートは、少なくとも１つの温度センサを受け入れるように構成されたセンサ取付ブロックを含み得る。
【００９０】
幾つかの構成では、センサ取付ブロックは、２つの温度センサを受け入れるように構成され得る。
【００９１】
幾つかの構成では、少なくとも１つの温度センサは、サーミスタを含み得る。
【００９２】
幾つかの構成では、複数層ヒータプレートアセンブリは、下部プレートに結合された安全機能部を更に含み得る。
【００９３】
幾つかの構成では、安全機能部は、サーマルカットオフユニットを含み得る。
【００９４】
幾つかの構成では、下部プレートは、安全機能部を支持するためのプラットフォームを含み得る。
【００９５】
幾つかの構成では、安全機能部は、ねじによってプラットフォームに固定され得る。
【００９６】
幾つかの構成では、プラットフォームは、下部プレートの残部から突出することができる。
【００９７】
幾つかの構成では、下部プレートは、加熱要素からの安全機能部の隔離を向上させるために、安全機能部が下部プレートに結合される場所にスロットを含み得る。
【００９８】
幾つかの構成では、下部プレートは、スロットの長さに沿って切抜段部を更に含み得る。
【００９９】
幾つかの構成では、スロットはＬ字形であり得る。
【０１００】
幾つかの構成では、スロットは、加熱要素の周縁部で又は周縁部の近辺で終端することができる。
【０１０１】
幾つかの構成では、スロットは、熱インターフェース層の周縁部を越えて半径方向外向きに延びることができる。
【０１０２】
幾つかの構成では、下部プレートは、ヒータプレートアセンブリが組み立てられたときに、センサ取付ブロックの近辺に切抜段部を含み得る。
【０１０３】
幾つかの構成では、熱インターフェース層は、５０〜１００のショア００硬度スケールを有し得る。
【０１０４】
幾つかの構成では、熱インターフェース層は、７０〜９０のショア００硬度スケールを有し得る。
【０１０５】
幾つかの構成では、熱インターフェース層は、８０のショア００硬度スケールを有し得る。
【０１０６】
幾つかの構成では、熱インターフェース材料は電気絶縁性であり得る。
【０１０７】
幾つかの構成では、複数層ヒータプレートアセンブリは、複数層ヒータプレートアセンブリの構成要素間のエアギャップを変位させるように構成されたコンプライアント絶縁材料の第２層を更に含み得る。
【０１０８】
幾つかの構成では、第２の熱インターフェース層は、加熱要素と下部プレートとの間に位置し得る。
【０１０９】
幾つかの構成では、第２の熱インターフェース層は、上部加熱プレートと下部プレートとの間に位置し得る。
【０１１０】
幾つかの構成では、複数層ヒータプレートアセンブリは、少なくとも１つの非可撓性電気絶縁層を含み得る。
【０１１１】
幾つかの構成では、少なくとも１つの非可撓性電気絶縁層は、コンプライアント熱インターフェース層と加熱要素との間に位置し得る。
【０１１２】
幾つかの構成では、複数層ヒータプレートアセンブリは、加熱要素と下部プレートとの間に少なくとも１つの非可撓性電気絶縁層を含み得る。
【０１１３】
幾つかの構成では、複数層ヒータプレートアセンブリは、加熱要素と下部プレートとの間に２つの非可撓性電気絶縁層を含み得る。
【０１１４】
幾つかの構成では、少なくとも１つの非可撓性電気絶縁層は、マイカを含み得る。
【０１１５】
幾つかの構成では、第２の熱インターフェース層は、導電性であり得る。
【０１１６】
幾つかの構成では、コンプライアント熱インターフェース材料は、熱伝導性であるが電気絶縁性のエラストマーを含み得る。
【０１１７】
幾つかの構成では、コンプライアント熱インターフェース材料は、シリコーン又はシリコーン化合物を含み得る。
【０１１８】
幾つかの構成では、コンプライアント熱インターフェース材料は、ガラス繊維基材と、基材に埋め込まれた又は基材上に配置された熱伝導性材料とを含み得る。
【０１１９】
幾つかの構成では、コンプライアント熱インターフェース材料は、少なくとも４０００Ｖ  ＡＣの破壊電圧を有し得る。
【０１２０】
幾つかの構成では、コンプライアント熱インターフェース材料は、少なくとも６０００Ｖ  ＡＣの破壊電圧を有し得る。
【０１２１】
幾つかの構成では、コンプライアント熱インターフェース材料は、少なくとも１．８Ｗ／（ｍ．Ｋ）の熱伝導率を有し得る。
【０１２２】
幾つかの構成では、コンプライアント熱インターフェース材料は、弾性であり得る。
【０１２３】
幾つかの構成では、呼吸器加湿器用の複数層ヒータプレートアセンブリは、上部加熱プレートと、下部プレートと、熱を発生させるように構成された加熱要素であって、上部加熱プレート及び下部プレートによって画定される加熱要素と、下部プレートと上部加熱プレートとの間にあり、下部プレートと上部加熱プレートとの間のエアギャップを変位させるように構成されたコンプライアント熱インターフェース層と、を含み得る。
【０１２４】
幾つかの構成では、複数層ヒータプレートアセンブリは、１つ以上の締結具によって互いに取り外し可能に結合され得る。
【０１２５】
幾つかの構成では、複数層ヒータプレートアセンブリは、下部プレートと上部加熱プレートとの間に加熱要素及び二重電気絶縁機構がある状態で、下部プレートを上部加熱プレートにボルト締めすることによって形成され得る。
【０１２６】
幾つかの構成では、上部加熱プレートは、少なくとも１つの温度センサを受け入れるように構成されたセンサ取付ブロックを含み得る。
【０１２７】
幾つかの構成では、センサ取付ブロックは、２つの温度センサを受け入れるように構成され得る。
【０１２８】
幾つかの構成では、少なくとも１つの温度センサは、サーミスタを含み得る。
【０１２９】
幾つかの構成では、複数層ヒータプレートアセンブリは、下部プレートに結合された安全機能部を更に含み得る。
【０１３０】
幾つかの構成では、安全機能部は、サーマルカットオフユニットを含み得る。
【０１３１】
幾つかの構成では、下部プレートは、安全機能部を支持するためのプラットフォームを含み得る。
【０１３２】
幾つかの構成では、安全機能部は、ねじによってプラットフォームに固定され得る。
【０１３３】
幾つかの構成では、プラットフォームは、下部プレートの残部から突出することができる。
【０１３４】
幾つかの構成では、下部プレートは、加熱要素からの安全機能部の隔離を向上させるために、安全機能部が下部プレートに結合される場所にスロットを含み得る。
【０１３５】
幾つかの構成では、下部プレートは、スロットの長さに沿って切抜段部を更に含み得る。
【０１３６】
幾つかの構成では、スロットはＬ字形であり得る。
【０１３７】
幾つかの構成では、スロットは、加熱要素の周縁部で又は周縁部の近辺で終端することができる。
【０１３８】
幾つかの構成では、スロットは、コンプライアント熱インターフェース層の周縁部を越えて半径方向外向きに延びることができる。
【０１３９】
幾つかの構成では、下部プレートは、ヒータプレートアセンブリが組み立てられたときに、センサ取付ブロックの近辺に切抜段部を含み得る。
【０１４０】
幾つかの構成では、コンプライアント熱インターフェース層は、下部プレートの縁部と上部加熱プレートとの間のエアギャップを変位させるように構成され得る。
【０１４１】
幾つかの構成では、コンプライアント熱インターフェース層は、５０〜１００のショア００硬度スケールを有し得る。
【０１４２】
幾つかの構成では、コンプライアント熱インターフェース層は、７０〜９０のショア００硬度スケールを有し得る。
【０１４３】
幾つかの構成では、コンプライアント熱インターフェース層は、８０のショア００硬度スケールを有し得る。
【０１４４】
幾つかの構成では、コンプライアント熱インターフェース層は電気絶縁性であり得る。
【０１４５】
幾つかの構成では、複数層ヒータプレートアセンブリは、上部加熱プレートと加熱要素との間のエアギャップを変位させるように構成された第２の熱インターフェース層を含み得る。
【０１４６】
幾つかの構成では、第２の熱インターフェース層は、導電性であり得る。
【０１４７】
幾つかの構成では、複数層ヒータプレートアセンブリは、少なくとも１つの非可撓性電気絶縁層を含み得る。
【０１４８】
幾つかの構成では、少なくとも１つの非可撓性電気絶縁層は、マイカを含み得る。
【０１４９】
幾つかの構成では、少なくとも１つの非可撓性電気絶縁層は、コンプライアント熱インターフェース層と加熱要素との間に位置し得る。
【０１５０】
幾つかの構成では、少なくとも１つの非可撓性電気絶縁層は、加熱要素と下部プレートとの間に位置し得る。
【０１５１】
幾つかの構成では、コンプライアント熱インターフェース層は、熱伝導性であるが電気絶縁性のエラストマーを含み得る。
【０１５２】
幾つかの構成では、コンプライアント熱インターフェース層は、シリコーン又はシリコーン化合物を含み得る。
【０１５３】
幾つかの構成では、コンプライアント熱インターフェース層は、ガラス繊維基材と、基材に埋め込まれた又は基材上に配置された熱伝導性材料とを含み得る。
【０１５４】
幾つかの構成では、コンプライアント熱インターフェース層は、少なくとも４０００Ｖ  ＡＣの破壊電圧を有し得る。
【０１５５】
幾つかの構成では、コンプライアント熱インターフェース層は、少なくとも６０００Ｖ  ＡＣの破壊電圧を有し得る。
【０１５６】
幾つかの構成では、コンプライアント熱インターフェース層は、少なくとも１．８Ｗ／（ｍ．Ｋ）の熱伝導率を有し得る。
【０１５７】
幾つかの構成では、コンプライアント熱インターフェース層は、弾性であり得る。
【０１５８】
幾つかの構成では、呼吸器加湿器用の複数層ヒータプレートアセンブリは、上部加熱プレートと、熱を発生させるように構成された加熱要素であって、上部加熱プレートより下に位置する加熱要素と、上部加熱プレートと加熱要素との間の熱インターフェース層であって、弾性熱インターフェース材料を含む熱インターフェース層と、を含み得る。
【０１５９】
幾つかの構成では、複数層ヒータプレートアセンブリは、１つ以上の締結具によって互いに取り外し可能に結合され得る。
【０１６０】
幾つかの構成では、複数層ヒータプレートアセンブリは、下部プレートと上部加熱プレートとの間に加熱要素並びに第１及び第２の弾性電気絶縁材料がある状態で、下部プレートを上部加熱プレートにボルト締めすることによって形成され得る。
【０１６１】
幾つかの構成では、弾性電気絶縁材料は、５０〜１００のショア００硬度スケールを有し得る。
【０１６２】
幾つかの構成では、弾性電気絶縁材料は、７０〜９０のショア００硬度スケールを有し得る。
【０１６３】
幾つかの構成では、弾性電気絶縁材料は、８０のショア００硬度スケールを有し得る。
【０１６４】
幾つかの構成では、複数層ヒータプレートアセンブリは、非可撓性電気絶縁層を含み得る。
【０１６５】
幾つかの構成では、非可撓性電気絶縁層は、マイカを含み得る。
【０１６６】
幾つかの構成では、弾性電気絶縁材料は、熱伝導性であるが電気絶縁性のエラストマーを含み得る。
【０１６７】
幾つかの構成では、弾性電気絶縁材料は、シリコーン又はシリコーン化合物を含み得る。
【０１６８】
幾つかの構成では、弾性電気絶縁材料は、ガラス繊維基材と、基材に埋め込まれた又は基材上に配置された熱伝導性材料とを含み得る。
【０１６９】
幾つかの構成では、弾性電気絶縁材料は、少なくとも４０００Ｖ  ＡＣの破壊電圧を有し得る。
【０１７０】
幾つかの構成では、弾性電気絶縁材料は、少なくとも６０００Ｖ  ＡＣの破壊電圧を有し得る。
【０１７１】
幾つかの構成では、弾性電気絶縁材料は、少なくとも１．８Ｗ／（ｍ．Ｋ）の熱伝導率を有し得る。
【０１７２】
幾つかの構成では、上部加熱プレートは、金属を含み得る。
【０１７３】
幾つかの構成では、上部加熱プレートは、下面上の空洞と、呼吸器加湿器の加湿器チャンバのベースに接触するために露出した上面とを含み得る。
【０１７４】
幾つかの構成では、上部加熱プレートは、少なくとも１つの温度センサを受け入れるように構成されたセンサ取付ブロックを含み得る。
【０１７５】
幾つかの構成では、センサ取付ブロックは、２つの温度センサを受け入れるように構成され得る。
【０１７６】
幾つかの構成では、少なくとも１つの温度センサは、サーミスタを含み得る。
【０１７７】
幾つかの構成では、複数層ヒータプレートアセンブリは、下部プレートに結合された安全機能部を更に含み得る。
【０１７８】
幾つかの構成では、安全機能部は、サーマルカットオフユニットを含み得る。
【０１７９】
幾つかの構成では、下部プレートは、安全機能部を支持するためのプラットフォームを含み得る。
【０１８０】
幾つかの構成では、安全機能部は、ねじによってプラットフォームに固定され得る。
【０１８１】
幾つかの構成では、プラットフォームは、下部プレートの残部から突出することができる。
【０１８２】
幾つかの構成では、下部プレートは、加熱要素からの安全機能部の隔離を向上させるために、安全機能部が下部プレートに結合される場所にスロットを含み得る。
【０１８３】
幾つかの構成では、下部プレートは、スロットの長さに沿って切抜段部を更に含み得る。
【０１８４】
幾つかの構成では、スロットはＬ字形であり得る。
【０１８５】
幾つかの構成では、スロットは、加熱要素の周縁部で又は周縁部の近辺で終端することができる。
【０１８６】
幾つかの構成では、スロットは、第１の弾性絶縁材料及び／又は第２の弾性絶縁材料の周縁部を越えて半径方向外向きに延びることができる。
【０１８７】
幾つかの構成では、下部プレートは、ヒータプレートアセンブリが組み立てられたときに、センサ取付ブロックの近辺に切抜段部を含み得る。
【０１８８】
幾つかの構成では、医療処置で使用するための加湿器システムは、ベースユニットと、ベースユニット上に受け入れ可能な加湿器チャンバと、を含むことができ、ベースユニットは、上述の複数層ヒータプレートアセンブリ例のいずれかを含み得る。
【０１８９】
幾つかの構成では、加湿器チャンバは伝導性ベースを含むことができ、加湿器チャンバがベースユニット上に配置されると、伝導性ベースはヒータプレートアセンブリと強制的に接触させられる。
【０１９０】
幾つかの構成では、ヒータプレートアセンブリは、チャンバを通過するガスを加湿するために、加湿器チャンバを加熱してチャンバの内容物を加熱することができる。
【０１９１】
幾つかの構成では、システムは、加湿器チャンバから患者インターフェースにガスを搬送するように構成されたチューブを含み得る。
【０１９２】
幾つかの構成では、医療処置で使用するための加湿器システムは、加湿器チャンバを受け入れるように構成されたハウジングと、ハウジング内に少なくとも部分的に位置するヒータプレートアセンブリであって、ヒータプレートアセンブリは、上部加熱プレートであって、加湿器チャンバがハウジングによって受け入れられると加湿器チャンバのベースに接触するように構成されている、上部加熱プレートと、上部加熱プレートに又は上部加熱プレートの近辺に位置するサーミスタと、熱を発生させるように構成された加熱要素と、上部加熱プレートと加熱要素との間の電気絶縁機構と、を含む、ヒータプレートアセンブリと、を含むことができ、電気絶縁機構は、加熱要素への電力信号によって発生した熱が上部加熱プレートに伝達されるように、加熱要素と上部加熱プレートとを熱的に結合することができる。
【０１９３】
幾つかの構成では、電気絶縁機構は、加熱要素と上部加熱プレートとの間の熱的結合を向上させることができる。
【０１９４】
幾つかの構成では、医療処置で使用するための加湿器システムは、加湿器チャンバを受け入れるように構成されたハウジングと、ハウジング内に少なくとも部分的に位置するヒータプレートアセンブリであって、ヒータプレートアセンブリは、上部加熱プレートであって、加湿器チャンバがハウジングによって受け入れられると加湿器チャンバのベースに接触するように構成されている、上部加熱プレートと、上部加熱プレートに又は上部加熱プレートの近辺に位置するサーミスタと、熱を発生させるように構成された加熱要素と、上部加熱プレートと加熱要素との間の電気絶縁機構とを含む、ヒータプレートアセンブリと、を含むことができ、電気絶縁機構は、加熱要素への電力信号によって発生した熱が上部加熱プレートに伝達されるように、加熱要素と上部加熱プレートとを熱的に結合することができる。幾つかの構成では、電気絶縁機構は、加熱要素と上部加熱プレートとの間の熱的結合を向上させることができる。
【０１９５】
幾つかの構成では、電気絶縁機構は、可撓性又はコンプライアント絶縁シートを含み得る。
【０１９６】
幾つかの構成では、電気絶縁機構は、弾性絶縁シートを含み得る。
【０１９７】
幾つかの構成では、電気絶縁機構は、上部加熱プレートと加熱要素との間のエアギャップを変位させるように構成されたコンプライアント絶縁シートを含み得る。
【０１９８】
幾つかの構成では、可撓性又はコンプライアント絶縁シートは、加熱要素から上部加熱プレートへの熱伝導を向上させることができる。
【０１９９】
幾つかの構成では、電気絶縁シートは、加熱要素から上部加熱プレートへの熱伝導を向上させることができる。
【０２００】
幾つかの構成では、可撓性又はコンプライアント絶縁シートは、ヒータプレートアセンブリの構成要素間の熱伝導率が向上するように、ヒータプレートアセンブリの静電容量を低減させることができる。
【０２０１】
幾つかの構成では、電気絶縁シートは、ヒータプレートアセンブリの構成要素間の熱伝導率が向上するように、ヒータプレートアセンブリの静電容量を低減させることができる。
【０２０２】
幾つかの構成では、システムは、２つの絶縁要素を含む二重電気絶縁機構を含み得る。
【０２０３】
幾つかの構成では、２つの絶縁要素は、２つの非可撓性絶縁層を含み得る。
【０２０４】
幾つかの構成では、２つの非可撓性絶縁層は、マイカを含み得る。
【０２０５】
幾つかの構成では、２つの絶縁要素は、互いに別々の２つの層を含み得る。
【０２０６】
幾つかの構成では、二重電気絶縁機構は、電気絶縁機構と加熱要素との間に位置し得る。
【０２０７】
幾つかの構成では、電気絶縁機構は、熱伝導性であるが電気絶縁性のエラストマーを含み得る。
【０２０８】
幾つかの構成では、電気絶縁機構は、シリコーン又はシリコーン化合物を含み得る。
【０２０９】
幾つかの構成では、電気絶縁機構は、ガラス繊維基材と、基材に埋め込まれた又は基材上に配置された熱伝導性材料とを含み得る。
【０２１０】
幾つかの構成では、電気絶縁機構は、少なくとも４０００Ｖ  ＡＣの破壊電圧を有する材料を含む。
【０２１１】
幾つかの構成では、電気絶縁機構は、少なくとも６０００Ｖ  ＡＣの破壊電圧を有する材料を含み得る。
【０２１２】
幾つかの構成では、電気絶縁機構は、少なくとも１．８Ｗ／（ｍ．Ｋ）の熱伝導率を有する材料を含み得る。
【０２１３】
幾つかの構成では、絶縁機構は、加湿器チャンバ内の低水状態又は水切れ状態を検知するために電力信号に印加される波形が、電力が低減された波形であり得るように、加熱要素と上部加熱プレートとの間の熱的結合を向上させることができる。幾つかの構成では、絶縁機構は、加湿器チャンバ内の低水状態又は水切れ状態を検知するために電力信号に注入される波形が、電力が低減された波形であり得るように、加熱要素と上部加熱プレートとの間の熱的結合を向上させることができる。
【０２１４】
幾つかの構成では、電気絶縁機構は、サーミスタの温度表示値が加湿器チャンバ内の水の温度により良好に対応するように、加熱要素と上部加熱プレートとの間の熱的結合を向上させることができる。
【０２１５】
幾つかの構成では、ヒータプレートアセンブリは、下部プレートを含むことができ、加熱要素及び電気絶縁機構は、下部プレートと上部加熱プレートとの間に画定され得る。
【０２１６】
幾つかの構成では、下部プレートは、電気絶縁機構に接触することができる。
【０２１７】
幾つかの構成では、ヒータプレートアセンブリは、上部加熱プレートと下部プレートとの間に可撓性又はコンプライアント絶縁シートを含み得る。
【０２１８】
幾つかの構成では、ヒータプレートアセンブリは、上部加熱プレートと下部プレートとの間に可撓性電気絶縁シートを含み得る。
【０２１９】
幾つかの構成では、ヒータプレートアセンブリは、上部加熱プレートと下部プレートとの間に、上部加熱プレートと下部プレートとの間のエアギャップを変位させるように構成されたコンプライアント電気絶縁シートを含み得る。
【０２２０】
幾つかの構成では、上部加熱プレートは、少なくとも１つの温度センサを受け入れるように構成されたセンサ取付ブロックを含み得る。
【０２２１】
幾つかの構成では、センサ取付ブロックは、２つの温度センサを受け入れるように構成され得る。
【０２２２】
幾つかの構成では、温度センサは、サーミスタを含み得る。
【０２２３】
幾つかの構成では、安全機能部は、サーマルカットオフユニットを含み得る。
【０２２４】
幾つかの構成では、下部プレートは、安全機能部を支持するためのプラットフォームを含み得る。
【０２２５】
幾つかの構成では、安全機能部は、ねじによってプラットフォームに固定され得る。
【０２２６】
幾つかの構成では、プラットフォームは、下部プレートの残部から突出することができる。
【０２２７】
幾つかの構成では、下部プレートは、加熱要素からの安全機能部の隔離を向上させるために、安全機能部が下部プレートに結合される場所にスロットを含み得る。
【０２２８】
幾つかの構成では、下部プレートは、スロットの長さに沿って切抜段部を更に含み得る。
【０２２９】
幾つかの構成では、スロットはＬ字形であり得る。
【０２３０】
幾つかの構成では、スロットは、加熱要素の周縁部で又は周縁部の近辺で終端することができる。
【０２３１】
幾つかの構成では、スロットは、二重絶縁機構の周縁部を越えて半径方向外向きに延びることができる。
【０２３２】
幾つかの構成では、下部プレートは、ヒータプレートアセンブリが組み立てられたときに、センサ取付ブロックの近辺に切抜段部を含み得る。
【０２３３】
幾つかの構成では、低水及び／又は水切れ検知を備える呼吸器又は手術用加湿器システムは、１つ以上の加熱要素を含むヒータプレートと、ヒータプレートの１つ以上の加熱要素と電子通信し、ヒータプレートの１つ以上の加熱要素に通電するように構成されているハードウェアコントローラと、を含む、ベースユニットを含み得る。幾つかの構成では、システムは、容積を画定し、伝導性ベースを含む加湿器チャンバであって、伝導性ベースは、伝導性ベースがヒータプレートに接触するように、ベースユニット上に受け入れ可能であり、加湿器チャンバは、水位を保つように構成されている、加湿器チャンバを更に含み得る。幾つかの構成では、ハードウェアコントローラは、加湿器チャンバの比熱容量を推測することができる値を決定し、決定された、比熱容量を推測することができる値に少なくとも一部基づいて、低水又は水切れ状態を決定するように構成され得る。
【０２３４】
幾つかの構成では、ハードウェアコントローラは、加湿器チャンバの比熱容量値を決定し、決定された比熱容量値に少なくとも一部基づいて、低水又は水切れ状態を決定するように構成され得る。
【０２３５】
幾つかの構成では、ハードウェアコントローラは、決定された比熱容量値が閾値未満であることに応答して、低水又は水切れ状態が存在すると決定することができる。幾つかの構成では、ハードウェアコントローラは、決定された、比熱容量を推測することができる値が閾値未満であることに応答して、低水又は水切れ状態が存在すると決定することができる。
【０２３６】
幾つかの構成では、ハードウェアコントローラは、比熱容量値を連続的に決定することができる。幾つかの構成では、ハードウェアコントローラは、比熱容量を推測することができる値を連続的に決定することができる。
【０２３７】
幾つかの構成では、ハードウェアコントローラは、比熱容量値を断続的に決定することができる。幾つかの構成では、ハードウェアコントローラは、比熱容量を推測することができる値を断続的に決定することができる。
【０２３８】
幾つかの構成では、比熱容量値は、数値スコアとして決定され得る。幾つかの構成では、比熱容量を推測することができる値は、数値スコアであり得る。
【０２３９】
幾つかの構成では、システムは、ヒータプレートに結合された又は隣接する温度センサを含むことができ、温度センサは、ヒータプレートの温度を決定する。
【０２４０】
幾つかの構成では、温度センサは、サーミスタを含み得る。
【０２４１】
幾つかの構成では、温度センサは、２つのサーミスタを含むことができ、各サーミスタは、分圧器として機能する。
【０２４２】
幾つかの構成では、ハードウェアコントローラは、２つのサーミスタの電圧表示値から温度値を決定することができる。
【０２４３】
幾つかの構成では、ハードウェアコントローラは、温度センサの温度表示値に基づいて、比熱容量値を決定することができる。幾つかの構成では、ハードウェアコントローラは、温度センサの温度表示値に基づいて、比熱容量を推測することができる値を決定することができる。
【０２４４】
幾つかの構成では、ハードウェアコントローラは、ヒータプレートの１つ以上の加熱要素に特性通電信号を印加し、特性通電信号に対応する、温度センサからの温度信号を処理し、温度信号に基づいて、比熱容量値を決定し、決定された比熱容量値が閾値未満であることに応答して、低水又は水切れ警告を出力するように構成されている。幾つかの構成では、ハードウェアコントローラは、温度信号に基づいて、比熱容量を推測することができる値を決定し、決定された、比熱容量を推測することができる値が閾値未満であることに応答して、低水又は水切れ警告を出力するように構成されている。
【０２４５】
幾つかの構成では、ハードウェアコントローラは、特性通電信号を連続的に印加するように構成され得る。幾つかの構成では、ハードウェアコントローラは、特性通電信号を断続的に印加するように構成され得る。
【０２４６】
幾つかの構成では、ハードウェアコントローラは、特性通電信号をヒータプレート制御信号に印加するように構成され得る。幾つかの構成では、特性通電信号は、ヒータプレート制御信号に注入されることによって印加され得る。幾つかの構成では、ハードウェアコントローラは、ヒータプレート制御信号を提供する電力制御ラインに特性通電信号を印加するように構成され得る。
【０２４７】
幾つかの構成では、特性通電信号は、ヒータプレート制御信号よりも周波数が高くなり得る。
【０２４８】
幾つかの構成では、ハードウェアコントローラは、特性通電信号の周波数に対応する温度測定値を通過させることができるように、温度センサの温度測定値を、特性通電信号の周波数に対応するフィルタ周波数を有するバンドパスフィルタ又はハイパスフィルタなどのフィルタに通過させることができる。幾つかの構成では、フィルタは、ホモダインなどの直接変換受信機、又は無限インパルス応答フィルタであり得る。
【０２４９】
幾つかの構成では、特性通電信号の周波数に対応する温度測定値を使用して、比熱容量値を決定することができる。幾つかの構成では、特性通電信号の周波数に対応する温度測定値を使用して、比熱容量を推測することができる値を決定することができる。
【０２５０】
幾つかの構成では、ヒータプレートは、上述のヒータプレートアセンブリ例のいずれかを含み得る。
【０２５１】
幾つかの構成では、システムは、医療処置で使用するための上述の加湿器システムの１つ以上の特徴を含み得る。
【０２５２】
幾つかの構成では、低水及び／又は水切れ検知を備える呼吸器又は手術用加湿器システムは、１つ以上の加熱要素を含むヒータプレートと、ヒータプレートの１つ以上の加熱要素と電子通信し、ヒータプレートの１つ以上の加熱要素に通電するように構成されているハードウェアコントローラと、ヒータプレートに結合された又は隣接する温度センサであって、ヒータプレートの温度を示す信号を発生するように構成されている温度センサと、を含む、ベースユニットを含み得る。幾つかの構成では、システムは、容積を画定し、伝導性ベースを含む加湿器チャンバであって、伝導性ベースは、伝導性ベースがヒータプレートに接触するように、ベースユニット上に受け入れ可能であり、加湿器チャンバは、水位を保つように構成されている、加湿器チャンバを含み得る。幾つかの構成では、ハードウェアコントローラは、ヒータプレートの１つ以上の加熱要素に特性通電信号を印加し、特性通電信号に対する応答を示す信号を受信し、通電信号に対する応答を示す受信信号の大きさ及び／又は位相に基づいて、低水又は水切れ状態を決定するように構成され得る。
【０２５３】
幾つかの構成では、ハードウェアコントローラは、ヒータプレートの１つ以上の加熱要素に特性通電信号を印加し、特性通電信号に対する応答を示す信号を受信し、通電信号に対する応答を示す受信信号の大きさ及び／又は位相に基づいて、低水又は水切れ状態を決定するように構成され得る。
【０２５４】
幾つかの構成では、決定された、閾値を上回る大きさは、低水又は水切れ状態を示すことができる。
【０２５５】
幾つかの構成では、決定された、閾値を満たす大きさ及び／又は位相は、低水又は水切れ状態を示すことができる。
【０２５６】
幾つかの構成では、大きさ及び／又は位相の二次元表現の既定の領域の範囲外又は範囲内である、決定された大きさ及び／又は位相は、低水又は水切れ状態を示すことができる。
【０２５７】
幾つかの構成では、大きさは、加湿器チャンバの比熱容量に反比例し得る。
【０２５８】
幾つかの構成では、ハードウェアコントローラは、特性周波数の特性通電信号を印加するように構成され得る。
【０２５９】
幾つかの構成では、特性周波数は、ハードウェアコントローラがヒータプレートの１つ以上の加熱要素に通電する通常動作周波数よりも高くされ得る。幾つかの構成では、特性周波数は、ハードウェアコントローラがヒータプレートの１つ以上の加熱要素に通電するヒータプレート制御動作周波数よりも高くされ得る。
【０２６０】
幾つかの構成では、特性通電信号は、通常動作周波数の少なくとも１．５倍の周波数であり得る。幾つかの構成では、特性通電信号は、ヒータプレート制御動作周波数の少なくとも１．５倍の周波数であり得る。
【０２６１】
幾つかの構成では、ハードウェアコントローラは、特性通電信号を発生し、印加するように構成された信号発生器を含み得る。
【０２６２】
幾つかの構成では、ハードウェアコントローラは、特性通電信号をヒータプレート制御信号に印加するように構成され得る。幾つかの構成では、特性通電信号は、ヒータプレート制御信号に注入されることによって印加され得る。幾つかの構成では、ハードウェアコントローラは、ヒータプレート制御信号を提供する電力制御ラインに特性通電信号を印加するように構成され得る。
【０２６３】
幾つかの構成では、ハードウェアコントローラは、フィルタを含むことができ、フィルタは、ヒータプレートの温度を示す信号をフィルタリングし、通電信号に対する応答を示す信号を得る。
【０２６４】
幾つかの構成では、フィルタは、バンドパスフィルタ又はハイパスフィルタであり得る。幾つかの構成では、フィルタは、ホモダインなどの直接変換受信機、又は無限インパルス応答フィルタであり得る。
【０２６５】
幾つかの構成では、バンドパスフィルタは、特性通電信号の周波数に対応する帯域内のヒータプレートの温度を示す信号をフィルタリングすることができる。
【０２６６】
幾つかの構成では、特性通電信号の周波数において、閾値を超えるヒータプレートの温度を示す信号の大きさは、低水又は水切れ状態を示すことができる。
【０２６７】
幾つかの構成では、ヒータプレートの温度を示す受信信号は、ヒータプレートの温度を示す信号の周波数応答を含むことができ、ハードウェアコントローラは、周波数応答に基づいて、低水又は水切れ状態を決定するように構成されている。
【０２６８】
幾つかの構成では、特性通電信号に対する応答を示す受信信号の大きさを処理してスコアを決定することができ、スコアが閾値を上回る場合、スコアは、低水又は水切れ状態を示すことができる。
【０２６９】
幾つかの構成では、スコアは、特性通電信号に対する応答を示す受信信号の２乗又は２乗平均平方根（ＲＭＳ：ｒｏｏｔ−ｍｅａｎ  ｓｑｕａｒｅｄ）温度値を得、特性通電信号に対する応答を示す受信信号を、受信信号をローパスフィルタに通過させることにより滑らかにし、スコアを計算することによって決定され得る。
【０２７０】
幾つかの構成では、特性通電信号は、３乗の三角波（ｃｕｂｅｄ  ｔｒｉａｎｇｌｅ  ｗａｖｅ）を含み得る。波は、ハードウェアコントローラのパルス幅変調（ＰＷＭ：ｐｕｌｓｅ−ｗｉｄｔｈ  ｍｏｄｕｌａｔｉｏｎ）モジュールによって印加されてもよい。
【０２７１】
幾つかの構成では、特性通電信号は、ゼロ平均信号であり得る。
【０２７２】
幾つかの構成では、ヒータプレートは、上述のヒータプレートアセンブリ例及び複数層ヒータプレートアセンブリ例のいずれかを含み得る。
【０２７３】
幾つかの構成では、システムは、医療処置で使用するための上述の加湿器システムの１つ以上の特徴を含み得る。
【０２７４】
幾つかの構成では、呼吸器又は手術用加湿器システムの加湿器チャンバの低水又は水切れ状態を検知する方法は、呼吸器又は手術用加湿器システムのベースユニット内のハードウェアコントローラを使用して、加湿器チャンバの比熱容量値を決定することであって、加湿器チャンバは、容積を画定し、水位を保つことができ、加湿器チャンバは伝導性ベースを含むことができ、伝導性ベースは、伝導性ベースがベースユニットのヒータプレートに接触するように、ベースユニット上に受け入れ可能であり、ヒータプレートは、１つ以上の加熱要素を含み、１つ以上の加熱要素は、ハードウェアコントローラと電子通信し、ハードウェアコントローラによって通電されるように構成されている、ことと、決定された比熱容量値に少なくとも一部基づいて、低水又は水切れ状態を決定することと、を含み得る。
【０２７５】
幾つかの構成では、呼吸器又は手術用加湿器システムの加湿器チャンバの低水又は水切れ状態を検知する方法は、呼吸器又は手術用加湿器システムのベースユニット内のハードウェアコントローラを使用して、加湿器チャンバの比熱容量を推測することができる値を決定することであって、加湿器チャンバは、容積を画定し、水位を保つことができ、加湿器チャンバは伝導性ベースを含むことができ、伝導性ベースは、伝導性ベースがベースユニットのヒータプレートに接触するように、ベースユニット上に受け入れ可能であり、ヒータプレートは、１つ以上の加熱要素を含み、１つ以上の加熱要素は、ハードウェアコントローラと電子通信し、ハードウェアコントローラによって通電されるように構成されている、ことと、決定された、比熱容量を推測することができる値に少なくとも一部基づいて、低水又は水切れ状態を決定することと、を含み得る。
【０２７６】
幾つかの構成では、決定された比熱容量値が閾値未満であることは、低水又は水切れ状態を示すことができる。幾つかの構成では、決定された、比熱容量を推測することができる値が閾値未満であることは、低水又は水切れ状態を示すことができる。
【０２７７】
幾つかの構成では、方法は、比熱容量値を連続的に決定することを含み得る。幾つかの構成では、方法は、比熱容量を推測することができる値を連続的に決定することを含み得る。
【０２７８】
幾つかの構成では、方法は、比熱容量値を断続的に決定することを含み得る。幾つかの構成では、方法は、比熱容量を推測することができる値を断続的に決定することを含み得る。
【０２７９】
幾つかの構成では、方法は、比熱容量値を数値スコアとして決定することを含み得る。幾つかの構成では、方法は、比熱容量を推測することができる値を、数値スコアとして決定することを含み得る。
【０２８０】
幾つかの構成では、呼吸器又は手術用加湿器システムは、ヒータプレートに結合された又は隣接する温度センサを含むことができ、温度センサは、ヒータプレートの温度を決定するように構成されている。
【０２８１】
幾つかの構成では、温度センサは、サーミスタを含み得る。
【０２８２】
幾つかの構成では、温度センサは、２つのサーミスタを含むことができ、各サーミスタは、分圧器として機能する。
【０２８３】
幾つかの構成では、方法は、２つのサーミスタの電圧表示値による温度値を、式を用いて変換することを含み得る。
【０２８４】
幾つかの構成では、方法は、温度センサの温度表示値に基づいて比熱容量値を決定することを含み得る。幾つかの構成では、方法は、温度センサの温度表示値に基づいて、比熱容量を推測することができる値を決定することを含み得る。
【０２８５】
幾つかの構成では、方法は、ヒータプレートの１つ以上の加熱要素に特性通電信号を印加することと、特性通電信号に対応する、温度センサからのフィルタリングされた温度信号を処理することと、温度信号に基づいて、比熱容量値を決定することと、決定された比熱容量値が閾値未満であることに応答して、低水又は水切れ警告を出力することと、を更に含み得る。幾つかの構成では、方法は、ヒータプレートの１つ以上の加熱要素に特性通電信号を印加することと、特性通電信号に対応する、温度センサからのフィルタリングされた温度信号を処理することと、温度信号に基づいて、比熱容量を推測することができる値を決定することと、決定された、比熱容量を推測することができる値が閾値未満であることに応答して、低水又は水切れ警告を出力することと、を更に含み得る。
【０２８６】
幾つかの構成では、方法は、特性通電信号を連続的に印加することを含み得る。幾つかの構成では、方法は、特性通電信号を断続的に印加することを含み得る。
【０２８７】
幾つかの構成では、方法は、ヒータプレート制御信号を提供する電力制御ラインに特性通電信号を印加することを含み得る。
【０２８８】
幾つかの構成では、特性通電信号は、ヒータプレート制御信号に印加され得る。幾つかの構成では、特性通電信号は、ヒータプレート制御信号に注入されることによって印加され得る。
【０２８９】
幾つかの構成では、特性通電信号は、ヒータプレート制御信号よりも周波数が高くなり得る。
【０２９０】
幾つかの構成では、方法は、特性通電信号の周波数に対応する温度測定値を通過させるように、温度センサの温度測定値をフィルタに通過させることを含み得る。幾つかの構成では、方法は、特性通電信号の周波数に対応する温度測定値を通過させるように、温度センサの温度測定値を、特性通電信号の周波数に対応するフィルタ周波数を有するバンドパスフィルタに通過させることを含み得る。幾つかの構成では、フィルタは、ハイパスフィルタであり得る。幾つかの構成では、フィルタは、ホモダインなどの直接変換受信機、又は無限インパルス応答フィルタであり得る。
【０２９１】
幾つかの構成では、方法は、特性通電信号の周波数に対応する温度測定値を使用して、比熱容量値を決定することを含み得る。幾つかの構成では、方法は、特性通電信号の周波数に対応する温度測定値を使用して、比熱容量を推測することができる値を決定することを含み得る。
【０２９２】
幾つかの構成では、ヒータプレートは、上述のヒータプレートアセンブリ例及び複数層ヒータプレートアセンブリ例のいずれかを含み得る。
【０２９３】
幾つかの構成では、システムは、医療処置で使用するための上述の加湿器システムの１つ以上の特徴を含み得る。
【０２９４】
幾つかの構成では、非一時的なコンピュータ可読媒体が、処理デバイス上で実行されると処理デバイスに方法を実施させることができるコンピュータ実行可能命令を格納する。
【０２９５】
幾つかの構成では、呼吸器又は手術用加湿器システムの加湿器チャンバの低水又は水切れ状態を検知する方法は、呼吸器又は手術用加湿器システムのベースユニット内のハードウェアコントローラを使用して、ベースユニット内のヒータプレートの１つ以上の加熱要素に特性通電信号を印加することであって、ヒータプレートの１つ以上の加熱要素は、ハードウェアコントローラと電子通信し、ハードウェアコントローラによって通電されるように構成されており、呼吸器又は手術用加湿器システムは、加湿器チャンバを更に含むことができ、加湿器チャンバは、容積を画定し、伝導性ベースを含み、伝導性ベースは、伝導性ベースがヒータプレートに接触するように、ベースユニット上に受け入れ可能であり、加湿器チャンバは、水位を保つことができる、ことと、ヒータプレートに結合された又は隣接する温度センサからの特性通電信号に対する応答を表す信号を受信することと、特性通電信号に対する応答を示す受信信号の大きさに基づいて、低水又は水切れ状態を決定することと、を含み得る。幾つかの構成では、方法は、特性通電信号に対する応答を示す受信信号の大きさ及び／又は位相に基づいて、低水又は水切れ状態を決定することを含み得る。
【０２９６】
幾つかの構成では、閾値を上回る大きさは、低水又は水切れ状態を示すことができる。大きさは、加湿器チャンバの比熱容量に反比例し得る。
【０２９７】
幾つかの構成では、決定された、閾値を満たす大きさ及び／又は位相は、低水又は水切れ状態を示すことができる。
【０２９８】
幾つかの構成では、大きさ及び／又は位相の二次元表現の所定の領域の範囲外又は範囲内である、決定された、大きさ及び／又は位相は、低水又は水切れ状態を示すことができる。
【０２９９】
幾つかの構成では、方法は、ヒータプレート制御信号を提供する電力制御ラインに特性通電信号を印加することを含み得る。
【０３００】
幾つかの構成では、特性通電信号は、ヒータプレート制御信号に印加され得る。幾つかの構成では、特性通電信号は、ヒータプレート制御信号に注入されることによって印加され得る。
【０３０１】
幾つかの構成では、方法は、特性通電信号を連続的に印加することを含み得る。幾つかの構成では、方法は、特性通電信号を断続的に印加することを含み得る。
【０３０２】
幾つかの構成では、方法は、特性周波数の特性通電信号を印加することを含み得る。
【０３０３】
幾つかの構成では、特性周波数は、ハードウェアコントローラがヒータプレートの１つ以上の加熱要素に通電する通常動作周波数よりも高くされ得る。幾つかの構成では、特性周波数は、ハードウェアコントローラがヒータプレートの１つ以上の加熱要素に通電するヒータプレート制御動作周波数よりも高くされ得る。
【０３０４】
幾つかの構成では、特性通電信号は、通常動作周波数の少なくとも１．５倍の周波数であり得る。幾つかの構成では、特性通電信号は、ヒータプレート制御動作周波数の少なくとも１．５倍の周波数であり得る。
【０３０５】
幾つかの構成では、ハードウェアコントローラは、特性通電信号を発生し、印加するように構成された信号発生器を含み得る。
【０３０６】
幾つかの構成では、ハードウェアコントローラは、フィルタを含むことができ、フィルタは、ヒータプレートの温度を示す信号をフィルタリングし、特性通電信号に対する応答を示す信号を得る。
【０３０７】
幾つかの構成では、フィルタは、バンドパスフィルタであり得る。幾つかの構成では、フィルタは、ハイパスフィルタであり得る。幾つかの構成では、フィルタは、ホモダインなどの直接変換受信機、又は無限インパルス応答フィルタであり得る。
【０３０８】
幾つかの構成では、バンドパスフィルタは、特性通電信号の周波数に対応する帯域内のヒータプレートの温度を示す信号をフィルタリングすることができる。
【０３０９】
幾つかの構成では、特性通電信号の周波数において、閾値を超えるヒータプレートの温度を示す信号の大きさは、低水又は水切れ状態を示すことができる。
【０３１０】
幾つかの構成では、受信信号は、ヒータプレートの温度を示す信号の周波数応答を含むことができ、ハードウェアコントローラは、周波数応答に基づいて、低水又は水切れ状態を決定するように構成されている。
【０３１１】
幾つかの構成では、方法は、特性通電信号に対する応答を示す受信信号の大きさを処理してスコアを決定することを含むことができ、スコアが閾値を上回る場合、スコアは、低水又は水切れ状態を示すことができる。
【０３１２】
幾つかの構成では、方法は、特性通電に対する応答を示す受信信号の２乗又は２乗平均平方根（ＲＭＳ）温度値を得、特性通電に対する応答を示す受信信号を、受信信号をローパスフィルタに通過させることにより滑らかにし、スコアを計算することによってスコアを決定することを含み得る。
【０３１３】
幾つかの構成では、特性通電信号は、３乗の三角波を含み得る。波は、ハードウェアコントローラのパルス幅変調（ＰＷＭ）モジュールによって印加されてもよい。
【０３１４】
幾つかの構成では、特性通電信号は、ゼロ平均信号であり得る。
【０３１５】
幾つかの構成では、ヒータプレートは、上述のヒータプレートアセンブリ例及び複数層ヒータプレートアセンブリ例のいずれかを含み得る。
【０３１６】
幾つかの構成では、システムは、医療処置で使用するための上述の加湿器システムの１つ以上の特徴を含み得る。
【０３１７】
幾つかの構成では、非一時的なコンピュータ可読媒体が、処理デバイス上で実行されると処理デバイスに方法を実施させることができるコンピュータ実行可能命令を格納する。
【０３１８】
本開示のこれら及び他の特徴、態様、及び利点を、特定の実施形態を概略的に示すことを意図し、本開示を限定しない特定の実施形態の図面を参照しながら記載する。
【図面の簡単な説明】
【０３１９】
【図１Ａ】例示的な呼吸器加湿器システムを概略的に示す。
【図１Ｂ】図１Ａの呼吸器加湿器システムの例示的なヒータベースユニットを概略的に示す。
【図１Ｃ】例示的な呼吸器加湿器システムを概略的に示す。
【図１Ｄ】図１Ｃの呼吸器加湿器システムの例示的なヒータベースユニットを概略的に示す。
【図１Ｅ】図１Ｃのヒータベースユニット及び例示的な呼吸回路加熱要素アダプタの部分図を概略的に示す。
【図２Ａ】別個のブロワユニットとヒータベースユニットを有し、鼻マスクに接続された例示的な呼吸器加湿器システムを概略的に示す。
【図２Ｂ】鼻カニューレに接続された図２Ａの呼吸器加湿器システムを概略的に示す。
【図２Ｃ】一体化されたブロワユニットとヒータベースユニットを有する例示的な呼吸器加湿器システムを概略的に示す。
【図２Ｄ】例示的な手術用送気システムを示す。
【図２Ｅ】例示的な高流量療法システムを示す。
【図３Ａ−３Ｂ】呼吸器加湿器システムの加湿器チャンバ内の低水及び／又は水切れ状態を検知するための例示的なプロセスのフローチャートを示す。
【図３Ｃ】水切れ状態の前及び水切れ状態中の例示的な帰還信号を示すグラフを示す。
【図３Ｄ】水切れ状態を伴う例示的な帰還信号及び水切れ状態を伴わない例示的な帰還信号を時間領域で示す。
【図３Ｅ】水切れ状態を伴う例示的な帰還信号及び水切れ状態を伴わない例示的な帰還信号を周波数領域で示す。
【図３Ｆ】帰還信号の大きさ及び位相を示す例示的なデータ点、並びに帰還信号の大きさに基づいた例示的な水切れ分類境界を示す。
【図３Ｇ】帰還信号の大きさ及び位相を示す例示的なデータ点、並びに帰還信号の位相に基づいた例示的な水切れ分類境界を示す。
【図３Ｈ】帰還信号の大きさ及び位相を示す例示的なデータ点、並びに帰還信号の大きさ及び位相に基づいた２つの例示的な水切れ分類境界を示す。
【図４Ａ】低水及び／又は水切れ状態を検知するための例示的な加湿器システムの系統図を示す。
【図４Ｂ】水切れ状態の前及び水切れ状態中の例示的なヒータプレート温度及び出力露点を時間領域及び周波数領域で示す。
【図４Ｃ】加湿器システムのヒータプレート電力信号に印加する（例えば、注入する）ための補完信号の例示的な波形を示すグラフを示す。
【図４Ｄ】図４Ｂの波形の高調波成分を示すグラフを示す。
【図４Ｅ】加湿器システムの例示的なヒータプレート温度伝達関数を示す。
【図４Ｆ】ヒータプレートの温度信号及び電力信号、ＴHP’及びＰHP’を組み合わせた例示的な波形を示す。
【図４Ｇ】図３Ａの系統図の例示的なバンドフィルタを示す。
【図５Ａ】帰還信号に基づいて低水及び／又は水切れ状態を決定するための例示的なアルゴリズムを示す。
【図５Ｂ】水切れ状態の前及び水切れ状態中の例示的な水切れスコア及び露点を示す。
【図６】帰還信号の大きさを決定するための例示的な漏洩検出器（ｌｅａｋｙ  ｄｅｔｅｃｔｏｒ）を示す。
【図７】異なるチャンバ及び／又は異なる流量における例示的なヒータプレート温度信号ゲイン並びに位相を示す。
【図８Ａ−８Ｂ】加湿器チャンバの低水及び／又は水切れ状態を検知するための例示的な回路モデル又はシステムを示す。
【図８Ｃ】図８Ａ又は図８Ｂのシステムの抵抗項と静電容量項との間の相互作用によって形成された例示的な抵抗器−コンデンサ（ＲＣ）フィルタを示す。
【図８Ｄ】低水及び／又は水切れ状態を検知するための例示的な印加（例えば、注入）波形のクリッピングを示す。
【図９】例示的なヒータプレートアセンブリの分解図を示す。
【図９Ａ】別の例示的なヒータプレートアセンブリの分解図を示す。
【図９Ｂ−９Ｃ】図９Ａの例示的なヒータプレートアセンブリの様々な斜視図を、電源に接続するための線なしで示す。
【図９Ｄ】図９Ｂ及び図９Ｃの例示的なヒータプレートアセンブリの断面図を示す。
【図９Ｅ】例示的なヒータプレートアセンブリの一部分の斜視図を示す。
【図１０】例示的なヒータプレートの積み重ね構成を概略的に示す。
【図１１】別の例示的なヒータプレートの積み重ね構成を概略的に示す。
【図１２Ａ】図１１のヒータプレートの積み重ね構成内の上部加熱プレートの例示的な３次元表現を示す。
【図１２Ｂ−１２Ｃ】図１１のヒータプレートの積み重ね構成内の上部加熱プレートの例示的な３次元表現の様々な図を示す。
【図１２Ｄ−１２Ｅ】図１１のヒータプレートの積み重ね構成内の下部プレートの例示的な３次元表現の様々な図を示す。
【図１２Ｆ】図１２Ｂ〜図１２Ｃの上部加熱プレートの底面図を示す。
【図１２Ｇ】軸線Ｆ−Ｆに沿った図１２Ｆの上部加熱プレートの断面図を示す。
【図１２Ｈ−１２Ｍ】図１２Ｆの上部加熱プレートの側面図、上面図、底部斜視図、上部斜視図、及び底面図を示す。
【図１２Ｎ−１２Ｒ】図１２Ｌの上部加熱プレートと共に使用されるように構成された下部プレートの上面図、上部斜視図、底面図、及び側面図を示す。
【図１３Ａ−１３Ｄ】熱インターフェース材料の動作を概略的に示す。
【図１４】例示的なヒータプレートの積み重ね構成を概略的に示す。
【図１５】例示的なヒータプレートの積み重ね構成を概略的に示す。
【図１６Ａ−１６Ｂ】例示的な加熱要素の第１及び第２の側面図を概略的に示す。
【図１７Ａ−１７Ｅ】図１５のヒータプレートの積み重ね構成内の上部加熱プレートの例示的な３次元表現の様々な図を示す。
【図１８Ａ−１８Ｆ】図１５のヒータプレートの積み重ね構成内の下部プレートの例示的な３次元表現の様々な図を示す。
【図１９Ａ−１９Ｆ】別の例示的な下部プレートの様々な図を示す。
【図２０Ａ】図１９Ａ〜図１９Ｆの例示的な下部プレートを組み込んだヒータプレートアセンブリの底面図を示す。
【図２０Ｂ−２０Ｃ】図２０Ａのヒータプレートアセンブリの様々な断面図を示す。
【図２１Ａ−２１Ｆ】別の例示的な下部プレートの様々な図を示す。
【図２２Ａ−２２Ｂ】図２１Ａ〜図２１Ｆの例示的な下部プレートを組み込んだヒータプレートアセンブリの様々な断面図を示す。
【発明を実施するための形態】
【０３２０】
特定の実施形態及び例を以下に記載するが、当業者であれば、本開示は、具体的に開示される実施形態及び／又は使用並びにそれらの明白な修正物及び等価物を超える範囲に及ぶことを理解するであろう。したがって、本明細書に開示される開示の範囲は、以下に記載する任意の特定の実施形態によって限定されるべきではないものとされる。例えば、本開示で提供される寸法は例であり、限定ではない。
【０３２１】
例示的な呼吸器加湿器システム
本開示は、患者又は使用者に加湿及び／又は加熱ガスを複数モードで供給するように構成された呼吸器又は手術用加湿器システムの例を提供する。モードは、少なくとも侵襲モード（例えば、バイパスした気道又は腹腔鏡下手術を伴う患者用）及び非侵襲モード（例えば、呼吸マスクを装着した患者又は使用者用）を含み得る。各モードは、露点出力設定点として表され得る個別化された湿度出力を有し得る。例えば、使用者は、動作モードを示し得る設定点を選択することができる。非侵襲モードは、摂氏３１度、２９度、２７度、又はその他の設定点を有し得る。侵襲モードは、摂氏３７度又はその他の設定点を有し得る。本明細書に開示されるいくつかの呼吸器加湿器システムはまた、高流量非密閉モード又は当業者に周知の任意の他のモードを含み得る。高流量非密閉モード（本明細書中ではＯｐｔｉｆｌｏｗ（登録商標）モードと呼ばれる）は、Ａｕｃｋｌａｎｄ，Ｎｅｗ  Ｚｅａｌａｎｄに所在のＦｉｓｈｅｒ  ａｎｄ  Ｐａｙｋｅｌ  Ｈｅａｌｔｈｃａｒｅ  ＬｉｍｉｔｅｄによりＯｐｔｉｆｌｏｗ（登録商標）として市販されている。
【０３２２】
図１Ａ及び図１Ｃを参照すると、例示的な呼吸器加湿システム１００、１０１は、ヒータプレート１２０（図１Ｂ及び図１Ｄを参照）を有するヒータベースユニット１０２を含み得る。ヒータプレート１２０は、１つ以上の加熱要素を含み得る。ヒータベースユニット１０２は、ハウジングと、ハウジング内に収容された、加熱要素へのエネルギーの供給を制御するためのコントローラ（例えば、マイクロプロセッサ）とを有し得る。
【０３２３】
加湿器ヒータプレート１２０は、温度センサ（図２Ａの温度センサ２６２を参照）（例えば、温度変換器、サーミスタ、又は他の種類の温度センサ）を有し得る。複数の異なる温度センサも使用してよい。温度センサは、ヒータプレート１２０の温度を測定することができる。コントローラがヒータプレート１２０の温度を監視することができるように、温度センサは、ヒータベースユニット１０２内のコントローラと電気通信することができる。温度センサによって生成された測定値は、以下に記載する低水及び／又は水切れ検知プロセスの入力として使用することができる。
【０３２４】
温度センサはまた、２つ以上のサーミスタを含むことができていてもよい。各サーミスタは、分圧器として機能し得る。２つのサーミスタの表示値の平均値を低水及び／又は水切れ検知プロセスの入力として使用することができる。冗長性のために２つ以上のサーミスタも使用してよい。追加のサーミスタも含めることができる。温度センサは、ヒータプレートの下表面上に配置されている。温度センサは、好ましくは、ヒータプレートアセンブリの上部加熱プレート上に配置されてもよい。上部加熱プレートは、加湿器チャンバと接触するプレートである。ヒータプレート１２０は、本明細書では、露出しており、加湿器チャンバがヒータベース上の動作位置に配置されると加湿器チャンバのベースに接触するように配置される上部加熱プレートを意味し得る。温度センサは、ヒータプレートの縁部に又はヒータプレートの実質的に中心に配置されてもよい。使用される加熱要素は、電気絶縁体ブロック又はコアに巻回されたニクロム線又は他の種類の加熱フィラメントである。ヒータプレートは、複数の電気絶縁層を含んでもよい。ヒータプレートは、複数の部品が互いにねじ止めされた又はボルトで固定された後部プレート又は下部プレートを含んでもよい。本明細書に開示される技術を実施するのに好適なヒータプレートの例の更なる詳細は、図８Ａ〜図１８Ｆを参照して以下に記載する。代替的に、ヒータプレートは、一体的なヒータプレートを形成するために互いに積層され得る又は互いに接着され得る複数の層を含んでもよい。更なる代替的な構成では、ヒータプレートは、エッチング又は堆積又は任意の適切な構成によって半導体上に形成されてもよい。
【０３２５】
加湿器チャンバ１０３は、加湿器チャンバベースがヒータベースユニット１０２内のヒータプレート１２０と接触した状態で配置されるように、ヒータベースユニット１０２上に取り外し可能に受け入れられ、保持され得る。それぞれ図１Ａ及び図１Ｃのヒータベースユニット１０２の例を示す図１Ｂ及び図１Ｄを参照すると、加湿ベース１０２は、図１Ａ及び図１Ｃに示すように、加湿器チャンバ１０３のフランジと係合するためのカラー１２４を有し得る。カラー１２４は、加湿器チャンバ１０３のフランジと係合して加湿器チャンバ１０３をヒータベース１０２上の動作位置に保持するリップを画定する。加湿器チャンバ１０３は、伝導性ベースを含み得る。ヒータベースユニット１０２と係合すると、加湿器チャンバ１０３の伝導性ベースは、ヒータプレート１２０の上部加熱プレートの上面など、ヒータプレート１２０と接触することができる。加熱要素に電力信号が送られ、加熱要素に通電すると、チャンバ１０３内の水は加熱される。チャンバ１０３はまた、水供給源１４２（図１Ｃ）に接続され得る。水供給源１４２は、チャンバ１０３内の水が少ない又は完全に切れたときにチャンバ１０３に水を追加することができる。水の追加は、低水又は水切れ状態が存在し得るとのシステム１０１からの警告時などに、手動で実施され得る又はコントローラによって制御され得る。
【０３２６】
図１Ａ及び図１Ｃを引き続き参照すると、加湿されるガスとしては、空気、酸素、麻酔薬、他の補助ガス、又はガスの任意の混合物のうちの１つ以上が挙げられ得る。ガスは、人工呼吸器、ＣＰＡＰ療法の場合はＣＰＡＰブロワなどのガス供給源、又は遠隔供給源に接続され得るガス入口１０４を介して加湿器チャンバ１０３に供給され得る。高流量療法においては、ブロワ、又は更に代替的には、流量及び／又は圧力調整器を備えた壁供給源によりガスを供給することができる。加湿器チャンバ１０３はまた、呼吸回路１０６に接続され得るガス出口１０５を含み得る。呼吸回路１０６は、加湿及び加熱されたガスを患者又は使用者に運ぶことができる。図１Ａに示すように、呼吸回路１０６の患者端部１０７は、鼻カニューレ１１３又は鼻マスク１１４などの患者インターフェースに接続することができる。呼吸回路１０６はまた、フルフェイスマスク、気管内チューブ、又はその他などの他の種類の患者又は使用者インターフェースに接続することができる。図１Ｃの呼吸回路１０６はまた、本明細書に開示される任意の適切な患者インターフェースに接続され得る。
【０３２７】
加熱要素１１０（１つ以上のヒータ線など）が呼吸回路１０６内に提供され得る。加熱要素１１０は、呼吸回路１０６内における加湿ガスの結露を防止するのに役立ち得る。加熱要素１１０はまた、ヒータベースユニット１０２内のコントローラと電気連通することができていてもよい。図１Ｃ及び図１Ｅに示すように、呼吸回路加熱要素アダプタケーブル１２８は、ケーブル１２８の２つの端部に、ヒータベースユニット１０２（ヒータベースユニット１０２のコントローラなど）に加熱要素１１０を結合するための２つのコネクタを有し得る。加熱要素アダプタケーブル１２８は、加熱要素１１０とヒータベースユニット１０２との間の簡単な接続を容易にすることができる。加熱要素１１０は制御ユニットによって制御され、これには、制御ユニットによる加熱要素１１０への電力の制御を含む。呼吸回路１０６内の加熱要素１１０は、結露を低減するとともに、ガスの温度を所定の範囲内に維持することも確実にする。加熱要素アダプタケーブル１２８はまた、周囲温度センサ１２６を含み得る。周囲温度センサ１２６は、システム１０１が、周囲温度又は周囲温度の変化を補償するように加熱要素１１０の電力を調整することを可能にできる。加熱要素インジケータ１３０が、ヒータベースユニット１０２に接続するコネクタに埋設され得る。加熱要素インジケータ１３０は、適切に機能している加熱要素１１０がヒータベースユニット１０２に接続された場合に点灯することができる。加熱要素インジケータ１３０が点灯すると、システム１０１は、加湿器チャンバ１０３を通過するガスをヒータプレート１２０を介して加熱することに加えて、呼吸回路１０６内のガスを加熱要素１１０を介して加熱し、凝縮物を最小限にすることができる。加熱要素１１０が誤動作している若しくは接続されていない場合、又は加熱要素インジケータ１３０が点灯していない場合、システム１０１は、チャンバ１０３内の水をヒータプレート１２０を介して加熱することのみによってガスを加熱する場合がある。或いは、加熱要素インジケータ１３０は、アダプタケーブル１２８の故障又は断線がある場合に点灯されてもよい。点灯されたインジケータ１３０は、視覚的メッセージ又は視覚的警告として機能し得る。インジケータ１３０は、加熱要素１１０が適切に機能している場合は点灯されなくてもよい。
【０３２８】
呼吸器加湿器システム１００、１０１のコントローラは、（例えば、加湿器チャンバ内、呼吸回路内、及び／又はシステム内の別の場所に）追加のセンサを有することなく、少なくともヒータプレート１２０、及び好ましくは又は任意選択的に、加熱要素１１０も制御することができる。これは、呼吸器加湿器システム１００、１０１内のガスの流量を、コントローラが既に利用可能なパラメータを使用して推定することにより達成され得る。所与の呼吸器加湿器システムにおいては、コントローラは、ヒータプレート１２０に印加すべき適切な電力レベルを決定することができる。ヒータ１２０に電力を印加すると、湿度を生成し、ガスを加熱することができる。ヒータプレートに印加される電力は、所定の量の湿度を生成する速度のものであり得る。更に、より適切な通電レベルを加熱要素１１０に提供するために、コントローラはパラメータも使用することができていてもよい。図１Ｃ及び図１Ｅに示すように、システム１０１はまた、周囲温度センサ１２６を含み得る。周囲温度センサは、周囲空気に曝されているところならどこにでも位置することができる。例えば、システム１０１は、周囲温度センサ１２６を加熱要素アダプタケーブル１２８上に含み得る。
【０３２９】
図１Ｅに示すように、ヒータベースユニット１０２の前面パネルは、電源ボタン１３２、湿度設定押しボタン１３４、及び湿度設定押しボタン１３４の隣にある複数の（３つ、４つの、５つ以上などの）湿度設定インジケータ１３６（ＬＥＤライトを含み得る）などの、複数のユーザコントロール及びインジケータを含み得る。ユーザコントロール及びインジケータの位置、形状、及びサイズは限定されない。４つの湿度設定インジケータ１３６によって示される利用可能な４つの湿度設定レベルがあり得る。４つの湿度設定は、患者に提供される異なる種類の療法に対応してもよい。例えば、加湿器が侵襲療法モードで動作しているときには最大量の湿度が選択され得る。低流量酸素療法モードにおいては、最小量の湿度が適用され得る。湿度の量は、療法の要件若しくは療法の種類に基づいて選択され得る、又は事前に定められてもよい。或いは、加湿器１００、１０１は、送達されるべき湿度の量を、療法モード、患者、又は患者に適用される療法の種類に基づいて自動的に選択するように構成されたコントローラを含んでもよい。任意選択的に、加湿器１００、１０１は、使用者に情報を伝えることができるタッチスクリーンを含んでもよい。タッチスクリーンはまた、使用者からの入力を受け取るように構成されてもよい。
【０３３０】
湿度レベルは、湿度設定押しボタン１３４を押すことによって調節することができる。湿度設定押しボタン１３４はまた、モーメンタリ押しボタンであり得る。前面パネルはまた、以下の非限定的な状態の例、即ち、「水切れ」状態（低水及び水切れを含む）、加熱要素アダプタが接続されていない、聴覚警報がミュートにされている、を示すための複数の警報インジケータ１３８（ＬＥＤライトを含み得る）を含むことができ、「マニュアル参照」表示値は、システム１０１内で故障が発生したことを示すために使用される。
【０３３１】
システム１０１は、救命救急診療（例えば、病院内での）及び在宅ケアなどの異なる目的の呼吸器療法を提供するのに適し得る。システム１０１は、成人患者及び小児患者の両方に、非侵襲的な、高流量療法を提供するのに適している。
【０３３２】
以下で詳細に記載されるように、呼吸器加湿器システム１００、１０１のコントローラはまた、温度センサからの入力を使用して、加湿器チャンバの低水及び／又は水切れ状態を決定することができる。コントローラは、水切れ検知のために、追加のセンサからの入力を必要としなくてもよい。１つのセンサのみを要することで、呼吸器加湿器システム１００、１０１のコストが低下する、及び／又は呼吸器加湿器システム１００、１０１を、複数のセンサを有する呼吸器加湿器システムに比べてより単純且つ軽量にすることができる。以下に記載するように、システム１０１はまた、システム内の熱的結合を向上させ、より低い電力レベルでの水切れ検知を可能にするように構成されており、これには、低流量、低湿度、又はチャンバのない場合を含む場合がある。記載されているアセンブリは、熱的結合を向上させる。即ち、発生した熱が上部加熱プレートに伝達され、サーミスタによって検知されるように、ヒータプレートアセンブリ構成要素の要素間の熱伝導率を向上させる。
【０３３３】
本明細書に開示される低水及び／又は水切れ検知方法並びにシステムは、１つより多いセンサを含み得る及び／又は異なる構成を有し得る、本明細書に開示される他の種類の呼吸器加湿器システムに組み込むこともできる。図２Ａ及び図２Ｂに示すように、呼吸器加湿器システム２００は、ブロワユニット２０３を含み得る。ブロワユニット２０３は、内部圧縮機ユニット、フロージェネレータ又はファンユニット２１３を有し得る。大気からの空気は、大気入口２４０を通ってブロワユニット２０３のハウジングに入ることができ、ファンユニット２１３を通して引き込まれ得る。ファンユニット２１３の出力は、ファン速度が可変であるように調節可能である。加圧されたガス流は、ファンユニット２１３及びブロワユニット２０３を出ることができ、接続導管２０４を通って加湿器チャンバ２０５に移動することができる。加圧されたガス流は、入口ポート２２３を通って加湿器チャンバ２０５に入ることができる。
【０３３４】
ブロワユニットはまた、空気流を発生させるように構成されたファン又はタービンを有する人工呼吸器と入れ替えることができていてもよい。人工呼吸器は、タンクなどの圧縮空気供給源からガスを受け取ることができる。人工呼吸器はまた、加湿器チャンバ２０５への空気の送達を制御するために１つ以上の弁を使用することができる。
【０３３５】
図２Ｂ又は図２Ｃに示すように、呼吸器加湿器システム２００はまた、使用者に酸素（Ｏ2）又はＯ2分画を供給することができる。システム２００は、遠隔供給源から、及び／又は遠隔供給源から流入するＯ2と大気とをブレンドすることによってＯ2を受け取ることができる。大気と流入するＯ2とのブレンドは、制御ユニット２０３内に位置するベンチュリ又は同様の入口を介して行われ得る。
【０３３６】
図２Ｃは、一体型のブロワ／ヒータベースユニット２１０を有する例示的な呼吸器加湿器システム２００を示す。図２Ｃのシステムは、ヒータベースユニットがブロワと一体化されており、ハウジング２０３とともに一体型のユニット２１０を形成していること以外は、図２Ａ及び図２Ｂに示される呼吸器加湿器システム２００と同様の手法で動作する。
【０３３７】
上述の加湿器チャンバ１０３と同様に、図２Ａ〜図２Ｃの加湿器チャンバ２０５は、ある量の水２２０を収容することができる。使用時、加湿器チャンバ２０５は、（例えば、ヒータプレート２１２と接触させること及び／又はヒータプレート２１２の上に配置されることによって）ヒータベースユニット２２１又は一体型のユニット２１０と係合することができる。ヒータプレート２１２は、加湿器チャンバ２０５の伝導性ベースを加熱するために給電され、それにより、加湿器チャンバ２０５内の内容物（ある量の水２２０など）を加熱することができる。入口ポート２２３を通って加湿器チャンバ２０５に入るガス流は、加熱及び加湿され、出口ポート２０９を通って加湿器チャンバ２０５を出て、呼吸回路２０６に入ることができる。
【０３３８】
加熱され加湿されたガスは、呼吸導管２０６の長さに沿って通過し、使用者インターフェース２０７を介して患者又は使用者２０２に供給され得る。呼吸導管２０６はまた、加熱され加湿されたガスの結露の防止を補助するために、加熱要素（ヒータ線２１０など）を介して加熱されることができていてもよい。図２Ａ及び図２Ｃに示される使用者インターフェース２０７は、使用者２０２の鼻を取り囲んで覆う鼻マスクである。しかしながら、鼻カニューレ（図２Ｂに示すような）、フルフェイスマスク、気管内チューブ、気管切開取付具、又は任意の他の適切な使用者インターフェースが、示される鼻マスクを代替できる。
【０３３９】
中央コントローラ又は制御システムは、ブロワユニット２０３（コントローラ２０８ａ）、ヒータベースユニット２２１（コントローラ２０８ｂ）、又はこれらの両方（例えば、接続ケーブル又はその他を介して互いに電気通信する別個のブロワコントローラ２０８ａ及び加湿器コントローラ２０８ｂ、又は図２Ｃに示すような中央コントローラ２０８を有する）内に位置し得る。ブロワコントローラ８ａと加湿器コントローラ８ｂは、マスターサーバント関係（例えば、コントローラの１つがもう一方のコントローラの機能を制御することができる）又はピア関係（例えば、各コントローラがもう一方から独立して機能することができる）にあることができていてもよい。例えば、加湿器コントローラ２０８ｂは、任意の種類のガス供給源とともに使用するように構成されている独立ユニットであり得る。
【０３４０】
制御システムは、ヒータベースユニット２２１、ブロワユニット２０２、又はこれらの両方に位置するユーザコントロール２１１を介して使用者入力を受け取ることができる。制御システムは、また、システム２００全体の様々な場所に位置するセンサから入力を受け取ることができる。上述の呼吸器加湿器システム１００と同様に、呼吸器加湿器システム２００は、ヒータプレート２１２に隣接して位置する又はヒータプレート２１２に（例えば、ヒータプレート２１２の真下に）位置するヒータプレート温度センサ２６２を含み得る。ヒータプレート温度センサ２６２は、ヒータプレート２１２の温度を測定するように構成され得る。
【０３４１】
図２Ａ〜図２Ｃに示すように、呼吸器加湿器システム２００は、追加の温度センサを有することができる。図２Ａの加湿器に周囲温度センサ２６０が含まれてもよい。周囲温度センサ２６０は、ブロワユニット２０３のハウジング内、その近傍、若しくはその上に、又は別の場所に、例えば、ファンユニット２１３の下流及び／若しくは加湿器チャンバ２０５の入口２２３により近いガス流中に位置し得る。周囲センサは、チューブの入口に隣接して位置し得る、又はフライングリードアダプタによってヒータベースに接続されたヒータ線若しくはヒータ線アダプタに結合されてもよい。周囲温度センサ２６０は、大気からの流入空気の温度を測定するように構成され得る。出口温度センサは、加湿器チャンバイグジットポート２０９に若しくはその近傍、又は呼吸回路２０６のチャンバ端部（患者又は使用者端部の反対側）に位置し得る。出口温度センサは、加湿器チャンバ２０５を出るガス流の温度を測定するように構成され得る。出口温度センサによって生成された測定値は、また、低水及び／又は水切れ検知プロセスの入力として使用されることができていてもよい。患者又は使用者端部温度センサ２１５は、呼吸回路２０６の患者又は使用者端部に位置し得る。患者又は使用者端部温度センサ２１５は、また、患者又は使用者インターフェース２０７内又は患者又は使用者インターフェース２０７上に位置することができていてもよい。
【０３４２】
呼吸器加湿器システム２００は、システム２００内のガス流を測定するように構成されたフローセンサを含むことができていてもよい。フローセンサは、ファンユニット２１３の上流、ファンユニット２１３の下流、又はその他の場所に位置し得る。例えば、フローセンサ２６３は、加湿器チャンバ出口２０９に又は加湿器チャンバ出口２０９の近傍に、呼吸回路２０６のチャンバ端部に、及び／又は出口温度センサに隣接して位置し得る。センサ２６３は、温度センサ及び流量センサの両方を含むことができていてもよい。コントローラ２０８ａ、２０８ｂはまた、湿度、温度、圧力、流量、及び／又はガス流の他の特性を測定することができる１つ以上の他のセンサ２５０、２８０、２９０を含むことができていてもよい。
【０３４３】
コントロール２１１からの使用者入力及び／又はセンサから受信された入力信号に応答して、制御システムは、ヒータプレート２１２への電力、ファンユニット２１３の速度、及び／又はその他を調節するための信号を送ることができる１つ以上の制御出力を決定することができる。
【０３４４】
上述の呼吸器加湿器システム１００、２００のいずれにおいても、温度プローブもまた、加湿器チャンバ内のある量の水内に配置することができていてもよい。追加的に及び／又は代替的に、非接触温度センサ（赤外線センサなど）もまた、ヒータプレート及び／若しくは加湿器チャンバの内容物の温度、並びに／又はガス路の温度を測定するために使用され得る。
【０３４５】
加湿器チャンバのガス入口の下流及び／又はヒータプレートの近傍に位置する温度プローブ、非接触温度センサ、及び／又は任意の他の温度センサの表示値もまた、以下に記載する、低水及び／又は水切れ検知プロセスの入力として使用されることができていてもよい。
【０３４６】
図２Ｄは、医療処置中における例示的な送気システム１の使用を概略的に示す。手術用加湿システムは、手術用腔（例えば気腹）を加湿する。加湿器は、手術用腔内の組織を加湿し、脱水又は低温を含む乾燥による組織の損傷を防止することができる。図２Ｄに示すように、患者２は、患者２の腔（例えば、腹腔鏡下手術の場合は患者２の腹部）内に挿入されたカニューレ２０７を有し得る。
【０３４７】
図２Ｄに示すように、カニューレ２０７は、（例えば、ルアーロックコネクタ４を介して）ガス送達導管２０６に接続され得る。カニューレ２０７は、患者２の腔内等の手術部位にガスを送達するために使用され得る。カニューレ２０７は、ガス及び／又は１つ以上の手術用機器を手術用腔に導入するための１つ以上の通路を含み得る。手術用機器は、スコープ、電気焼灼用器具、又は任意の他の機器であり得る。手術用機器は、画面を有し得る画像化デバイスに結合され得る。画像化デバイスは、複数の手術器具及び／又は装置を含み得る手術用スタックの一部であり得る。
【０３４８】
手術用送気システムは、排出用カニューレも含むことができていてもよい。排出用カニューレは、カニューレ２０７と実質的に同じ特徴を有し得る。排出用カニューレは、排出を可能にする弁を含んでもよい。弁は、ガス供給源（即ち、気腹器）に関連付けられたコントローラか、又は加湿器内のコントローラによって自動的に制御され得る。弁はまた、（例えば、手で又はフットペダル、或いは他の手法で栓を回すことによって）手動で作動させることができる。排出用カニューレは、スモーク等を濾過するための濾過システムに結合され得る。代替的に、排出用カニューレはまた、手術用腔からのガスを、手術用腔に再送達するために、気腹器に再循環させるように構成された再循環システムに結合され得る。ガスは、気腹器に戻される前に濾過及び／又は除湿され得る。特定の構成においては、カニューレは、２つ以上の通路を含んでもよい。１つの通路は、ガス及び／又は医療機器を手術用腔に送達するように構成され得る。別の通路は、手術用腔からガスを排出するように構成され得る。排出用通路は、弁及び／又は受動排出開口部を含んでもよい。カニューレ２０７はまた、医療機器（スコープ等）を送達通路に対して実質的に同心配向に保持するための保持機構（リブ等）を含んでもよい。
【０３４９】
ガス送達導管２０６は、可撓性プラスチックで作成することができ、入口ポート２２３で加湿器チャンバ２０５に接続され得る。任意選択的に又は好ましくは、加湿器チャンバ２０５は、更なる導管２０４を介してガス供給部９に直列接続され得る。ガス供給部又はガス供給源は、気腹器、ボンベ入りガス、又は壁ガス供給源であり得る。ガス供給部９は、加湿及び／又は加熱なしでガスを提供することができる。フィルタ６が、加湿器の出口２０９の下流に接続され得る。フィルタはまた、更なる導管２０９に沿って、又はカニューレ２０５の入口に位置し得る。フィルタは、加湿器又はガス供給源による手術部位の感染又は汚染を低減するために、病原体及び粒子状物質を濾過して除去するように構成され得る。ガス供給部は、連続的な又は断続的なガスの流れを提供することができる。更なる導管２０４もまた、好ましくは、可撓性プラスチックチュービングで作成され得る。
【０３５０】
ガス供給部９は、二酸化炭素等を含む１種以上の送気流体を加湿器チャンバ２０５に提供することができる。ガス供給部は、連続的なガス流又は断続的なガス流を提供することができる。ガスは、ある量の水２２０を収容し得る加湿器チャンバ２０５を通過する際に加湿され得る。幾つかの構成では、ガス供給部は、加湿器ユニットなしでカニューレ２０５に直接接続することもできる。
【０３５１】
加湿器チャンバ２０５を組み込む加湿器は、任意の種類の加湿器であり得る。加湿器チャンバ２０５は、プラスチックで形成されたチャンバを含み得る。プラスチックで形成されたチャンバは、それに対して封止された金属或いは他の導電性底部を有する。使用中、底部はヒータプレート２１２と接触し得る。チャンバ２０５内に収容されたある量の水２２０は、ヒータプレート２１２によって加熱され得る。ヒータプレート２１２は、加湿器のコントローラ又は制御手段２０８の制御下にあり得る。チャンバ２０５内の水２２０の量は、蒸発するように加熱することができ、水蒸気をチャンバ２０５内を流れるガスと混合させて、ガスを加熱及び加湿する。
【０３５２】
コントローラ又は制御手段２０８は、加湿器ベースユニット２２１内に収容され得る。加湿器ベースユニット２２１は、ヒータプレート２１２も収容することができる。ヒータプレート２１２は、ヒータプレート２１２内に電気加熱要素を有し得るか又はヒータプレート２１２と熱接触する電気加熱要素を有し得る。１つ以上の絶縁層が、ヒータプレート１６とヒータ要素との間に位置してもよい。ヒータ要素は、ベース要素（又は中子）であることができ、このベース要素に線が巻回されている。線は、ニクロム線（又はニッケルクロム線）であり得る。ヒータ要素はまた、加熱トラックが電着された又はエッチングされた多層基板を含み得る。コントローラ又は制御手段２０８は、加熱要素へのエネルギーの供給を制御するためのマイクロプロセッサを含み得る電子回路を含み得る。加湿器ベースユニット２２１及び／又はヒータプレート２１２は、加湿器チャンバ２０５と取り外し可能に係合可能であり得る。また、代替的に又は追加的に、加湿器チャンバ２０５は、内蔵ヒータを含み得る。
【０３５３】
ヒータプレート２１２は、コントローラ２０８と電気接続することができる温度センサ、温度変換器等或いは他のものを含み得る。ヒータプレート温度センサは、加湿器ベースユニット２２１内に位置し得る。コントローラ２２１は、ヒータプレート２１２の温度を監視することができ、これにより、水２２０の温度を見積もることができる。
【０３５４】
温度センサはまた、出口２０９から加湿器チャンバ２０５を出る加湿ガスの温度を監視するために、出口２０９に又はその近辺に位置し得る。温度センサはまた、（例えば、ケーブルで又は無線で）コントローラ２０８に接続され得る。例えば、ガス送達導管２０６の患者端部におけるガスの特性（温度、湿度、流れ等、又はその他）を検出するための追加のセンサも組み込むことができていてもよい。
【０３５５】
ガスは、加湿器の出口２０９を通って出て、ガス送達導管２０６に入ることができる。ガスは、ガス送達導管２０６を通り、カニューレ２０７を介して患者２の手術用腔に入ることができ、それにより、腔を拡張させ、腔内の圧力を維持する。好ましくは、加湿器チャンバ２０５の出口２０９を出るガスは、最大１００％、例えば約１００％の相対湿度を有し得る。ガスがガス送達導管２０６に沿って移動する際、「更なる結露」が発生し得ることで、ガス送達導管２０６の壁に水蒸気が凝縮する場合がある。更なる結露は、望ましくない効果を有する可能性があり、例えば、患者に送達されるガスの水分を不利に減少させる。ガス送達導管２０６内の結露の発生を低減する及び／又は最小限にするために、ガス送達導管２０６内に、ガス送達導管２０６の全体にわたり、又はガス送達導管２０６の周りにヒータ線２１０が提供され得る。ヒータ線に給電するために、ヒータ線２１０は、例えば電気ケーブル２１９によって加湿器ベースユニット２２１に電子的に接続され得る。ケーブル２１９は、図１Ｄ及び図１Ｅに記載したような周囲センサを含むヒータ線アダプタケーブルに類似してもよい。或いは、加湿器は、共通ハウジング内で手術用加湿システムの気腹器と一体化されてもよい。加湿器と気腹器は、単一のコントローラによって制御されてもよい。手術用加湿システムはまた、手術部位からのガスを再循環し、このガスを再加湿するように構成された再循環システムを含んでもよい。再循環システムは、スモークフィルタを含んでもよく、ガスを洗浄する（ｓｃｒｕｂ  ｏｕｔ）ためのスクラバを含んでもよい。再循環システムはまた、再循環されたガスから湿度又は結露を除去するためのデバイスを含んでもよい。
【０３５６】
ヒータ線２１０は、絶縁銅合金抵抗線、他の種類の抵抗線、若しくは他のヒータ要素を含み得る、及び／又は任意の他の適切な材料で作成され得る。ヒータ線は、真直線又は渦巻状に巻かれた要素であり得る。ヒータ線２１０を含む電気回路は、ガス送達チューブ２０６の壁内に位置し得る。ガス送達チューブ２０６は、螺旋巻きチューブであり得る。ヒータ線２１０は、ガス送達導管２０６の絶縁コアに螺旋状に巻回され得る。ヒータ線２１０の周りの絶縁コーティングは熱可塑性材料を含み得る。熱可塑性材料は、所定の温度まで加熱されると、その形状を変化させることができる状態になることができ、冷却時に、新たな形状が実質的に弾性的に保持され得る。ヒータ線２１０は、単一又は二重つる巻線に巻かれ得る。導管２０６の患者端部にある温度センサ及び／又は追加のセンサによる測定は、コントローラ２０８にフィードバックを提供することができるため、コントローラ２０８は、ヒータ線に通電して、患者に送達されるガスが３７℃であるか又は３７℃付近になるように（例えば、約３５℃〜約４５℃）、ガス送達導管２０６内のガスの温度を上昇させる及び／又は維持することができていてもよい。
【０３５７】
コントローラ又は制御手段２０８は、例えば、ソフトウェアプログラムを保持することができる関連メモリ又は記憶手段を有するマイクロプロセッサ又は論理回路を含み得る。制御手段２０８によって実行されると、ソフトウェアは、ソフトウェア内の命令セットに従い、及び／又は外部入力に応じて、送気システム１の動作を制御することができる。例えば、コントローラ又は制御手段２０８に、ヒータプレート２１２の温度及び／又は電力使用に関する情報を提供することができるように、コントローラ又は制御手段２０８に、ヒータプレート２１２から入力を提供することができる。コントローラ又は制御手段２０８に、ガス流の温度の入力を提供することができる。例えば、温度センサは、ガスが加湿器チャンバ２０５の出口２０９を出る際の加湿ガス流の温度を示す入力を提供することができる。温度センサと同じ位置に又はその近辺に、又は送気システム１内の他の適切な位置に、フローセンサも提供されていてもよい。代替的に、システムは温度センサのみを含んでいてよい。コントローラ２０８は、システム１を介してガスの流量を調節するフローレギュレータを制御することができる。フローレギュレータは、電動式ファン等の、フローインデューサ及び／又は抑制部（ｉｎｈｉｂｉｔｅｒ）を含み得る。追加的に又は代替的に、弁及び／又はベントを使用して、ガスの流量を制御することができる。
【０３５８】
加湿器ベースユニット２２１に位置する患者入力は、送達されるべき所望のガス温度及び／又はガス湿度レベルを使用者（外科医又は看護師等）が設定することを可能にできる。他の機能も、ヒータ線２１０によって送達される加熱の制御等もまた、使用者入力によって制御することができていてもよい。コントローラ２０８は、システム１を制御することができ、具体的には、患者に送達されるガスの流量、温度、及び／又は湿度を、システム１が使用される医療処置の種類に適切となるように制御することができる。
【０３５９】
加湿器ベースユニット２２１はまた、患者２に送達されているガス流の特性を使用者に対して表示するためのディスプレイを含み得る。
【０３６０】
図示しないが、加湿器はまた、ある量の水又は任意の他の種類の加湿流体を有するチャンバを含み得るが水を加熱するためのヒータプレートは含まなくてもよいパスオーバー式加湿器であることができてもよい。チャンバは、ある量の水上を送気ガスが通過する際に、ある量の水から転移した水蒸気によって送気ガスが加湿されるように、ガス供給部と流体連通することができる。
【０３６１】
図２Ｄの手術用加湿器システムの加湿器は、図２Ａに示される加湿器ユニット２２１及び加湿チャンバ２０５の特徴のいずれを組み込むこともできる。
【０３６２】
使用時、上述の加湿器は、「手術無菌ゾーン（ｏｐｅｒａｔｉｎｇ  ｓｔｅｒｉｌｅ  ｚｏｎｅ）」の外に、及び／又は気腹器に隣接して位置し得る。その結果、医療関係者は、手術中に手術用腔内で医療機器を操作するためにカニューレを移動させる際に加湿器に触れる必要はない。加湿器は、医療機器と同程度滅菌する必要がない場合がある。更に、「手術無菌ゾーン」の外に位置する加湿器により、手術処置中に、既に混雑した空間内で医療関係者及び／又は医療機器の移動を制限し得る医療関係者に対する障害物を減らすことができる。
【０３６３】
図２Ｅに、高流量療法システム１０の概略図を提供する。システム１０は、主デバイスハウジング１００を含み得る。主デバイスハウジング１００は、モータ／インペラ構成の形態であり得るフロージェネレータ１１と、加湿器又は加湿チャンバ１２と、コントローラ１３と、ユーザインターフェース１４とを収容することができる。ユーザインターフェース１４は、ディスプレイと、ボタン、タッチスクリーン、タッチスクリーンとボタンとの組み合わせ等などの入力デバイスとを含み得る。コントローラ１３は、１つ以上のハードウェア及び／又はソフトウェアプロセッサを含むことができ、装置の構成要素を制御するように構成され得る又はプログラムされ得る。制御は、患者に送達するためのガスの流れを生成するためにフロージェネレータ１１を動作させること、ガス流を加湿及び／又は加熱するための加湿器１２を動作させること、呼吸器システム１０の再構成及び／又は使用者定義動作のためにユーザインターフェース１４から使用者入力を受け取ること、並びに使用者に対して（例えば、ディスプレイ上に）情報を出力することが挙げられるが、これらに限定されない。使用者は、患者、医療関係者、又はその他であり得る。
【０３６４】
図２Ｅを引き続き参照すると、患者呼吸導管１６は、呼吸器システム１０の主デバイスハウジング１００のガス流出口２１に結合され得るとともに、マニホールド１９と鼻プロング１８とを有する鼻カニューレ等の非密閉インターフェースなどの患者インターフェース１７に結合され得る。患者呼吸導管１６はまた、フェイスマスク、鼻マスク、鼻ピローマスク、気管内チューブ、気管切開インターフェース、又はその他に結合され得る。
【０３６５】
ガス流は、フロージェネレータ１１によって発生させることができ、患者導管１６を通し、患者インターフェース１７を介して患者に送達される前に加湿され得る。コントローラ１３は、所望の流量のガス流を発生させるようにフロージェネレータ１１を制御することができる、並びに／又は空気及び酸素若しくは他の呼吸に適したガスの混合を制御するために１つ以上の弁を制御することができる。コントローラ１３は、患者に送達するために望ましいレベルの温度及び／又は湿度に達する望ましい温度にガスを加熱するように、加湿チャンバ１２内の加熱要素を制御することができる。患者導管１６は、患者へと通過するガス流を加熱するための、ヒータ線などの加熱要素１６ａを有することができる。加熱要素１６ａはまた、コントローラ１３の制御下にあり得る。
【０３６６】
システム１０は、ガス流の特性を監視するために及び／又は適切な療法を提供する状態でシステム１０を動作させるために、コントローラ１３と通信する超音波変換器、サーミスタフローセンサなどのフローセンサ、圧力センサ、温度センサ、湿度センサ、又は他のセンサを使用することができる。ガス流特性は、ガス濃度、流量、圧力、温度、湿度、又はその他を含み得る。圧力センサ、温度センサ、湿度センサ、及び／又はフローセンサなどのセンサ３ａ、３ｂ、３ｃ、２０、２５は、主デバイスハウジング１００、患者導管１６、及び／又は患者インターフェース１７内の様々な場所に配置され得る。コントローラ１３は、センサから出力を受信し、ガス流の適切な目標温度、流量、及び／又は圧力を決定するなどのために、呼吸器システム１０が適切な療法を提供する状態で動作するのを支援することができる。適切な療法の提供には、患者の吸気需要を満たすことを含み得る。
【０３６７】
システム１０は、コントローラ１３が動作センサからデータ信号８を無線式に受信すること及び／又はシステム１０の様々な構成要素を制御することを可能にするための無線データ送信機及び／若しくは受信機又はトランシーバ１５を含み得る。追加的に又は代替的に、データ送信機及び／又は受信機１５は、リモートサーバにデータを届けることができる又はシステム１０の遠隔制御を可能にすることができる。システム１０は、コントローラ１３が動作センサからデータ信号８を受信すること及び／又はシステム１０の様々な構成要素を制御することを可能にするために、例えば、ケーブル又は線を使用した有線接続を含み得る。
【０３６８】
流量療法装置１０は、高流量療法装置を含んでもよい。本明細書に記載する高流量療法は、当業者に理解されるその典型的な通常の意味が与えられるものとされ、意図的に密閉されない患者インターフェースを介して、一般に、患者の吸気流を満たす又は超えることを意図した流量で、加湿呼吸ガスの目標流量を送達する呼吸補助システムを一般に意味する。典型的な患者インターフェースとしては、鼻又は気管患者インターフェースが挙げられるがこれらに限定されない。成人の典型的な流量は、多くの場合、約１５リットル毎分〜約６０リットル毎分超の範囲であるがこれに限定されない。小児患者（新生児、乳児、及び子供など）の典型的な流量は、多くの場合、患者の体重１キログラムあたり約１リットル毎分〜患者の体重１キログラムあたり約３リットル毎分超の範囲であるがこれに限定されない。高流量療法はまた、補助酸素を含む混合ガス組成物及び／又は治療的薬剤の投与を含むことができていてもよい。高流量療法は、多くの場合、一般的な名称の中でもとりわけ、経鼻高流量（ＮＨＦ：ｎａｓａｌ  ｈｉｇｈ  ｆｌｏｗ）、加湿高流量鼻カニューレ（ＨＨＦＮＣ：ｈｕｍｉｄｉｆｉｅｄ  ｈｉｇｈ  ｆｌｏｗ  ｎａｓａｌ  ｃａｎｎｕｌａ）、高流量経鼻酸素（ＨＦＮＯ：ｈｉｇｈ  ｆｌｏｗ  ｎａｓａｌ  ｏｘｙｇｅｎ）、高流量療法（ＨＦＴ：ｈｉｇｈ  ｆｌｏｗ  ｔｈｅｒａｐｙ）、又は気管切開式高流量（ＴＨＦ：ｔｒａｃｈｅａｌ  ｈｉｇｈ  ｆｌｏｗ）と呼ばれる。例えば、幾つかの構成では、成人患者においては、「高流量療法」とは、約１０ＬＰＭ〜約１００ＬＰＭ、又は約１５ＬＰＭ〜約９５ＬＰＭ、又は約２０ＬＰＭ〜約９０ＬＰＭ、又は約２５ＬＰＭ〜約８５ＬＰＭ、又は約３０ＬＰＭ〜約８０ＬＰＭ、又は約３５ＬＰＭ〜約７５ＬＰＭ、又は約４０ＬＰＭ〜約７０ＬＰＭ、又は約４５ＬＰＭ〜約６５ＬＰＭ、又は約５０ＬＰＭ〜約６０ＬＰＭなどの、約１０リットル毎分（１０ＬＰＭ）以上の流量での患者へのガスの送達を意味する場合がある。幾つかの構成では、新生児、乳児、又は小児患者においては、「高流量療法」とは、約１ＬＰＭ〜約２５ＬＰＭ、又は約２ＬＰＭ〜約２５ＬＰＭ、又は約２ＬＰＭ〜約５ＬＰＭ、又は約５ＬＰＭ〜約２５ＬＰＭ、又は約５ＬＰＭ〜約１０ＬＰＭ、又は約１０ＬＰＭ〜約２５ＬＰＭ、又は約１０ＬＰＭ〜約２０ＬＰＭ、又は約１０ＬＰＭ〜１５ＬＰＭ、又は約２０ＬＰＭ〜２５ＬＰＭなどの、１ＬＰＭ超の流量での患者へのガスの送達を意味する場合がある。成人患者、新生児、乳児、又は小児患者における高流量療法装置は、約１ＬＰＭ〜約１００ＬＰＭの流量で、又は上述の部分範囲のいずれかの流量で患者にガスを送達してもよい。
【０３６９】
高流量療法は、患者の吸気需要を満たす若しくは超えること、患者の酸素投与を増加させること、及び／又は呼吸の仕事を減少させることにおいて効果的であり得る。更に、高流量療法は、上気道の解剖学的死腔が高流量の流入ガス流によってフラッシュされるように、鼻咽頭内にフラッシング効果を発生させることができる。フラッシング効果は、二酸化炭素、窒素等の再呼吸を最小限にしながら、全ての呼吸で利用可能な新鮮なガスの貯蔵部を作ることができる。
【０３７０】
高流量療法で使用するための患者インターフェースは、大気に対する圧力差に起因する肺又は患者の呼吸器系の他の器官の組織損傷を含み得る気圧外傷を防止するための非密閉インターフェースであり得る。患者インターフェースは、マニホールドと鼻プロングとを有する鼻カニューレ、及び／又はフェイスマスク、及び／又は鼻ピローマスク、及び／又は鼻マスク、及び／又は気管切開インターフェース、又は任意の他の適切な種類の患者インターフェースであり得る。
【０３７１】
例示的な低水及び／又は水切れ検知プロセス
例示的な低水及び／又は水切れ検知プロセスを、図３Ａ〜図７を参照して説明する。これらの検知プロセスは、上述のハードウェア構成、手術用送気システム（図２Ｄに示すような）、又は任意の他の加湿呼吸補助デバイス構成のいずれかにおいて実施され得る。図３Ａに示すように、低水及び／又は水切れ状態を検知するための例示的なプロセス３００の工程３０２において、呼吸器加湿器システムのコントローラは、加湿器チャンバの熱容量を測定することができる。水は、１℃の温度上昇ごとの１キログラムあたりの比熱容量が約４，１８４ジュールであり、加湿器チャンバの材料（加湿器チャンバ内の内容物を含まない）の比熱容量よりも大きい。このため、工程３０２で測定される加湿器チャンバの比熱容量は、水の量が減少することにより減少する。なぜなら、各温度単位で、この減少した量の水を加熱するのに必要なエネルギーが減少するからである。加湿器チャンバの熱容量は水切れの場合において最も低いので、チャンバの温度変化が、所与の電源入力の変化に対して最も速くなる。これと比較して、加湿器チャンバ内に存在する水の量が多いと、同じ電源入力に対する温度変化はより遅くなる。これは、比熱容量の増加と相関する。水の量が多いほど、吸収される熱エネルギーが多くなる。
【０３７２】
以下でより詳細に記載するように、コントローラは、比熱容量値を実際に計算することなく、（例えば、比熱容量値に関連する水切れスコアを決定することによって）比熱容量の値を推測することができる。コントローラは、また、比熱容量値の計算に必要な加湿器チャンバ、水、ヒータプレート、又はその他の既知の変数に基づいて、加湿器チャンバの比熱容量の実際値を計算することができていてもよい。コントローラは、比熱容量の実際値を、決定された値から、例えば水切れスコアから推測することができていてもよい。
【０３７３】
プロセス３００の決定工程３０４において、コントローラは、加湿器チャンバ内の水の量を加湿器チャンバの熱容量に基づいて推測することによって水切れ検知解析を実施することができる。コントローラは、決定された比熱容量値が低水又は水切れ閾値未満であるかどうかを決定することができる。決定された比熱容量値が閾値未満である場合、コントローラは、工程３０６において低水及び／又は水切れ警報を出力することができ、コントローラは工程３０２に戻ることができる。決定された比熱容量値が閾値未満でない場合、コントローラは工程３０２に戻ることができる。
【０３７４】
図３Ｂは、低水及び／又は水切れ状態を検知するための例示的なプロセス３１０を示す。プロセス３１０は、ヒータプレートにある又はヒータプレート近傍の温度センサによって温度測定値の変化を測定することができる。より具体的には、プロセス３１０は、ヒータプレートにある又はヒータプレート近傍の温度センサからの特定周波数の信号を処理及び解析することによって加湿器チャンバの比熱容量を決定し、低水及び／又は水切れ状態を検知することができる。工程３１２において、コントローラは、注入などによって、ヒータプレート電力信号に補完信号を印加することができる。本明細書中の開示では、補完信号は、特性通電信号とも呼ばれる。補完信号は、従来のヒータプレート制御電力信号と異なる（例えばより高い又はより低い）所定周波数のものであり得る。工程３１４において、コントローラは、ヒータプレートにある又はヒータプレート近傍の温度センサからのデータから得られた、バンドパスフィルタ（図４Ａのバンドパスフィルタ４２６を参照）を通過した後の、帰還信号を受信することができる。即ち、帰還信号は、印加信号と同じ所定周波数であり、補完信号に対する応答を表す。
【０３７５】
工程３１６において、コントローラは、例えば周波数領域フィルタリングによって、補完信号と相関する帰還信号成分の大きさを測定することができる。大きさは、０からの偏差と定義される。所与の印加信号周波数においては、多い量の水を有する加湿器チャンバは、少ない量の水を有する加湿器チャンバに比べて、帰還信号をより減衰させることができる（即ち、より低いゲインを有する）。図３Ｃに示すように、水切れ状態の期間は、ｘ軸の、黒色矢印の後又は黒色矢印の右側によって示される。水切れ中、例示的な帰還信号の振幅／偏差は、水切れ前（黒色矢印の前又は黒色矢印の左側）よりも大きい。したがって、帰還信号の大きさ及び／又は位相は、加湿器チャンバの比熱容量に反比例し得る。大きさ（及び／又は位相）と比熱容量との間の逆相関の理由は、水が切れる又は水の量が減少してくると比熱容量が低下することで、補完信号の吸収が少なくなるからである。水が切れる又は水の量が減少してくると、温度変化は大きくなる。したがって、ヒータプレートのサーミスタは、より大きな温度変化を検知する。更に、チャンバ内に水がほとんどない又は全くない場合、ヒータプレート電力の変化がヒータプレート温度の変化として現れるのにかかる時間が減少し得る。チャンバ内に十分な水がある場合、温度偏差の応答はより遅くなり得る。本明細書に開示されるように、大きさは、特定の周波数帯域において測定され得る。プロセス３１０においては、１つより多い周波数の補完信号も使用され得る。複数の周波数が使用される場合、コントローラは、大きさの絶対値ではなく、帰還信号の大きさの比率として、異なる周波数における大きさの加重和を決定することができる。任意の周期及び／又は振幅の補完信号を使用することができる。好ましくは、振幅は、通常のヒータプレート（ＨＰ）制御を含む通常の湿度制御に補完信号が干渉しないように、十分に小さい。
【０３７６】
図３Ｄは、時間領域における、補完信号に対する例示的なヒータプレート応答を示す。図３Ｄに示すように、チャンバ内に十分な水がある場合（「ウェット」）３２４とチャンバ内に水がほとんどない又は全くない場合（「ドライ」）３２２との間の応答は、大きさ及び／又は位相が異なり得る。図３Ｅは、周波数領域における２つの応答（チャンバ内に十分な水がある場合（「ウェット」）３２６及びチャンバ内に水がほとんどない又は全くない場合（「ドライ」）３２８）を示す。上述のように、２つの応答の基本周波数の大きさの差によって、水切れ状態の検知を可能にすることができる。
【０３７７】
図３Ｅのチャートは、２つの応答の位相差に関する情報は提供しない。大きさの差及び位相の差は１つのグラフで示され得る。コントローラは、補完信号に対する応答の大きさ及び／又は位相に関する情報を受信することができ、これは特定の周波数帯域（例えば、補完信号の周波数）であってもなくてもよい。大きさの情報は、本開示の別の場所に開示される任意の方法で抽出され得る。更に、大きさ及び／又は位相情報は、他の方法、例えば、有限インパルス応答（ＦＩＲ：ｆｉｎｉｔｅ  ｉｍｐｕｌｓｅ  ｒｅｓｐｏｎｓｅ）フィルタ、相互相関の使用、ホモダイン検出若しくは直角位相変調の実施、及び／又はフーリエ変換によって抽出され得る。例えば、特定のビン又は周波数のフーリエ変換を計算するプロセスが実施され得る。上述の方法は、補完信号に対する応答を、図３Ｆ〜図３Ｈに示すような極座標又はデカルト座標（実数値及び虚数値を有する）として示され得る二次元空間内のデータ点に変換することができる。
【０３７８】
図３Ｆ〜図３Ｈは、信号空間ダイヤグラムの象限（０°〜９０°）として描かれた二次元空間内の大きさ及び位相の両方の例示的な表現、並びに例えば、大きさのみに基づく（図３Ｆ）、位相のみに基づく（図３Ｇ）、並びに大きさ及び位相の両方に基づく（図３Ｈ）、水切れ状態の異なる分類手法を示す。このダイヤグラムは、補完信号の位相に関する、補完信号に対する応答の高調波成分を示すことができる。例えば、基本（第１としても知られる）高調波成分がプロットされている。他の高調波成分が用いられる場合、分類器が他の高調波成分を単独で又は基本波成分と組み合わせて使用することができる。図３Ｆ〜図３Ｈに示すように、データ点は、全般的に、「ウェット」（水を有するチャンバ）領域３３０及び「ドライ」（水がほとんどない又は全くないチャンバ）領域３３２にクラスター化され得る。これら２つの領域を区別するために分類器を使用してもよく、それゆえ、コントローラは、水切れ状態が存在するかどうかを検知することができる。
【０３７９】
図３Ｆに示すように、補完信号に対する応答の大きさのみに基づいた水切れ検知方法は、分類境界３３４を決定することができる。分類境界３３４は、信号空間ダイヤグラムに対して同心の円弧であり得、円弧上の全ての点が、異なる位相における同じ大きさを表す。信号空間ダイヤグラムの原点から遠い方の、分類境界３３４の側にある任意のデータ点は、水切れ状態を示し得る。
【０３８０】
図３Ｇに示すように、補完信号に対する応答の位相のみに基づいた水切れ検知方法は、別の分類境界３３６を決定することができる。分類境界３３６は、信号空間ダイヤグラムの原点から生じた線であり得、線上の全ての点が、異なる大きさにおける同じ位相を表す。分類境界３３６から下の任意のデータ点は、水切れ状態を示し得る。
【０３８１】
水切れ状態が存在する分類境界の外側もまた、大きさ情報及び位相情報の両方を考慮に入れた任意の二次元形状のものであり得る。例えば、形状は、円形、エクリプス、ジグザグ線、信号空間ダイヤグラムの原点から生じない線、信号空間ダイヤグラムと非同心の円弧、又は自由形式境界であり得る。図３Ｈは、大きさ情報及び位相情報の両方を考慮に入れた分類境界の２つの例示的な二次元形状３３８、３４０を示す。データ点が、形状３３８の右側又は形状３４０によって囲まれた領域の外側の領域上にある場合、水切れ状態が検知され得る。大きさ情報及び位相情報の両方を使用すると、データ点が、大きさ又は位相のみに基づいた分類境界３３４、３３６に比べて境界から更に遠ざかることができるので、分類境界を向上させることができる。
【０３８２】
分類境界の位置及び／又は形状は、任意の適切な方法、例えば、多変量回帰、機械学習（例えば、サポートベクターマシン）、及び／又は他の訓練モデルを使用して決定され得る。
【０３８３】
図３Ｂに戻ると、決定工程３１８において、コントローラは、温度信号の大きさに基づいて加湿器チャンバ内の水の量を推測することによって水切れ検知解析を実施することができる。コントローラは、決定された大きさが低水及び／又は水切れ閾値を上回るかどうかを決定することができる。工程３２０において、決定された大きさが閾値を上回る場合、コントローラは、低水及び／又は水切れ警報を出力することができる。決定された大きさが閾値を上回らない場合、コントローラは、工程３１２に戻ることができる。
【０３８４】
本明細書に開示される、印加（例えば、注入）工程、受信工程、及び／又は測定工程などの検知プロセスは、大きさが閾値を上回るか否かと独立して連続的に起こり得る。したがって、図３Ａ及び図３Ｂを参照して記載される工程は、工程３０６、３２０においてそれぞれ低水及び／又は水切れ警報を出力後、図３Ａ及び図３Ｂのプロセスが第１工程（図３Ａの工程３０２及び図３Ｂの工程３１２）に戻ることができるように、連続的に動作し続ける。
【０３８５】
図４Ａは、上述のプロセス３００、３１０を実施するための系統図を示す。図４Ａに示すように、加湿器システム４００は、上述のシステム１００、２００、１０、１の特徴のいずれかであり得る及び／又は加湿器システム４００は、上述のシステム１００、２００、１０、１の特徴のいずれかを組み込むことができる。例えば、加湿器システム４００は、使用中に加湿器チャンバ４０３の伝導性ベースと接触し得るヒータプレート４２０を有するヒータベースユニット４０２を含み得る。ヒータプレート４２０は、加湿器チャンバ４０３を加熱するための１つ以上の加熱要素を含み得る。ヒータベースユニット４０２はまた、上述のように、１つ以上のヒータプレート温度センサ（少なくとも１つのサーミスタなど）を含み得る。
【０３８６】
ヒータベースユニット４０２のハウジング内に位置し得る加湿器システム４００の制御ユニットは、加湿療法の送達を制御するために定常状態のヒータプレート電力信号ＰHPを制御するためのヒータプレート電力コントロール４２２を含み得る。固有のシステムの応答の制約により、ヒータプレートコントロール及びその出力電力信号ＰHPは緩慢であり、そのスペクトル成分は、ＤＣから約０．００５Ｈｚにまで及ぶ。これは、図４Ｂに示され、図４Ｂでは、制御応答によるスペクトルエネルギーがスペクトログラムの底部近傍に低周波数でクラスター化している。制御ユニットはまた、波形発生器４２４を含み得る。波形発生器４２４は、補完又は特性電力又は通電信号ΔＰWOを発生し、これをヒータプレート電力信号ＰHPに重畳するように構成されている。補完信号ΔＰWOは、約５Ｗ〜約３０Ｗ、又は約１０Ｗ〜約２５Ｗ、又は約１５Ｗ〜約２０Ｗ、又は約１６Ｗ、又は約５Ｗ〜１５Ｗ、又は約５Ｗ〜１０Ｗ、又は約７Ｗ〜１０Ｗ、又は約８Ｗの全振幅を有し得る。１つの例示的な実装形態では、全振幅は、約５Ｗ〜約３０Ｗである。
【０３８７】
補完信号ΔＰWOは、所定周波数を有し得る（例えば、約０．００５Ｈｚ〜約０．０２５Ｈｚ、又は約４０秒〜約２００秒、若しくは約５０秒〜約１５０秒、若しくは約７５秒〜約１２５秒、若しくは約１００秒の周期を有する、又は約０．００５５Ｈｚ〜約０．０１５Ｈｚ、若しくは約０．００６Ｈｚ〜約０．０１０Ｈｚ、若しくは約０．００８３３Ｈｚ、又は約１２０秒の周期を有する）。補完信号ΔＰWOの１つ又は複数の周波数（ｆｒｅｑｕｅｎｃｙ  ｏｒ  ｆｒｅｑｕｅｎｃｉｅｓ）は、ヒータプレート電力信号ＰHPの周波数と異なり得る（例えば、ヒータプレート電力信号ＰHPの周波数よりも高い、又はヒータプレート電力信号ＰＨＰの周波数の少なくとも１．５倍）。補完信号ΔＰWOは、は、合成ヒータプレート電力信号ＰHP’を得るためにヒータプレート電力信号ＰHPと合計される。これは、２つの信号の周波数分割多重化に類似する。以下に記載するように、ヒータプレート電力信号ＰHPと補完信号ΔＰWOとの間の周波数領域保護周波数帯により、後のステージにおけるこれら信号の分離／逆多重化を容易にすることができる。
【０３８８】
図４Ｂは、約４０秒〜約２００秒、又は約８０秒〜約１２０秒の周期を有する補完信号ΔＰWOを伴う、スペクトログラム上に示される周波数領域内並びに時間領域内のヒータプレート温度信号ＴHP’の例示的な波形を示す。１つの例示的な実装形態では、周期は１２０秒である。約１／１２０Ｈｚの周波数帯域は、従来のヒータプレート制御信号ＰHP上に付加された補完信号ΔＰWOに対応する成分である。以下でより詳細に記載するように、これは、低水及び／又は水切れ状態が存在するかどうかを決定するために、バンドパスフィルタを通され、検出器４２８に送られる信号ΔＴWOを生成し得る。約１／１２０Ｈｚの周波数帯域よりも弱い約２／１２０Ｈｚの周波数帯域は、選択した印加波形形状のアーチファクトとしての、補完信号ΔＰWOの第２高調波である。約１／１２０Ｈｚの周波数帯域に比べてより高い強度を有する０Ｈｚ〜約０．００５Ｈｚの周波数応答が、起動時及び水切れ状態時の従来のヒータプレートコントローラの応答を表す。
【０３８９】
補完信号ΔＰWOは、三角波、方形波、鋸波、又はその他などの任意の周期的波形であり得る。波形は、従来のヒータプレートコントローラ及びその出力ＰHPのバイアスを回避するためにゼロ平均を有する。しかしながら、合計された電力ＰHP’は負になることができないので、選択される波形の負の振幅には限界がある。補完信号ΔＰWOは、所与の負の振幅に関して伝達される振幅を増大させ（場合によっては最大化し）、信号対雑音比を向上させるために非対称波形を有し得る。更に、補完信号ΔＰWOの波形は、実行時に容易に発生させることができる。補完信号ΔＰWOの波形はまた、ヒータプレートコントローラとの干渉を回避するために、低い高調波成分を有し得る。
【０３９０】
図４Ｃは、補完信号の波形候補の例、即ち、ゼロ平均に正規化後の、同じ負の振幅を有する、単純な三角波及び３乗した三角波を示す。３乗の三角波は、正の振幅と負の振幅との間の比が、単純な三角波などの対称な波形の比の１：１と比較すると、３：１である。
【０３９１】
図４Ｄは、フーリエ解析により計算した２つの波形候補のスペクトル成分を示す。３乗した三角波は、上位高調波（ｕｐｐｅｒ  ｈａｒｍｏｎｉｃｓ）における高いエネルギーを犠牲にして、同じ負の振幅に対し、基本周波数においてほぼ２倍のエネルギーを発することが分かる。これらの高調波は、ヒータプレートコントローラに干渉する場合がある。しかしながら、図４Ｅのヒータプレート温度のボード線図（周波数伝達のプロット）に示すように、周波数が高いほど高度に減衰されるので、制御ユニットによるヒータプレート温度の制御に上位高調波が及ぼす影響は少ない及び／又はごくわずかである。
【０３９２】
図４Ａを引き続き参照すると、コントローラは、合成ヒータプレート電力信号ＰHP’を呼吸器加湿器システム４００のヒータプレート４２０に送り、ヒータプレート４２０に通電することができる。コントローラは、ヒータプレート温度センサから温度センサ信号ＴHP’を受信することができる。温度センサ信号ＴHP’は、ヒータプレート電力信号ＰHP及び補完信号ΔＰWOに応答したものである。図４Ｆは、合成信号ＰHP’の例示的な波形及び温度センサ信号ＴHP’の例示的な波形を示す。
【０３９３】
図４Ａを更に参照すると、温度センサ信号ＴHP’は、（例えば、バンドパスフィルタ４２６によって）フィルタリングすることにより逆多重化することができる。補完信号による外乱は、フィルタによって遮断され、定常状態のヒータプレート温度信号ＴHPが生成されて、ヒータプレートコントロール４２２に戻り、呼吸器加湿器システム４００の通常動作を維持することができる。補完信号ΔＰWOと同じ基本周波数の、帰還温度信号ΔＴWO（フィルタ４２６を介してＴHP’を帯域通過させるにより生成され得る）は検出器４２８に供給され得る。検出器４２８は、任意の適切な水切れ検知アルゴリズムを実施することができる。
【０３９４】
図４Ｇは、ヒータプレート温度信号ＴHPと帰還温度信号ΔＴWOとを分離するための、２次の無限インパルス応答（ＩＩＲ：ｉｎｆｉｎｉｔｅ  ｉｍｐｕｌｓｅ  ｒｅｓｐｏｎｓｅ）フィルタである例示的なフィルタを示す。ＩＩＲフィルタは、帰還信号ΔＴWOを生成するためのバンドパスフィルタ又は定常状態のヒータプレート温度信号ＴHPを生成するためのバンドストップフィルタであり得る。このフィルタリングを実施するために、有限インパルス応答（ＦＩＲ）フィルタ又はカスケード型積分器櫛形（ＣＩＣ：Ｃａｓｃａｄｅｄ  ｉｎｔｅｇｒａｔｏｒ−Ｃｏｍｂ）フィルタなどの異なる種類のフィルタを実装することができる。コントローラは、また、計算作業負荷を低減するためにサンプリングを毎秒行わなくてもよいマルチレート処理を実施することができていてもよい。        
【０３９５】
ヒータプレートのサーミスタによる例示的な温度測定
ヒータプレート温度は、１つのサーミスタによって測定することができ、サーミスタの抵抗は温度に関係する。ヒータプレート温度は、２つのサーミスタによって測定されることができていてもよい。制御ユニットは、２つのサーミスタから１つの入力を受け取ることができる。
【０３９６】
サーミスタは、分圧器回路を使用し、サーミスタの抵抗の変化から生じる電圧の変化を測定することによって温度を測定することができる。サーミスタの抵抗は、温度が変化するにつれて変化する。サーミスタの抵抗は、サーミスタの電圧の変化に相関する。このサーミスタの電圧は、制御ユニットのマイクロコントローラなどのマイクロコントローラのアナログデジタル変換器（ＡＤＣ：ａｎａｌｏｇ−ｄｉｇｉｔａｌ  ｃｏｎｖｅｒｔｅｒ）入力に送られる。制御ユニットは、サーミスタのデータシートに基づき、計算モデル（多項方程式又はその他など）を用いて、電圧表示値を温度値に変換することができる。電圧表示値からの温度の計算は、電圧表示値を抵抗値に変換し直して、ルックアップテーブルから対応する温度値を探すことに比べてより効率的になり得る。
【０３９７】
例示的な低水及び／又は水切れ検知アルゴリズム
上述のプロセス３００、３１０の最後の工程で実施され得る例示的な低水及び／又は水切れ検知アルゴリズムについて、図５Ａを参照しながらここで説明する。制御ユニットは、帰還信号の大きさ及び／又は位相を数値スコアに変換することができる。低水及び／又は水切れ状態の作動閾値の数値スコアに達すると、制御ユニットは、低水及び／又は水切れ通知を出力することができる、及び／又はバイナリマスク値１を出力することにより低水及び／又は水切れ警報を作動させることができる。閾値の数値スコアが作動停止閾値未満になると、制御ユニットは、バイナリマスク値０を出力することにより低水及び／又は水切れ警報を作動停止させることができる。
【０３９８】
図５Ａに示すように、工程５０２において、制御ユニットは、過渡事象による誤った表示値を排除するために、温度表示値のスパイクをクリップすることができる。その閾値は、線外値の下流の影響を低減する一方で正常な応答に影響を及ぼさないように、正常な信号振幅のすぐ外側になるように設定される。高速の過渡事象（ｔｒａｎｓｉｅｎｔｓ）及び／又はスパイクは、フィルタの初期化、フィルタのリンギング、物理的外乱、加湿器チャンバの水充填等などの事象に起因し得る。高速の過渡事象は、豊富な高調波成分を有する場合があり（例えば、ディラックのデルタインパルスは、全周波数にエネルギーを有し得る）、数値スコアの急なスパイク及び／又は誤った水切れ警報を引き起こす可能性がある。バンドフィルタのＱ値もまた、フィルタの選択性を向上させるために、群遅延を低減するために、及び／又はフィルタのリンギング効果を低減するために、最適化され得る。例えば、リンギングを低減するために、低いＱ値を持つバンドフィルタが選択され得る。
【０３９９】
工程５０４において、帰還温度信号ΔＴWOを受信すると、制御ユニットは、帰還温度信号ΔＴWOの大きさを測定することができる。コントローラは、帰還温度信号ΔＴWOの瞬時値を２乗し、この２乗値を下流のローパスフィルタを用いて平均化することによって、２乗平均平方根（ＲＭＳ）操作に似た大きさを測定することができる。コントローラはまた、真のＲＭＳ値を得るために、平均値の２乗平均平方根を計算することができていてもよい。しかしながら、これは必須でなくてもよく、平方根工程は省略することができ、制御ユニットの計算負荷を低減することができる。
【０４００】
図５Ａに示すように、工程５０２において得られた大きさの瞬時値を平均化するために、工程５０６において、ローパスフィルタ（ＩＩＲフィルタなど）を適用することができる。
【０４０１】
工程５０６において、制御ユニットはまた、誤検知による水切れ警報を引き起こすおそれのある高速の過渡スパイクにフィルタが反応することを防ぐために外乱抑圧策を用いることができる。外乱抑圧策としては、ヒータプレートが設定点温度にない場合にフィルタの更新を選択的に減速することが挙げられ得る。選択的減速は、ヒータプレート温度の制御偏差（εHP）にフィルタ係数を乗じ、εHPが大きいときの以前の値に近い値を出力することによって達成され得る。
【０４０２】
工程５０８において、制御ユニットは、工程５０６の後で得られた数値スコアが閾値境界を上回るか下回るかを決定することができる閾値弁別器（ヒステリシスを有する単純な閾値弁別器など）を適用することができる。閾値境界は、０．１７度ＲＭＳ（２ｄ．ｐ．）に等しくなり得る又は任意の他の適切な境界であり得る。工程５０６の後で得られた数値スコアが閾値境界を超える場合、制御ユニットは、低水及び／又は水切れ通知を出力することができる、及び／又は警報（視覚及び／又は音声キュー又はその他など）を発することができる。図５Ｂは、水切れ状態が起こる際の例示的な水切れスコアを示す。図５Ｂに示すように、コントロールは、水切れスコアが約１０を超えると水切れ警報を作動させることができる。
【０４０３】
例示的な更なる温度信号大きさ決定
工程５０２において、帰還温度信号ΔＴWOの大きさはまた、直接変換受信機（ホモダイン）に似た原理を使用して決定されることができていてもよい。具体的には、整合フィルタリングを、帰還信号ΔＴWOと補完信号ΔＰWOとを畳み込み積分することにより実施することができ、これには、大きさ情報及び位相情報の両方を含む。これにより、全ての高調波を同時に処理することを可能にするとともに、弁別性能の向上を提供することができる。複数の周波数を有する信号を同時に処理することができる。制御ユニットは、制御ユニットの計算負荷を低減するために、帰還温度信号ΔＴWOの大きさを、位相を決定することなく整合フィルタリングによって計算することができていてもよい。
【０４０４】
帰還温度信号ΔＴWOの大きさはまた、図６に示される電子回路に似た漏洩ピーク（ｌｅａｋｙ  ｐｅａｋ）検出器（漏れを制御したピーク検出器）の実装を使用して決定されることができていてもよい。帰還温度信号ΔＴWOの振幅が高い場合、コンデンサはピークに一致するまで蓄電する。帰還温度信号ΔＴWOの振幅が低い場合、コンデンサはゆっくりと放電する。抵抗器の抵抗値及びコンデンサの静電容量値は、コンデンサが放電し、振幅の低下に反応するのにかかる時間を制御するように選択され得る。コンデンサの最大充電振幅は、帰還温度信号ΔＴWOの最大の大きさを示す。
【０４０５】
例示的な警報リセット
低水及び／又は水切れ警報を出力後、制御ユニットは、数値的な水切れスコアに基づくものと異なる手法で警報をリセットすることができる。即ち、低水及び／又は水切れ検知アルゴリズムからのバイナリマスク出力０を待つ。工程５０６におけるローパスフィルタは、過渡条件による誤った作動を回避するよう緩慢になるように選択される。これにより、水切れスコアが、水の補充後ある期間にわたって高いままになり得る。したがって、水切れスコアを用いた水切れ警報のリセットは緩慢になる場合がある（例えば、温度信号減衰は数分ほどになり得る）。
【０４０６】
制御ユニットは、ヒータプレート温度の温度低下がその設定点を下回るのを監視することにより（例えば、ＴHP＜（ＴHP_SETPOINT−３℃）であれば）水切れ警報をリセットすることができていてもよい。このリセット条件は、加湿器チャンバに冷水が補充される際に、制御ユニットが約３０秒の検知時間を有することを可能にできる。通常動作下において、ヒータプレート温度コントロールは、ヒータプレートを設定点に近い状態に維持する。それゆえ、ヒータプレート温度の低下を使用して冷水の補充を検知することができる。これは、ヒータプレート温度をこのように素早く低下させるケースは冷水の補充以外にないからである。この方法は、より高温の水が加湿器チャンバに補充される場合には異なる検知時間を有し得る。リセット条件の閾値として３℃以外の値も使用することができる。このリセット条件は、制御ユニットがバイナリマスク出力０に戻るような信号減衰を待つのに比べてより効果的であり得る。
【０４０７】
本明細書に開示される低水及び／又は水切れ検知システム並びに方法は、他の温度センサの表示値、ガス流量、及びその他に典型的に依存する熱伝導率決定に基づく水切れの検知に比べてより有利であり得る。以下に説明するように、本低水及び／又は水切れ検知開示は、低水及び／又は水切れ状態のより早い検知、低水及び／又は水切れ状態のより正確及び／又は信頼性の高い検知を提供するとともに、より少数のセンサ構成要素を必要とする。
【０４０８】
本明細書に開示される低水及び／又は水切れ検知システム並びに方法は、流量変化から独立させることができる。流量変化は、ヒータプレート伝達関数のＤＣ（即ち、定常状態）動作点を変化させる場合がある（例えば、流量増加時には温度を維持するためにより多くの電力が必要であり、ＤＣゲイン（℃／Ｗ）の減少をもたらす）が、補完信号が存在する場合、高周波成分には影響を及ぼさない。図７に示すように、ヒータプレート温度ゲインの変化は、低水及び／又は水切れ検知アルゴリズムが適用されるより高い周波数ではごくわずかである。呼吸器加湿器システムではまた、低流量非侵襲療法（例えば、約１０Ｌ／ｍｉｎ未満の小児非侵襲療法の流量）又は極めて低流量の侵襲療法（例えば、約５Ｌ／ｍｉｎ未満の新生児侵襲療法）の場合における水切れ状態の検知がより正確になり得る。
【０４０９】
本明細書に開示される低水及び／又は水切れ検知システム並びに方法はまた、ヒータプレートコントロールから独立させることができる。水切れ検知プロセスがシステムの通常動作に取って代わる必要はない。伝達関数全体で低水及び／又は水切れ状態を検知するのではなく、特定の周波数における加湿器チャンバの特性を使用して、エラーに曝されるのを低減し、検知方法のレジリエンスを向上させる。補完信号は、多重化され、その後、周波数分割を介してヒータプレート制御信号から逆多重化され得る。この（逆）多重化プロセスは、透明であることができ、湿度送達に使用されるヒータプレートコントロールに干渉することはできない。したがって、システムの通常動作に取って代わることを必要とする一部の検知プロセスとは異なり、本明細書に開示される低水及び／又は水切れ検知プロセスは、連続的に実行することができる。水切れ検知プロセスはまた、複雑な状態遷移及び／又はトリガー条件を伴わない。
【０４１０】
水切れ検知プロセスは加湿器チャンバの比熱容量を連続的に測定し、数値スコアを出力することができるので、制御ユニットはまた、数値的な水切れスコアを様々な閾値境界と比較することができる。様々な閾値境界により、制御ユニットがまた、実際の水切れ状態が起こる前に、「低水」警告などの潜在的な警告を任意選択的に提供することを可能にすることができる。
【０４１１】
本明細書に開示される水切れ検知プロセスはまた、制御ユニットが異なる種類の加湿器チャンバを区別することができる及び／又はチャンバがヒータベースユニットと係合していない場合に検知することができるように、特徴的な応答を観測することを可能にできる。
【０４１２】
例示的な低水及び／又は水切れ検知システムの概要
本明細書に記載されるように、加湿器チャンバ内の低水及び／又は水切れ状態を検知する特定の例示的な方法は、ヒータプレートの温度測定値に一部基づく。しかしながら、ヒータプレートアセンブリの他の構成要素の存在は、ヒータプレートアセンブリの加熱要素に提供される所与の電力に対する真のヒータプレート温度に測定温度ＴHP（ヒータプレート温度）が対応しないような、エネルギー損失及び／又は熱の非効率性を生じさせる可能性がある。幾つかの別の構成では、ヒータプレート温度が、水温を表すものとして又は水温の代替として使用される場合がある。これは、低水及び／又は水切れ状態検知手法の精度を低下させる。更に、ヒータプレートアセンブリの様々な構成要素間の乏しい熱接触による追加的な損失が、低水及び／又は水切れ状態検知の不正確性に寄与するおそれがある。図８Ａ及び図８Ｂは、寄生容量要素及び／又は低水及び／若しくは水切れ検知の抵抗をいかにして低下させるかの理解を助けるための例示的なシステム又は回路モデル８００、８０１を概略的に示す。システム８００、８０１はまた、水の静電容量の検知を高める又は最大化するように構成され得る。システム８００、８０１は、加熱要素並びに上部加熱プレート及び下部プレートを含むヒータプレート構成要素の熱的結合を向上させ、加湿器チャンバとヒータプレートとの間の接触を向上させるように構成され得る。
【０４１３】
システム８００、８０１は、ヒータプレート温度測定点Ｔ＿ＨＰで見られるような特定の周波数における伝達関数のゲインを測定することができる。このゲインは、水の存在又は欠如（又は必要であれば比熱容量）と相関し得る。
【０４１４】
システム８００、８０１に見られるように、ヒータプレート温度測定点にある又はヒータプレート温度測定点の下流の構成要素は全てゲインに寄与し得る。システム全体の効果的な電気モデルは、寄生静電容量及び抵抗を含む、システムの全体的なゲインの理解の向上を提供する。静電容量Ｃwaterに加えて、構成要素はまた、静電容量ＣheaterPlate、Ｃchamber、並びに抵抗θ２（ヒータプレート−チャンバ接点）及び抵抗θ３（チャンバ−水接点）を含む。水の抵抗θevaporationは、ＤＣ動作点を変化させるが、高周波では伝達関数に大きな影響を及ぼさない。更に、システム８０１においては、ヒータプレート温度測定点の両側にある全ての構成要素が、ヒータプレートで観測される温度値に影響し得る。システム８０１の各ステージ（例えば、上部加熱プレート、加湿器チャンバ等）は、熱がチャンバ内の水に進入する際に温度上昇の信号を減衰させる抵抗器−コンデンサ（ＲＣ）ステージ（図８Ｃを参照）として解釈され得る。これにより、異なる測定点における定常状態温度差（ＤＣ減衰）並びに、高周波におけるローパスフィルタリング及び／又は追加的な減衰を生じさせる。
【０４１５】
これらの余分な寄生項（ＣheaterPlate、Ｃchamber、θ２、及びθ３など）を最小限にし、Ｃwaterの寄与のみを測定することが望ましい場合がある。例えば、Ｃ項が、Ｃwaterに比べて大きい場合（例えば、厚い金属ベースを有するチャンバの場合のＣchamber、又はＣheaterPlate、ＣtopPlate及び／又はＣbotPlateが大きい場合）、例えば、０〜５ではなく１０〜１５の差が存在するので、Ｃwaterによるゲインの変化はより小さくなる。同様に、熱抵抗θ項（例えば、θ２又はθ３）が大きい場合、Ｃwaterは、ヒータプレート温度測定値からより切り離されることになる。その結果、Ｃwaterによる変化が、測定されるゲインにほとんど影響を及ぼさない可能性がある。寄生項が増加すると、印加特性通電信号が寄生項内で失われるので、水切れ検知方法の精度が低下する。信号の損失、又は水で受信される特性通電信号が減少することにより、水切れ検知方法の精度及び有効性が低下する。図８Ｂは、システムのより詳細なモデルを示す。図８Ｂは、ヒータプレートが、ヒータ要素並びに上部加熱プレート及び下部プレートとしてモデル化され得ることを示す。システム内の各要素は、ＲＣ回路としてモデル化される。図８Ｂに見られるように、下部プレートは、抵抗器及び静電容量としてモデル化される。加熱要素及び上部加熱プレートは、同様にモデル化される。
【０４１６】
図８Ｃに示すように、図８Ａ及び図８Ｂのシステム内のこれら抵抗項と静電容量項との間の相互作用により、ＲＣフィルタを形成し、各ＲＣステージに極を導入することによって高周波信号を減衰させる。一次ＲＣフィルタの帯域幅は、その時定数τ＝ＲＣに関連する。これは、出力が入力の６３％に到達する時間を表し、その帯域幅（ラジアン／秒）の逆数でもある。高周波において、時定数が小さいフィルタは最小限の効果を有するが、大きい時定数はより大きな減衰効果を有し得る。低水及び／又は水切れ検知プロセスにおいて印加される波形の高周波エネルギーを加湿器チャンバ内の水により直接的に伝達することを可能にするために、寄生項においては低いτ値が望ましい。時定数が大きいほど、印加波形の減衰を生じさせることができ、印加波形の帰還振幅の低下をもたらす。
【０４１７】
Ｒ項又は／及びＣ項の値を減少させて、τを減少させることができる。Ｃの値の減少は、（上部及び／又は下部プレートにより少ない材料を使用するなどによって）ＣbotPlate及びＣtopPlateを減少させることによって達成され得る。Ｒの値（即ち、θ１ａ、θ１ｂ、及びθ１ｃ）の減少は、熱エネルギー伝達を向上させることによって達成され得る。以下でより詳細に記載するように、コンプライアント電気絶縁体材料を付加して、加熱要素と上部加熱プレート及び下部プレートとの熱的結合を向上させることができる。電気絶縁体は熱伝導体である。コンプライアント絶縁体を使用すると、システムの要素、特にヒータプレートアセンブリの構成要素間の熱的結合が向上することによりＲ項が減少する。ヒータプレートアセンブリのＲ値の減少により、同じ帰還信号振幅の達成に必要な、低水及び／又は水切れ検知のための特性通電信号の波形を小さくすることが可能になる（したがって、図８Ｄに示すようなより低い電力レベルにおけるクリッピングの可能性が低下する）。
【０４１８】
図８Ｄは、印加特性通電信号の例示的なクリッピングを示す。図８Ｄは正弦波を示すが、クリッピングを減少させる原理は、３乗の三角波形などの他の波形に等しく当てはまり得る。本明細書に開示されるヒータプレートにおいて負電力を得ることはできない。したがって、負電力値はクリッピングされる。幾つかの場合では、電源限界に到達した場合、大きな正電力がクリッピングされ得る。本開示の加湿器は、概して、電源電力から切り離した状態で動作する、又はバッテリー電源を含んでもよい。動作電力範囲は、正電力値のクリッピングをもたらさない可能性がある。クリッピングの範囲を低減するために、印加特性通電信号の負の振幅｜ｍｉｎ（Ｐwave）｜は、通常使用｜Ｐss｜時の最低定常状態電力よりも小さく維持され得る。例えば、より低流量の状況時にはより低い定常状態電力が発生し得る。しかしながら、その一方で、より大きな特性通電信号（例えば、より大きな注入信号）振幅は、信号対雑音比を向上させることができるとともに、帰還信号のセンシング及び／又は測定を向上させることができる。損失を補償し、帰還信号を得るためには、より大きな印加信号が必要な場合がある。帰還信号の振幅の一層の増大又は信号対雑音比の向上は、水切れ検知を補助することができる。より大きな印加信号はまた、ヒータプレートの様々な構成要素を介した熱損失が原因で必要な場合がある。電気絶縁体材料は、所与の信号振幅における特性通電信号の熱応答性を高めることができる。換言すると、電気絶縁体材料は、より小さな特性通電信号振幅で同じ熱応答性の大きさを達成することを可能にし、これにより印加信号のクリッピングの可能性を低下させる。
【０４１９】
図９は、国際公開第２０１５０３８０１４号に記載されているような例示的なヒータプレートアセンブリ９００を示す。図９Ａに示すように、ヒータプレートアセンブリ９００は、とりわけ、上部加熱プレート９１０と、下部プレート９２０と、加熱要素サブアセンブリ９３０と、加熱要素サブアセンブリ９３０と上部加熱プレート９１０との間の単一の絶縁シート９４０とを含み得る。絶縁シート９４０は、ポリエーテルエーテルケトン（ＰＥＥＫ）材料、又は本明細書に開示される可撓性及びコンプライアント熱インターフェース材料であってもよい。本開示におけるコンプライアントとは、材料を挟んでいる表面（例えば、図１３Ｂ及び図１３Ｄの熱インターフェース材料１３３８を参照）間のエアギャップを材料が変位させることができるように、材料が柔らかくなり、圧縮可能になる、及び／又は表面の形状に適合することができる能力を意味し得る。絶縁シート９４０はまた、弾性であることができ、これにより、絶縁シート９４０が上部加熱プレート及び／又は下部プレートの剪断力及び動きに適応することを可能にする。
【０４２０】
図９Ａは、電気絶縁シート９４０又はシート９４１に使用される熱インターフェース材料などの、少なくとも熱インターフェース材料の層を少なくとも使用することにより熱移動を向上させた別の例示的なヒータプレートアセンブリ９００を示す。図９Ｂ〜図９Ｄは、組み立てられたときの（電源に接続するための線は示さない）図９Ａのヒータプレートアセンブリ９００を示す。熱インターフェース材料を使用すると、ヒータプレートから加湿器チャンバへの結合が向上し、印加される特性通電信号の波形の振幅を減少させることができる。これにより更に、低流量時、低湿度時、及び／又はチャンバのない場合などの、本明細書に開示される低水及び／又は水切れ検知方法をより低い電力レベルで実施することが可能になる。更に、熱インターフェース材料を使用すると、ヒータプレートの構成要素の熱的結合が向上し、加熱要素サブアセンブリによって発生した熱の大部分（又は全て）が上部加熱プレート及び加湿器チャンバ内の水により効率的に伝達される。
【０４２１】
図９Ａに示すように、ヒータプレートアセンブリ９００は、とりわけ、上部加熱プレート９１０と、下部プレート９２０と、加熱要素サブアセンブリ９３０と、絶縁シート９４０と、シート９４１とを含み得る。絶縁シート９４０は、電気ショックリスクを生じさせるおそれのある短絡並びに／又は上部加熱プレート９１０及び／若しくは下部プレート９２０への電流の伝達を防ぐための電気絶縁体であり得る。シート９４１は、電気絶縁性であってもなくてもよい（即ち、シート９４１は、導電性であってもなくてもよい）。絶縁シート９４０又はシート９４１は、１つのＰＥＥＫシートと１つのコンプライアント熱インターフェース材料とを含んでもよい。１つの構成では、絶縁シート９４０及びシート９４１は両方とも、ヒータプレートアセンブリ９００にボルトで固定され得る柔らかいコンプライアント熱インターフェース材料であることができ、したがって、加熱要素と上部加熱プレート及び下部プレートを含むヒータプレートアセンブリの構成要素との熱的結合（即ち、加熱要素と上部加熱プレート及び下部プレートを含むヒータプレートアセンブリの構成要素との間の熱接触）を向上させるために、側方に動くことができる、又は好ましくは、全方向に動くことができる。上部加熱プレート９１０及び下部プレート９２０は、剛性であり得る。上部加熱プレート９１０は、使用されていないときに周囲空気に少なくとも一部曝されてもよい。例えば、上部加熱プレート９１０の上面は、加湿器チャンバがヒータベース上に配置されていないときに周囲空気に少なくとも一部曝されてもよい。加湿器チャンバがヒータベース上に配置されると、上部加熱プレート９１０の上面は、加湿器チャンバの底面（即ちベース）に接触することができる。上部加熱プレート９１０は熱伝導性材料から作成され得る。加湿器チャンバの底面もまた、熱伝導性材料を含んでもよい。上部加熱プレート９１０及び下部プレート９２０は、アルミニウムなどの金属材料を含み得る。ヒータプレートアセンブリの例示的な構成要素の更なる詳細は、その内容全体が参照により本明細書に組み込まれる国際公開第２０１５０３８０１４号に記載されている。
【０４２２】
図９Ｅは、例示的な加熱要素サブアセンブリ９３０を示す。加熱要素サブアセンブリ９３０は、１つ以上の電気絶縁層を含むことができ、１つ以上の電気絶縁層の間に加熱要素が挟まれている。加熱要素は、非導電性コアに巻回された１つ以上の加熱フィラメントを含み得る。図９Ｅに示すように、加熱要素サブアセンブリ９３０は、加熱要素を電源に接続するための線９３６を含み得る。加熱要素サブアセンブリ９３０はまた、第１の電気絶縁層９３２及び第２の電気絶縁層９３４を含み得る。それ自体も加熱要素である物理的なプレートは項θ１ａ〜θ１ｂ（図８Ｂを参照）を完全に排除することが可能である。しかしながら、加熱要素は商用電源によって給電されるので、電気絶縁層により安全性を向上させることができる。複数の絶縁層９３２、９３４のそれぞれが、電気絶縁及び熱伝導を提供することができる。複数の絶縁層９３２、９３４は、マイカシート、又はシリコーン、ポリエーテルエーテルケトン（ＰＥＥＫ）、若しくはポリイミド（例えば、Ｋａｐｔｏｎ、Ｅ．Ｉ．ｄｕ  Ｐｏｎｔ  ｄｅ  Ｎｅｍｏｕｒｓ  ａｎｄ  Ｃｏ．の登録商標）などの他のシート電気絶縁体から作成され得る。絶縁層９３２、９３４は、加熱要素サブアセンブリ９３０に接着又はそうでなければ締結することができ、ヒータプレートアセンブリ９００の他の構成要素に対して動かすことはできない。追加の絶縁層を、テープで貼り付けること又はそうでなければ締結することができていてもよい。絶縁層９３２、９３４は、非可撓性又は剛性であり得る。絶縁層９３２、９３４は、同じ厚さを有することができる、又は代替的に、１つの層をもう一方の層よりも厚くすることができる、異なる厚さのものであり得る。例えば、絶縁層の１つ以上は、厚さ約０．４ｍｍ超、又は厚さ約０．４ｍｍ未満であり得る。第３の電気絶縁体層（図９Ｅに図示しない）を加熱要素サブアセンブリ９３０に含めることができる。例えば、第３層は、第２層９３４に隣接して又は第１層９３２に隣接して位置することができる。
【０４２３】
幾つかの構成では、加熱要素サブアセンブリ９３０は、サブアセンブリ９３０の両面にマイカシートを有する。マイカシート及び絶縁シート９４０又はシート９４１は、加熱要素と上部加熱プレート９２０との間に二重電気絶縁を提供することができる。
【０４２４】
絶縁シート９４０又はシート９４１は、コンプライアント又は可撓性であり得る（例えば、限定されるものではないが、約５０〜約１００、又は約７０〜約９０、又は一例では約８０のショア００硬度値を有するなど）。絶縁シート９４０又はシート９４１は、滑らかな表面を持つコンプライアント材料を有するシリコーン系のガラス繊維強化熱インターフェース材料を含み得る。絶縁シート９４０は、シートの両面において非粘着性であり得る。絶縁シート９４０とシート９４１は、同じ材料又は異なる材料で作成され得る。
【０４２５】
絶縁シート９４０又はシート９４１の例としては、例えば、限定されるものではないが、Ｂｅｒｇｑｕｉｓｔにより製造されているＳｉｌ−Ｐａｄ  Ａ１２００、Ｓｉｌ−Ｐａｄ  ９００Ｓ、Ｓｉｌ−Ｐａｄ  Ａ２０００、若しくはＧａｐ  Ｐａｄ  ＶＯ、又はＬａｉｒｄ  Ｔｅｃｈｎｏｌｏｇｉｅｓにより製造されているＴｇｏｎ  ８０５−Ａ０（接着剤なし）若しくはＴｇｏｎ  ８０５−Ａ１（片面に接着剤あり）が挙げられ得る。
【０４２６】
絶縁シート９４０又はシート９４１は、接着剤を含み得る又は接着剤なしであり得る。熱インターフェース材料は、例えば、限定されるものではないが、少なくとも４ｋＶ  ＡＣ、又は少なくとも５ｋＶ  ＡＣ、又は少なくとも６ｋＶ  ＡＣの最小破壊電圧を有するなど、ＩＥＣ  ６０６０１−１規格に準拠し得る。絶縁シート９４０又はシート９４１は、例えば、約０．００２”（０．０５ｍｍ）〜約０．０４”（１．０２ｍｍ）、又は約０．００２”（０．０５ｍｍ）、約０．００３”（０．０８ｍｍ）、約０．００５”（０．１３ｍｍ）、約０．００６”（０．１５ｍｍ）、約０．００９”（０．２３ｍｍ）、約０．０１２”（０．３１ｍｍ）、約０．０１５”（０．３８ｍｍ）、約０．０１６”（０．４１ｍｍ）、約０．０１８”（０．４６ｍｍ）、約０．０２”（０．５１ｍｍ）、約０．０２５”（０．６４ｍｍ）、約０．０３”（０．７６ｍｍ）、又は約０．０４”（１．０２ｍｍ）の厚さを有し得るが、これらに限定されない。絶縁シート９４０又はシート９４１は、電気絶縁を提供することができるとともに、加熱要素９３０と上部加熱プレートとの間の熱伝導（例えば、限定されるものではないが、約１．８Ｗ／（ｍ．Ｋ）の熱伝導率を有する）も向上させることができる。コンプライアント絶縁シート９４０は、加熱要素９３０と上部加熱プレート９１０との間の形状に適合し、加熱要素９３０を上部加熱プレート９１０により良好に熱的に結合することによって熱伝導率を向上させることができる。絶縁シート９４０又はシート９４１はまた、加熱要素サブアセンブリ９３０と上部加熱プレート９１０との間の任意のギャップを埋めるために、非可撓性又は剛性の絶縁層９３４に対して摺動又は並進させることができる。加熱要素サブアセンブリ９３０と上部加熱プレート９１０との間の熱的結合の向上は、水切れ方法を向上させることができる。
【０４２７】
熱的結合を向上させた例示的なヒータプレートアセンブリの更なる詳細については、図１０〜図１９Ｆを参照して記載する。図１０は、熱インターフェース材料のない構成を示す。図１０は、二重絶縁を備えたヒータプレートの積み重ね構成１０００を示す。二重絶縁とは、加熱要素と各プレートとの間の２つの別個の離散的な絶縁材料層を意味する。この絶縁は、電気絶縁である。図１０では、第１の二重電気絶縁機構は、加熱要素１０３５と上部加熱プレート１０１０との間の１つのマイカ層１０３６及びＰＥＥＫ層１０３８である。第２の二重電気絶縁機構は、加熱要素１０３５と下部プレート１０２０との間の２つのマイカ層１０３２、１０３４である。２つの別個の絶縁材料層は、冗長性を提供することができる。即ち、１つが破損した場合に、第２の絶縁材料層が存在する。熱インターフェース材料を有するヒータプレートアセンブリにおいては、第１の二重電気絶縁機構は、加熱要素と上部加熱プレートとの間の１つのマイカ層及び熱インターフェース材料であってもよい。二重電気絶縁を達成するように配置することができる絶縁体シートのいくつかの異なる順列及び組み合わせがある。幾つかの構成では、２つを超える絶縁体シートがある。上部加熱プレート１０１０は、下部プレート１０２０に面する側にある第１絶縁層１０３２及び第２絶縁層１０３４と、上部加熱プレート１０１０に面する側にある第３絶縁層１０３６及び第４絶縁層１０３８との間に挟まれた加熱要素１０３５を受け入れるための凹部を含み得る。第１層１０３２、第２層１０３４、及び第３層１０３６は、マイカシートを含み得る。第４層１０３８は、可撓性／コンプライアント熱インターフェース材料を含み得る。代替的な構造では、第４層１０３８は、ＰＥＥＫシートを含み得る。コンプライアント熱インターフェース材料は、移動して上部プレート及び下部プレートの形状に適合できることと、間に熱インターフェース材料が配置されている様々な構成要素間のエアギャップを埋めるように圧縮でき、熱接触を向上させることができることが理由で好ましい。下部プレート１０２０は、ほぼ均一な厚さ（略円盤形状を有するなど）を有することができ、第１絶縁層１０３２に隣接して配置され得る。下部プレート１０２０の外縁は、上部加熱プレート１０１０に接触することができる。
【０４２８】
ヒータプレートアセンブリは、１つのコンプライアント熱インターフェース材料層を有することができていてもよい。この１つの層は、加熱要素と上部加熱プレートとの間に位置し得る。１つのコンプライアント熱インターフェース材料層は、必要な電気絶縁を提供するのに十分な厚さを有し得る。或いは、コンプライアント熱インターフェース材料層は、別の場所に記載されるような更なる電気絶縁層とともに使用することができる。ヒータプレートアセンブリはまた、２つのコンプライアント熱インターフェース材料層を有することができる。
【０４２９】
図１１は、ヒータプレート構成要素の熱的結合を向上させる例示的なヒータプレートの積み重ね構成１１００を示す。熱的結合の向上は、必要な電気絶縁も達成しつつ達成される。スタック構成により、加熱要素から各プレートを電気的に絶縁してショックを防ぐための二重電気絶縁機構を達成する。上部加熱プレート１１１０は、下部プレート１１２０に面する側にある第１絶縁層１１３２及び第２絶縁層１１３４と、上部加熱プレート１１１０に面する側にある第３絶縁層１１３６及び第４絶縁層１１３８との間に挟まれた加熱要素１１３５を受け入れるための凹部を含み得る。第１層１１３２、第２層１１３４、及び第３層１１３６は、マイカシートを含み得る。第４層１１３８は、上述のシート９４０又はシート９４１の材料であり得る熱インターフェース材料を含み得る。図１２Ａに示すように、絶縁層Ａ（図１１の第４層１１３８であり得る）は、上部加熱プレート１２１０の下面に位置し、加熱要素サブアセンブリと接触するように構成されている。熱インターフェース材料の第４層１１３８即ち絶縁層Ａは、上部加熱プレートと加熱要素サブアセンブリとの間の接触を向上させることができる。
【０４３０】
図１１に示すように、別個の熱インターフェース材料層１１３９が、上部加熱プレート１１１０と下部プレート１１２０との境界面に位置し得る。２つの熱インターフェース材料層１１３８、１１３９は、図９Ａの絶縁シート９４０又はシート９４１であり得る。別個の層１１３９は電気絶縁性であってもよいが、電気絶縁性である必要はない（即ち、導電性であってもよい）。この別個の層１１３９はまた、図１２Ａに絶縁層Ｂとして例示される。層Ｂは、上部加熱プレート１２１０の下面上に隆起した表面上に位置し得る。層１１３９即ち層Ｂは、上部加熱プレートと下部プレートとの間の表面積接触を向上させることができる。第２層１１３９はまた、加熱要素を受け入れるための切抜部又は開口部を含み得る。第２層１１３９は、第１層１１３８と同じ材料で作成されてもよい。層１１３８、１１３９は、図９Ａの絶縁シート９４０又はシート９４１の形状を有する。第２層１１３９は、上部加熱プレート１１１０と下部プレート１１２０との間に挟まれている。層１１３９は、ヒータプレートアセンブリ１１００が互いにボルトで固定されると上部加熱プレート１１１０と下部プレート１１２０との間に挟まれる。或いは、層１１３９は、上部加熱プレート１１１０の下面上に接着されてもよい。層１１３９は、図１２Ｂに示されるサーミスタ用ウェル１２１１及びボルト用開口部１２１９などのサーミスタ用ウェル及びボルト用開口部を収容するための開口部を層１１３９内に有する。図１２Ｂ〜図１２Ｃ、図１２Ｆ、及び図１２Ｊは、上部加熱プレート１２１０の下面を絶縁層なしで示す。破線１２１３は、図１２Ｄ及び図１２Ｅに示すような、上部加熱プレート１２１０と接触するように構成されている下部プレート１２２０の外周部を示す。上部加熱プレート１２１０の下面は、加熱要素サブアセンブリを受け入れるための凹部１２１７を更に含む。図１２Ｄ及び図１２Ｅは、上部加熱プレート１２１０によって受け入れられるように構成されている下部プレート１２２０の下面を示す。破線１２２３は、下部プレート１２２０と接触するように構成されている、加熱要素サブアセンブリの一方の面上にあるマイカ絶縁シートなどの加熱要素サブアセンブリの外周部を示す。下部プレート１２２０の縁部と破線１２２３との間の領域は、上部加熱プレート１２１０と下部プレート１２２０との間の接触領域を示す。図１２Ｌ及び図１２Ｍは、上部加熱プレート１２１０の下面を絶縁層なしで示す。破線１２１４は、図１２Ｎ〜図１２Ｒに示すような、上部加熱プレート１２１０と接触するように構成されている下部プレート１２２１の外周部を示す。下部プレート１２２０と比較すると、下部プレート１２２１は、サーミスタ用ウェル１２１１と下部プレート１２２１との間の熱的分離を向上させるためにより大きな切抜部領域を含む。下部プレート１２２１の縁部と下部プレート１２２１上の破線１２２３との間の領域は、上部加熱プレート１２１０と下部プレート１２２３との間の接触領域を示す。上述のように、本明細書で参照する絶縁シートは、電気絶縁を提供する電気絶縁体である。熱インターフェース材料などのこれら絶縁体は、熱絶縁体ではなく熱伝導体である。
【０４３１】
図１３Ａ〜図１３Ｄは、熱インターフェース材料の使用による熱接触の向上を顕微鏡的レベルで示す。図１３Ａに示すように、上部加熱プレート、並びに加熱要素サブアセンブリ１３３０のＰＥＥＫ層１３３２及びマイカ層などの剛性絶縁層の粗面により、上部加熱プレートと剛性絶縁層との間にエアポケット又はギャップが捕捉されるせいで、不良熱伝導に至るおそれがある。同様に、図１３Ｃに示すように、上部加熱プレート１３１０及び下部プレート１３２０の粗面もまた、剛性の上部加熱プレート１３１０と剛性の下部プレート１３２０との間にエアポケット又はギャップが捕捉されるせいで、最適に満たない熱移動に至るおそれがある。図１３Ｂ及び図１３Ｄに示すように、上述の絶縁シート９４０又はシート９４１などのコンプライアント熱インターフェース材料層１３３８は、エアポケット又はギャップを変位させ、利用可能な表面積接触を向上させることができる。
【０４３２】
図１３Ｂに示すように、コンプライアント熱インターフェース材料層１３３８が図１３Ａの剛性のＰＥＥＫ層１３３２を代替して、加熱要素サブアセンブリ１３３０と上部加熱プレート１３１０との間のより良好な表面積接触を可能にすることができる。このコンプライアント熱インターフェース材料層１３３８は、図８Ｂの等価回路モデル又はシステム８０１内のθ１ａを低下させることができる。
【０４３３】
図１３Ｄに示すように、コンプライアント熱インターフェース材料層１３３８を上部加熱プレート１３１０と下部プレート１３２０との間に付加して、上部加熱プレート１３１０と下部プレート１３２０との間の表面積接触を増大させることができる。このコンプライアント熱インターフェース材料層１３３８は、図８Ｂの等価回路モデル又はシステム８０１内のθ１ｃを低下させることができる。図１３Ｄは、シート１１３９（層Ｂ）によって提供される上部加熱プレートと下部プレートとの間の熱接触、即ち熱的結合を示す。図１３Ｂは、シート１１３８（層Ａ）によって得られる加熱要素アセンブリと上部加熱プレートとの間の熱的結合を示す。
【０４３４】
図８Ｂの等価回路モデル又はシステム８０１に見られるように、θ１ａ及び／又はθ１ｃが低下すると、ヒータプレートアセンブリ内部の固有のフィルタリング効果を低減させることができる。その結果、印加される波形の振幅又は電力Ｐｗａｖｅを低減させて、Ｔ＿ＨＰにおいて同じ目標の大きさを得ることができる。低水の検知及び／又は水切れ検知の目的で、下部プレートと上部加熱プレートとの間の接触領域だけでなく、下部プレートの全面に沿って熱インターフェース材料を導入することによってθ１ｂを低下させることも有益であり得る。
【０４３５】
図１４は、熱的結合を損なわずに材料費を低下させる別の例示的なヒータプレートの積み重ね構成１４００を示す。上部加熱プレート１４１０は、下部プレート１４２０を受け入れるための凹部を含み得る。下部プレート１４２０は、下部プレート１４２０に面する側にある第１絶縁層１４３２及び第２絶縁層１４３４と、上部加熱プレート１４１０に面する側にある第３絶縁層１４３６及び第４層１４３８（加熱要素サブアセンブリを形成する）との間に挟まれた加熱要素１４３５を受け入れるための凹部を含み得る。第１層１４３２、第２層１４３４、及び第３層１４３６は、マイカシートを含み得る。第４層１４３８は、上述の絶縁シート９４０又はシート９４１の材料であり得る熱インターフェース材料を含み得る。図１４の第４層１４３８は、実質的に上部加熱プレート１２１０の下表面全体に位置することができ、下部プレート１４２０及び第３絶縁層１４３６と接触するように構成され得る。熱インターフェース材料の第４層１４３８は、上部加熱プレート１４１０と下部プレート１４２０との間の接触、及び上部加熱プレート１４１０と加熱要素サブアセンブリとの間の接触を向上させることができる。
【０４３６】
図１４に示すように、別個の熱インターフェース材料層１４３９が、下部プレート１４２０の下面と第１絶縁層１４３２との境界面に位置し得る。この別個の層１４３９は、下部プレート１４２０と加熱要素サブアセンブリとの間の表面積接触を向上させることができる。図１４に示すようなこの代替形態では、層１４３９は、加熱要素１４３５を下部プレート１４２０に熱的に結合し、下部プレート１４２０は、層１４３８によって上部加熱プレート１４１０に熱的に結合される。これにより、加熱要素１４３５から上部加熱プレート１４１０への熱伝導を向上させる。更に、下部プレート１４２０への熱は、層１４３８を介して上部加熱プレートに伝導される。これにより、サーミスタの温度表示値を向上させることができる。この熱的結合の向上は、水切れ検知も向上させることができる。
【０４３７】
図１５は、構成１５００が下部プレート１５２０と第１絶縁層１５３２との間に別個の熱インターフェース材料層を含まなくてもよいこと以外は図１４の構成１４００と実質的に同じヒータプレートスタック構成１５００を示す。図１４と図１５の同じ特徴は同じ下二桁を共有し、簡略化のために、繰り返されない。熱インターフェース材料の第４層１５３８は、図１２Ａの層Ａ及び層Ｂなどの２つの部分に分割される必要はない。即ち、単一の熱インターフェース材料層を使用して、上部加熱プレート１５１０と下部プレート１５２０との間の熱接触、及び上部加熱プレート１５１０と加熱要素サブアセンブリとの間の熱接触を向上させることができる。これにより、組み立て時間の減少によって製造プロセスを向上させることができる。下部プレート１５２０の縁部は、加熱要素サブアセンブリを受け入れるための凹部を作成するために、押し出す又は高くすることができる。凹部は、加熱要素サブアセンブリを内包し、熱インターフェース材料１５３８と接触させることができる、又は熱インターフェース材料１５３８と上部加熱プレート１５１０とを熱的に結合し、熱エネルギーを上部加熱プレート１５１０に戻るように向け直すことができる。図８Ｂを参照すると、熱インターフェース材料の第４層１５３８の配置により、θ１ｃを低下させることができる。
【０４３８】
図１６Ａ及び図１６Ｂに示すように、抵抗加熱要素１６３５は、加熱フィラメント１６３７が、要素１６３５の非導電性コア１６３３の一方の側（上部加熱プレートに面する側など）に主に巻き付くように設計され得る。フィラメント１６３７は、加熱フィラメントが主として非導電性コアの一方の側にあるように、コア１６３３の突起１６３１の周りで輪を作ることができる。この巻き付き構成は、熱伝導に、ｚ軸（図１４を参照）内の一方向にバイアスをかけることを可能にする。抵抗加熱要素１６３５は、本明細書に開示されるヒータプレートスタック構成のいずれにも実装することができる。抵抗加熱フィラメント構成の別の構造又は加熱要素上の加熱トラック、例えば、銅エッチングトラックを有するプリント回路基板（ＰＣＢ）を使用することができる。
【０４３９】
図１７Ａ〜図１７Ｅ及び図１８Ａ〜図１８Ｆは、図１５のヒータプレートスタック構成１５００を実装するために使用され得る例示的な上部加熱プレート１７１０及び下部プレート１８２０を示す。図１７Ａにおいて、陰影付き領域１７１１は、図１５の第４層１５３８であり得る熱インターフェース材料のダイカットの形状を示す。図１８Ａ、図１８Ｅ、及び図１８Ｆにおいて、陰影付き領域１８２１は、熱インターフェース材料（図１５の第４層１５３８など）との接触を可能にしながら、本明細書に開示される加熱要素及び他の絶縁層などの加熱要素サブアセンブリも内包するために高くされる、下部プレート１８２０の縁部領域を示す。図１９Ａ〜図１９Ｅは、別の例示的な下部プレート１９２０を示す。
【０４４０】
加熱要素の両側で、異なる熱インターフェース材料を使用することができる。熱インターフェース材料は、加熱要素からの熱のベクトルが実質的に上部加熱プレートに向けられるように選択され得る。マイカ絶縁層の全て又は組み合わせを熱インターフェース材料と入れ替えることができる。例えば、下部プレートと上部加熱プレートとの間のマイカ絶縁層の少なくとも１つを、図１１、図１４、及び図１６に示すように、入れ替えることができる。熱インターフェース材料は、任意選択的に、加熱要素の抵抗加熱トラック又はフィラメントに直接隣接させて配置してもよい（即ち、それらの間に剛性絶縁層はない）。熱インターフェース材料はマイカシートよりも低温に定格され得るので、安全性の理由から、熱インターフェース材料はまた、加熱要素の抵抗加熱トラックに直接隣接させて配置しなくてもよい（即ち、それらの間にマイカシートなどの剛性絶縁層の少なくとも１つの層を有する）。ヒータプレートアセンブリ全体は、互いにボルトで固定することができる（例えば、接着剤なしで）。互いにボルトで固定されている要素は、破損した要素をより容易に取り外す又は交換することを可能にする。互いにボルトで固定されている要素はまた、ギャップを吸収し、エアギャップを除去するために、コンプライアント絶縁体シート（熱インターフェース材料層）が他の要素に対して移動することを可能にする。これにより、加熱要素と、下部プレートと、上部加熱プレートとの熱的結合を向上させることができる。熱的結合は、加熱要素から熱の大部分を上部加熱プレートにより効率的に伝達し、サーミスタによって検知されることを確実にすることができる。これにより、水切れ検知方法の精度も向上させることができる。
【０４４１】
本明細書に開示されるヒータプレートスタック構成に追加の熱インターフェース材料層も付加することができる。例えば、熱インターフェース材料は、図１４に示すように、下部プレートとマイカ絶縁層との間に、その領域内に形成する可能性のあるエアポケットを低減するために、配置されてもよい。この追加の層の組み立ては、加熱要素の組み立てプロセスの一部とすることができる、又は別の工程であってもよい。
【０４４２】
システム８００、８０１、８０２はまた、ヒータプレート温度センサと異なる位置及び／又は手法で行われた温度測定を低水及び／又は水切れ検知のために使用することができることを示す。例えば、水温は、上記の他の因子による影響を排除するために直接測定され得る。また、例えば、温度ＴheaterPlateと温度Ｔchamberとの間又は温度ＴtopPlateと温度Ｔchamberとの間の差の差分測定を行うことによって、これら寄生項による影響を打ち消すことが可能である。例えば、一方が他方よりも要素に近い２つのサーミスタをヒータプレート上に有することも可能である。この２つのサーミスタの構成は、寄生項を打ち消すことができるので、水切れ検知プロセスを向上させることができる。
【０４４３】
本明細書中に記載されるシステムはまた、本明細書に開示されるヒータプレート温度センサなどのセンサを外部からの熱の寄与から分離するように構成された特徴を含み得る。上述のように、ヒータプレート温度センサは、上部加熱プレート温度を測定することができ、上部加熱プレート温度は、低水及び／又は水切れ検知アルゴリズムに供給することができ、その最中に、より高い周波数の補完信号がヒータプレート制御信号の波形に印加される。補完信号及び反射応答信号は、温度測定値のノイズにより敏感であり得る及び／又は温度測定値のノイズによって減衰され得る。検知アルゴリズムをより信頼性の高いものにするために、ヒータプレートアセンブリの加熱要素に提供される所与の電力に関して、測定温度ＴHP（ヒータプレート温度）が真のヒータプレート温度により良好に対応すると有益であり得る。
【０４４４】
本明細書に開示される上部加熱プレートは、上部加熱プレートの底面に、上部加熱プレートの温度を測定するために使用される２つのサーミスタを収容するための２つのサーミスタ用ウェル（図１２Ａのサーミスタ用ウェル１２１１及び図２０Ｂのサーミスタ用ウェル２０１１を参照）を有するセンサ取付ブロックを含み得る。サーミスタは、上部加熱プレート温度を電圧の形態で測定することができる。サーミスタは、分圧器構成で配置されている。温度が変化するとサーミスタの抵抗も変化し、抵抗は電圧の変化に相関する。このサーミスタの電圧は、（本明細書に開示されるコントローラなどの）マイクロコントローラのＡＤＣ入力に送られる。その後、電圧は、多項方程式などの数学関数を用いて温度値に直接変換される。関数は、サーミスタ及び使用される分圧器回路のデータシート内に与えられた抵抗対温度の関係から導出することができる。したがって、温度値を決定するために１つの工程のみを必要とし得る。図示例では２つのサーミスタを使用しているが、温度測定は、１つのサーミスタを使用して実施することもできる。システムは１つのサーミスタを使用することができ、第２のサーミスタは冗長センサとして存在する。或いは、コントローラは、２つの温度センサの平均温度値を使用してもよい。
【０４４５】
サーミスタに対する、上部加熱プレート以外のヒータプレートアセンブリの材料からの熱の寄与により、精度の低い表示値がもたらされる可能性がある。サーミスタの温度測定値が上部加熱プレートの温度を一層良く表すようにするために、安全機能部（例えば、図９及び図９Ａ〜図９Ｄの安全機能部９５０、並びに図２０Ａ〜図２０Ｃの安全機能部２０５０を参照）を下部プレート上に配置し、サーミスタを外部からの熱の寄与から分離することができる。安全機能部は、サーマルカットオフユニットであり得る。サーマルカットオフユニットは、安全でない動作を示す１つ以上の条件が１つ以上のセンサによって検知された場合、例えば、ヒータプレートの温度が閾値を超えたときに、ヒータプレートへの電力を切断するハードウェアデバイスである。安全機能部は、ヒータプレートアセンブリのハードウェアに実装されているソフトウェア又は他の保護回路の障害の場合に、ヒータプレートへの電力の供給を不可逆的に不能にすることができる。或いは、サーマルカットオフユニットは、使用者によってリセットされ得るリセット可能なハードウェアユニットであってもよい。サーマルカットオフユニットは、ハードウェア回路をリセットするために使用され得るアクセス可能なスイッチ、ボタン、又はアクチュエータを有してもよい。安全機能部は、システム障害に対する追加的な予防策を提供することができる。安全機能部は、例えば、２つのねじ又は他の種類の締結機構若しくは固定機構を使用して下部プレートに固定され得る。
【０４４６】
安全機能部は、主として、加湿チャンバのベースに接触している上部加熱プレートの温度に応答する。これにより、安全機能部の精度を確保することができるとともに、安全機能部の誤作動を低減及び／又は防止することができる。しかしながら、ニクロム線を含み得る加熱フィラメントは、安全機能部の信頼性及び／又は適切な作動に対して外部から影響を及ぼすおそれがある。加熱フィラメントの影響を低減するために、下部プレート内に、加熱フィラメントの境界をわずかに超えるＬ字形スロットを含み、安全機能部に対する加熱フィラメントの熱の寄与を低減することができる。Ｌ字形スロット１９２１を有する例示的な下部プレート１９２０を図１９Ａ〜図１９Ｆに示す。スロット１９２１は、Ｌ字形以外の任意の形状を有することもできる。Ｌ字形スロット１９２１は、簡略化された形態で図２０Ａ〜図２０Ｃに示される安全機能部２０５０と、加熱フィラメントの境界縁部２０３１との間の離隔距離を増大させることができる。サーマルカットオフユニットなどの安全機能部２０５０は、プラットフォーム上に配置され得る。プラットフォームは、安全機能部を取り付けるために使用され得る。図１９Ａ〜図１９Ｅにおいて、プラットフォームは、Ｌ字形スロット１９２１に隣接する２つの穴１９２３を含む。２つの穴１９２３は、安全機能部２０５０を下部プレート１９２０に固定するためにねじを使用することを可能にできる。
【０４４７】
離隔距離の増大は、安全機能部２０５０が実質的に一定の熱エネルギー分配を受け、（加熱フィラメントなどからの）「過渡的な」寄与によって起動されないようにするのに役立ち得る。Ｌ字形スロット１９２１により、下部プレート１９２０の構造的完全性を含む（ｃｏｍｐｒｉｓｉｎｇ）ことなく、下部プレート１９２０及び安全機能部２０５０のバルクからいくつかの伝導経路を取り除くことなどにより、安全機能部２０５０と下部プレート１９２０との間の金属を削減する。更に、安全機能部２０５０と下部プレート１９２０との離隔を更に増大させて、下部プレート１０２０内の熱による安全機能部２０５０のノイズを更に低減するために、小さな階段部１９２２が、Ｌ字形スロットの長縁部に機械加工されてもよい（図１９Ｃの陰影付き領域によって示されるとともに、図２０Ａ〜図２０Ｃにも示される）。離隔の増大により、加熱フィラメントからＬ字形スロット１９２１への熱の寄与及び安全機能部２０５０の誤作動を防止することができる。
【０４４８】
マイカシート及び／又は熱インターフェース材料などの、本明細書中に記載される絶縁シートは、加熱フィラメントから下部プレートに熱を伝達するように機能し得る。したがって、図２０Ａの破線円によって示されるように、Ｌ字形スロット１９２１は、絶縁シートの境界縁部２０４１を越えて延びることができ、これにより更に、絶縁シートから安全機能部への熱の寄与を低下させることができる。
【０４４９】
或いは、図１８Ｃ及び図１８Ｄに示すように、下部プレート１８２０の残部から突出するプラットフォーム１８５２を残しつつ、下部プレート１８２０の全体的な厚さを、例えば、図１２Ｄ及び図１２Ｅに示される下部プレートと比較して低減することができる。例えば、限定されるものではないが、全体的な厚さは、約２ｍｍ〜約９ｍｍ、又は約３ｍｍ〜約４ｍｍ、又は約３ｍｍに低減することができる。プラットフォーム１８５２は、例えば、限定されるものではないが、下部プレート１８２０の残部から約１ｍｍ〜約３ｍｍ、又は約２ｍｍ突出することができる。プラットフォーム１８５２における下部プレート１８２０の厚さは、例えば、限定されるものではないが、約４ｍｍ〜約１０ｍｍ、又は約４ｍｍ〜約６ｍｍ、又は約５ｍｍであり得る。安全機能部はプラットフォーム１８５２上に配置することができる。安全機能部は、プラットフォーム１８５２の上に配置することができる。プラットフォーム１８５２は、下部プレート１８２０の残部を薄くすることによって作成又は画定され得る。或いは、プラットフォームは、下部プレート内に形成された受け部内に画定されてもよい。プラットフォーム１８５２は、下部プレート１８２０への安全機能部の固定を向上させるために十分なねじ又は他の締結ツール深さを提供することができる。プラットフォーム１８５２はまた、安全機能部の周囲の領域の熱質量を増大させることによってサーミスタのデカップリングを向上させることができる。換言すると、プラットフォーム１８５２は、加熱フィラメントによる不要な効果を安全機能部へと減衰させることができる。
【０４５０】
或いは、図２１Ａ〜図２１Ｆ及び図２２Ａ〜図２２Ｂに示すように、プラットフォーム２１５２及びＬ字形スロット２１２１を含む下部プレート２１２０を有するように、下部プレート１８２０の特徴と下部プレート１９２０の特徴を組み合わせることができる。図２１Ａ及び図２１Ｅに示すように、スロット２１２１は、プラットフォーム２１５２の縁部の周りに位置し得る。スロット２１２１の長い側に沿った階段部（下部プレート１９２０の階段部１９２２など）は図示しないが、このような階段部は、任意選択的に、下部プレート２１２０内に含まれてもよい。スロット２１２１はまた、Ｌ字形以外の任意の形状を有することができる。
【０４５１】
図２２Ａ〜図２２Ｂに示すように、安全機能部２２５０の一部分は、その下表面がプラットフォーム２１５２によって支持されない。この支持されていない部分は締結ねじ又は他の締結ツールに結合されておらず、主として、安全機能部２２５０を更に安定させるために機能するので、このことは安全機能部の性能に影響しない。
【０４５２】
図２０Ａ〜図２０Ｃ及び図２２Ａ〜図２２Ｂに示されるヒータプレートアセンブリは、図１２Ａに示される層Ａ及び層Ｂなどの２つの熱インターフェース材料絶縁層を収容することができる。絶縁層Ａ及び／又は絶縁層Ｂは、例えば、約０．００２”（０．０５ｍｍ）又は約０．０４”（１．０２ｍｍ）の間、又は約０．００２”（０．０５ｍｍ）、約０．００３”（０．０８ｍｍ）、約０．００５”（０．１３ｍｍ）、約０．００６”（０．１５ｍｍ）、約０．００９”（０．２３ｍｍ）、約０．０１２”（０．３１ｍｍ）、約０．０１５”（０．３８ｍｍ）、約０．０１６”（０．４１ｍｍ）、約０．０１８”（０．４６ｍｍ）、約０．０２”（０．５１ｍｍ）、約０．０２５”（０．６４ｍｍ）、約０．０３”（０．７６ｍｍ）、又は約０．０４”（１．０２ｍｍ）の厚さを有し得るが、これらに限定されない。
【０４５３】
サーミスタの温度測定値が上部加熱プレートの温度を一層良く表すようにするために、サーミスタと下部プレートとの間の離隔距離も増大させることができる。サーミスタと下部プレートとの間の離隔が大きいほど、下部プレートからサーミスタの測定値への熱の寄与の程度を低減することができ、サーミスタにより上部加熱プレートのより正確且つ信頼性の高い温度が得られる。
【０４５４】
例えば、下部プレートのある領域の厚さを低減して、下部プレートと上部加熱プレートの底面上に配置されたサーミスタとの間の離隔距離をより大きくすることができる。例示的な厚さの低減は、図１９Ｂ〜図１９Ｃ、図２０Ａ〜図２０Ｃ、図２１Ａ、及び図２１Ｅに示される。厚さの低減により、階段部１９２５、２１２５が下部プレート１９２０、２１２０の底面上に形成されることになり得る。階段部は、下部プレートをサーミスタから更に熱的に隔離することができる。
【０４５５】
下部プレートとサーミスタとの離隔を増大させるために、図２０Ｂ及び図２０Ｃの上部加熱プレートのセンサ取付ブロック２０１０などの上部加熱プレートのセンサ取付ブロックもまた、例えば図１２Ａに示される上部加熱プレートのセンサ取付ブロック１２１０と比較した場合に、サイズ（例えば、幅及び／又は長さ）を低減することができる。例えば、図２０Ｂ及び図２０Ｃのより小さなセンサ取付ブロックは、約３ｍｍ〜約９ｍｍ、又は約５ｍｍ〜約７ｍｍの厚さを有し得る。センサ取付ブロックにおける、センサ取付ブロックを含む上部加熱プレート２０１０の総高さは、約６ｍｍ〜約１５ｍｍ、又は約８ｍｍ〜約１１ｍｍ、又は約９ｍｍ〜約１０ｍｍであり得る。上部加熱プレート２０１０のセンサ取付ブロック及び隆起したリップを含む上部加熱プレート２０１０の総高さは、その最も厚い点において、約１０ｍｍ〜約１２ｍｍ、又は約１１．５ｍｍであり得る。
【０４５６】
センサ取付ブロックサイズの低減により、サーミスタを余分な加熱源から及び／又は加熱フィラメントとの潜在的な直接接触からより良好に隔離するように、金属の量を低減することができる。より小さなセンサ取付ブロックはまた、サーミスタを上部加熱プレートにより良好に熱的に結合することができる。更に、より小さなセンサ取付ブロックは、下部プレートの温度変化による誤差を回避するために、センサ取付ブロックを下部プレートから更に遠くに離隔させることができる。
【０４５７】
用語
呼吸器加湿システム及び関連構成要素並びに方法の例を、図を参照しながら記載してきた。図は、様々なシステム及びモジュール及びそれらの間の接続を示す。様々なモジュールとシステムは様々な構成で組み合わせることができ、様々なモジュールとシステムとの間の接続は、物理的リンク又は論理的リンクを表し得る。図中の表現は、原理を明確に示すために提示され、モジュール又はシステムの分割に関する詳細は、別個の物理的な実施形態を詳述しようとするのではなく、説明を容易にするために提供されている。例及び図は、説明を意図しており、本明細書に記載される本発明の範囲を限定するものではない。例えば、本明細書の原理は、呼吸器加湿器のみならず、手術用加湿器を含む他の種類の加湿システムに適用されてもよい。本明細書の原理は、呼吸器用途に適用し得るとともに、呼吸器システム内で水が使用可能かどうかを決定する他のシナリオにも適用し得る。
【０４５８】
本明細書で使用する場合、「プロセッサ」という用語は、任意の適切なデバイス、論理ブロック、モジュール、回路、又は命令を実行するための要素の組み合わせを広く意味する。例えば、コントローラ８は、Ｐｅｎｔｉｕｍ（登録商標）プロセッサ、ＭＩＰＳ（登録商標）プロセッサ、Ｐｏｗｅｒ  ＰＣ（登録商標）プロセッサ、ＡＭＤ（登録商標）プロセッサ、ＡＲＭ（登録商標）プロセッサ、又はＡＬＰＨＡ（登録商標）プロセッサなどの任意の従来の汎用シングル若しくはマルチチップマイクロプロセッサを含み得る。更に、コントローラ１２２は、デジタルシグナルプロセッサ又はマイクロコントローラなどの任意の従来の専用マイクロプロセッサを含み得る。本明細書に開示した実施形態に関連して記載した様々な例証的な論理ブロック、モジュール、及び回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）、又は他のプログラマブルロジックデバイス、ディスクリートゲート若しくはトランジスタ論理、ディスクリートハードウェアコンポーネント、又は本明細書に記載される機能を実施するように設計されたこれらの任意の組み合わせ、又はメインプロセッサ内の純粋なソフトウェアと共に実施又は実行することができる。例えば、ロジックモジュール５０４は、任意の追加の及び／又は特殊なハードウェア要素を利用しないソフトウェア実施機能ブロックであり得る。コントローラ８は、コンピューティングデバイスの組み合わせ、例えば、ＤＳＰとマイクロプロセッサとの組み合わせ、マイクロコントローラとマイクロプロセッサとの組み合わせ、複数のマイクロプロセッサ、ＤＳＰコアと併用する１つ以上のマイクロプロセッサ、又は任意の他のそのような構成として実施され得る。
【０４５９】
データストレージは、データをプロセッサによって記憶及び検索することを可能にする電子回路を指すことができる。データストレージは、外部デバイス又はシステム、例えば、ディスクドライブ又はソリッドステートドライブを指すことができる。データストレージはまた、通信バス又はコントローラ８に直接接続される、ソリッドステート半導体ストレージ（チップ）、例えば、ランダムアクセスメモリ（ＲＡＭ）又は様々な形態の読み出し専用メモリ（ＲＯＭ）を指すことができる。他の種類のデータストレージとしては、バブルメモリ及びコアメモリが挙げられる。データストレージは、データを非一時的な媒体に記憶するように構成された物理的ハードウェアであり得る。
【０４６０】
特定の実施形態及び例を本明細書に開示しているが、本発明の主題は、特に開示された実施形態以外に、他の代替的な実施形態及び／又は使用、並びにそれらの修正物及び等価物にまで及ぶ。したがって、本明細書に添付の特許請求の範囲又は実施形態の範囲は、本明細書に記載される特定の実施形態のいずれかによって限定されるものではない。例えば、本明細書に開示される任意の方法又はプロセスにおいて、方法又はプロセスの行為若しくは操作は、任意の適切な順序で実施することができ、任意の特定の開示された順序に必ずしも限定されるものではない。様々な操作は、特定の実施形態の理解に有用となり得る手法で、複数の別々の操作として順に記載され得る。しかしながら、記載の順序は、これらの操作が順序に依存することを示唆するものとして解釈されるべきではない。更に、本明細書に記載される構造体は、一体型の構成要素として又は別個の構成要素として具現化することができる。様々な実施形態を比較する目的で、これら実施形態の特定の態様及び利点が記載されている。このような態様又は利点の全てが任意の特定の実施形態によって必ずしも達成されるわけではない。したがって、例えば、様々な実施形態は、本明細書に同じく教示又は提案され得る他の態様又は利点を必ずしも達成することなく、本明細書に教示される１つの利点又は利点の群を達成するか又は最適化する手法で実行され得る。
【０４６１】
本明細書中で使用される、とりわけ、「〜できる（ｃａｎ）」、「〜できる（ｃｏｕｌｄ）」、「〜の可能性がある（ｍｉｇｈｔ）」、「〜してもよい（ｍａｙ）」、「例えば（ｅ．ｇ．）」等のような条件付きの文言は、別段の記載のない限り、又は使用される文脈内で理解される限り、一般に、特定の実施形態が特定の特徴、要素及び／又は状態を含む一方で、他の実施形態は特定の特徴、要素及び／又は状態を含まないと伝えることを意図する。したがって、このような条件付きの文言は、一般に、１つ以上の実施形態に、特徴、要素及び／又は状態が何らかの形で必要であることを示唆するものではない。本明細書で使用する場合、用語「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｓ）」、「有する（ｈａｖｉｎｇ）」、又はこれらの任意の他の変化形は、非排他的な包含を含むものである。例えば、要素のリストを含むプロセス、方法、物品、又は装置は、これらの要素のみに必ずしも限定されるものではなく、明示的にリスト化されていない又はそのようなプロセス、方法、物品、若しくは装置に固有でない他の要素を含んでもよい。また、「又は（ｏｒ）」という用語は、例えば、要素のリストを接続するために使用される場合、「又は」という用語が、リスト内の要素のうちの１つ、幾つか、又は全てを意味するように、（その排他的な意味ではなく）その包含的な意味で使用される。「Ｘ、Ｙ及びＺのうちの少なくとも１つ」という語句などの接続語は、別段の記載のない限り、一般的に使用される文脈において、項目、用語等がＸ、Ｙ又はＺのいずれかであり得ることを伝えるものと理解される。したがって、このような接続語は、一般に、特定の実施形態に、少なくとも１つのＸ、少なくとも１つのＹ、及び少なくとも１つのＺがそれぞれ存在することを必要とすることを示唆するものではない。本明細書で使用する場合、「約（ａｂｏｕｔ）」又は「約（ａｐｐｒｏｘｉｍａｔｅｌｙ）」という語は、値が、記載された値の±１０％以内、±５％以内、又は±１％以内であることを意味し得る。
【０４６２】
本明細書に記載される方法及びプロセスは、１つ以上の汎用及び／又は専用コンピュータによって実行されるソフトウェアコードモジュール内で具現化されてもよく、これを介して部分的に又は完全に自動化されてもよい。「モジュール」という語は、ハードウェア及び／若しくはファームウェアで具現化されたロジック、又は例えば、Ｃ又はＣ＋＋などのプログラミング言語で記述された、可能であれば入口点及び出口点を有するソフトウェア命令の集合を意味する。ソフトウェアモジュールは、コンパイルされ、実行可能なプログラムにリンクされてもよく、動的にリンクされたライブラリにインストールされてもよく、又は例えば、ＢＡＳＩＣ、Ｐｅｒｌ、若しくはＰｙｔｈｏｎなどのインタプリタ型プログラミング言語で記述されてもよい。ソフトウェアモジュールは、他のモジュールから若しくはそれら自身から呼び出し可能であってもよく、及び／又は検知されたイベント若しくは割り込みに応答して呼び出されてもよいことは理解されるであろう。ソフトウェア命令は、消去可能なプログラム可能な読み出し専用メモリ（ＥＰＲＯＭ）などのファームウェアに組み込まれてもよい。更に、ハードウェアモジュールは、ゲート及びフリップフロップなどの接続された論理ユニットを含んでもよい、並びに／又はプログラマブルゲートアレイ、特定用途向け集積回路、及び／若しくはプロセッサなどのプログラマブルユニットを含んでもよいことは理解されるであろう。本明細書に記載されるモジュールは、ソフトウェアモジュールとして実装され得るが、また、ハードウェア及び／又はファームウェアで示されてもよい。更に、幾つかの実施形態では、モジュールは別々にコンパイルされてもよいが、他の実施形態では、モジュールは、別々にコンパイルされたプログラムの命令のサブセットを表してもよく、他の論理プログラムユニットに利用可能なインターフェースを有していなくてもよい。
【０４６３】
特定の実施形態では、コードモジュールが、任意の種類のコンピュータ可読媒体又は他のコンピュータ記憶デバイスに実装及び／若しくは格納されてもよい。幾つかのシステムでは、システムに入力されたデータ（及び／又はメタデータ）、システムによって生成されたデータ、及び／又はシステムによって使用されたデータは、リレーショナルデータベース及び／又はフラットファイルシステムなどの、任意の種類のコンピュータデータリポジトリに格納され得る。本明細書に記載されるシステム、方法、及びプロセスのいずれも、使用者、オペレータ、他のシステム、コンポーネント、プログラム等との対話を可能にするように構成されたインターフェースを含んでもよい。
【０４６４】
本明細書に記載される実施形態に多くの変形及び修正を施してもよいことを強調すべきであり、これらの要素は、とりわけ許容可能な例であると理解されるべきである。このような修正及び変形は全て、本明細書においては本開示の範囲内に含まれ、以下の特許請求の範囲によって保護されるものとする。更に、前述の開示のいずれも、任意の特定の構成要素、特性、又はプロセス段階が必要であること又は必須であることを示唆するものではない。
【０４６５】
本明細書で使用する場合、パラメータが推測され得る値は、この値とパラメータとの間の関係を示唆するが、この値とパラメータとの間の直接的な相関関係を必ずしも示すものではない。しかしながら、「パラメータが推測され得る」という用語は、パラメータが推測され得る値からパラメータが直接導出され得るような、値とパラメータとの間の直接的な相関関係を包含するほど十分に広く解釈されるべきである。
【図１Ａ】
2021532964.tif 000003
【図１Ｂ】
2021532964.tif 000004
【図１Ｃ】
2021532964.tif 000005
【図１Ｄ】
2021532964.tif 000006
【図１Ｅ】
2021532964.tif 000007
【図２Ａ】
2021532964.tif 000008
【図２Ｂ】
2021532964.tif 000009
【図２Ｃ】
2021532964.tif 000010
【図２Ｄ】
2021532964.tif 000011
【図２Ｅ】
2021532964.tif 000012
【図３Ａ】
2021532964.tif 000013
【図３Ｂ】
2021532964.tif 000014
【図３Ｃ】
2021532964.tif 000015
【図３Ｄ】
2021532964.tif 000016
【図３Ｅ】
2021532964.tif 000017
【図３Ｆ】
2021532964.tif 000018
【図３Ｇ】
2021532964.tif 000019
【図３Ｈ】
2021532964.tif 000020
【図４Ａ】
2021532964.tif 000021
【図４Ｂ】
2021532964.tif 000022
【図４Ｃ】
2021532964.tif 000023
【図４Ｄ】
2021532964.tif 000024
【図４Ｅ】
2021532964.tif 000025
【図４Ｆ】
2021532964.tif 000026
【図４Ｇ】
2021532964.tif 000027
【図５Ａ】
2021532964.tif 000028
【図５Ｂ】
2021532964.tif 000029
【図６】
2021532964.tif 000030
【図７】
2021532964.tif 000031
【図８Ａ】
2021532964.tif 000032
【図８Ｂ】
2021532964.tif 000033
【図８Ｃ】
2021532964.tif 000034
【図８Ｄ】
2021532964.tif 000035
【図９】
2021532964.tif 000036
【図９Ａ】
2021532964.tif 000037
【図９Ｂ】
2021532964.tif 000038
【図９Ｃ】
2021532964.tif 000039
【図９Ｄ】
2021532964.tif 000040
【図９Ｅ】
2021532964.tif 000041
【図１０】
2021532964.tif 000042
【図１１】
2021532964.tif 000043
【図１２Ａ】
2021532964.tif 000044
【図１２Ｂ】
2021532964.tif 000045
【図１２Ｃ】
2021532964.tif 000046
【図１２Ｄ】
2021532964.tif 000047
【図１２Ｅ】
2021532964.tif 000048
【図１２Ｆ】
2021532964.tif 000049
【図１２Ｇ】
2021532964.tif 000050
【図１２Ｈ】
2021532964.tif 000051
【図１２Ｉ】
2021532964.tif 000052
【図１２Ｊ】
2021532964.tif 000053
【図１２Ｋ】
2021532964.tif 000054
【図１２Ｌ】
2021532964.tif 000055
【図１２Ｍ】
2021532964.tif 000056
【図１２Ｎ】
2021532964.tif 000057
【図１２Ｏ】
2021532964.tif 000058
【図１２Ｐ】
2021532964.tif 000059
【図１２Ｑ】
2021532964.tif 000060
【図１２Ｒ】
2021532964.tif 000061
【図１３Ａ】
2021532964.tif 000062
【図１３Ｂ】
2021532964.tif 000063
【図１３Ｃ】
2021532964.tif 000064
【図１３Ｄ】
2021532964.tif 000065
【図１４】
2021532964.tif 000066
【図１５】
2021532964.tif 000067
【図１６Ａ】
2021532964.tif 000068
【図１６Ｂ】
2021532964.tif 000069
【図１７Ａ】
2021532964.tif 000070
【図１７Ｂ】
2021532964.tif 000071
【図１７Ｃ】
2021532964.tif 000072
【図１７Ｄ】
2021532964.tif 000073
【図１７Ｅ】
2021532964.tif 000074
【図１８Ａ】
2021532964.tif 000075
【図１８Ｂ】
2021532964.tif 000076
【図１８Ｃ】
2021532964.tif 000077
【図１８Ｄ】
2021532964.tif 000078
【図１８Ｅ】
2021532964.tif 000079
【図１８Ｆ】
2021532964.tif 000080
【図１９Ａ】
2021532964.tif 000081
【図１９Ｂ】
2021532964.tif 000082
【図１９Ｃ】
2021532964.tif 000083
【図１９Ｄ】
2021532964.tif 000084
【図１９Ｅ】
2021532964.tif 000085
【図１９Ｆ】
2021532964.tif 000086
【図２０Ａ】
2021532964.tif 000087
【図２０Ｂ】
2021532964.tif 000088
【図２０Ｃ】
2021532964.tif 000089
【図２１Ａ】
2021532964.tif 000090
【図２１Ｂ】
2021532964.tif 000091
【図２１Ｃ】
2021532964.tif 000092
【図２１Ｄ】
2021532964.tif 000093
【図２１Ｅ】
2021532964.tif 000094
【図２１Ｆ】
2021532964.tif 000095
【図２２Ａ】
2021532964.tif 000096
【図２２Ｂ】
2021532964.tif 000097
【国際調査報告】
2021532964.tif 000098
2021532964.tif 000099
2021532964.tif 000100
2021532964.tif 000101
2021532964.tif 000102
2021532964.tif 000103